(57)【要約】      （修正有）【課題】遊技の興趣を向上することが可能な遊技機を提供する。【解決手段】サブ制御部は、メイン制御部がＡＴの制御を開始するときに開始画面を表示する一方、メイン制御部がＡＴの制御を終了するときにエンディング画面を表示しており、開始画面およびエンディング画面において背景画像に重畳して文字画像を表示する。開始画面においては背景画像が動画像である一方、終了画面においては背景画像が静止画像である。サブ制御部は、エンディング画面において第１種類の画像と第２種類の画像とを表示可能であり、第１種類の画像はキャラクタＡを含む第１通常画像とキャラクタＢを含む第２通常画像とを含み、第２種類の画像は帽子と服を着用したキャラクタＡを含む第１特別画像と帽子と服を着用したキャラクタＢを含む第２特別画像とを含む。【選択図】図３２
2020171611.tif 000002
【特許請求の範囲】
【請求項１】
遊技を行う遊技機であって、
特定状態に制御可能な特定状態制御手段と、
前記特定状態の制御を開始するときに開始画面を表示する一方、前記特定状態の制御を終了するときに終了画面を表示する画面表示手段とを備え、
前記画面表示手段は、前記開始画面および前記終了画面において背景画像に重畳して前記特定状態に関する文字画像を表示し、
前記開始画面の背景画像が動画像である一方、前記終了画面の背景画像が静止画像であり、
複数種類の有利度のうちのいずれかに設定する有利度設定手段と、
前記終了画面の背景画像として、複数種類の画像のうちの何れかの画像を表示することにより、前記有利度設定手段による有利度の設定状態を示唆する示唆制御を実行可能な示唆制御手段とを更に備え、
前記複数種類の画像は、第１種類の画像と、該第１種類の画像よりも前記有利度設定手段により設定された有利度の設定状態が有利であることを示唆する第２種類の画像とを含み、
前記第１種類の画像は、第１キャラクタを含む第１通常画像と、第２キャラクタを含む第２通常画像とを含み、
前記第２種類の画像は、第１特定態様の前記第１キャラクタを含む第１特別画像と、前記第１特定態様と共通する態様である第２特定態様の前記第２キャラクタを含む第２特別画像とを含む、遊技機。
【発明の詳細な説明】
【技術分野】
【０００１】
本発明は、遊技を行う遊技機に関する。
【背景技術】
【０００２】
遊技機として、所定の賭数を設定し、スタート操作が受け付けられたことに基づいて、複数種類の識別情報の可変表示が行われるスロットマシンや、遊技球等の遊技媒体を発射装置によって遊技領域に発射し、該遊技領域に設けられている入賞口等の始動領域に遊技媒体が入賞したときに複数種類の識別情報の可変表示が行われるパチンコ遊技機等がある。
【０００３】
このような遊技機として、遊技者にとって有利な有利状態の一例としての大当り遊技状態の開始時に大当り開始画面を表示し、大当り遊技状態の終了時に大当り終了画面を表示するものが提案されている（例えば、特許文献１参照）。
【先行技術文献】
【特許文献】
【０００４】
【特許文献１】特開２０１９−０１７９４７号公報
【発明の概要】
【発明が解決しようとする課題】
【０００５】
特許文献１に記載の技術では、大当り開始画面と大当り終了画面との表示内容の違いや関連について一切考慮されておらず、大当り開始画面および大当り終了画面の表示には改良の余地がある。
【０００６】
本発明は、上記実情に鑑みてなされたものであり、遊技の興趣を向上することができる遊技機を提供することを目的とする。
【課題を解決するための手段】
【０００７】
上記目的を達成するため、本発明に係る遊技機は、
遊技を行う遊技機（例えば、遊技機１、スロットマシン１０１、パチンコ遊技機）であって、
特定状態（例えば、有利状態、第１有利状態および第２有利状態、ＡＴ）に制御可能な特定状態制御手段（例えば、メイン制御部４１が有利状態、第１有利状態および第２有利状態、ＡＴに制御する処理）と、
前記特定状態の制御を開始するときに開始画面（例えば、開始画面）を表示する一方、前記特定状態の制御を終了するときに終了画面（例えば、終了画面、エンディング画面）を表示する画面表示手段（例えば、サブ制御部９１が有利状態、第１有利状態および第２有利状態、ＡＴの制御開始時に開始画面を表示する処理、サブ制御部９１が有利状態、第１有利状態および第２有利状態、ＡＴの制御終了時に終了画面、エンディング画面を表示する処理）とを備え、
前記画面表示手段は、前記開始画面および前記終了画面において背景画像に重畳して前記特定状態に関する文字画像を表示し（例えば、サブ制御部９１が開始画面および終了画面、エンディング画面において背景画像に重畳して文字画像を表示し）、
前記開始画面の背景画像が動画像である一方、前記終了画面の背景画像が静止画像であり（例えば、開始画面の背景画像が爆発の動画像である一方で終了画面の背景画像、エンディング画面が静止画像であり）、
複数種類の有利度のうちのいずれかに設定する有利度設定手段（例えば、メイン制御部４１）と、
前記終了画面の背景画像として、複数種類の画像のうちの何れかの画像を表示することにより、前記有利度設定手段による有利度の設定状態を示唆する示唆制御を実行可能な示唆制御手段（例えば、図３０のＳｃ４の処理を行う部分）とを更に備え、
前記複数種類の画像は、第１種類の画像（例えば、デフォルト画面Ａおよびデフォルト画面Ｂで表示される画像）と、該第１種類の画像よりも前記有利度設定手段により設定された有利度の設定状態が有利であることを示唆する第２種類の画像（例えば、第１高設定示唆画面で表示される画像）とを含み、
前記第１種類の画像は、第１キャラクタを含む第１通常画像と、第２キャラクタを含む第２通常画像とを含み（例えば、図３２（ａ）、図３３（ａ）に示す部分）、
前記第２種類の画像は、第１特定態様の前記第１キャラクタを含む第１特別画像と、前記第１特定態様と共通する態様である第２特定態様の前記第２キャラクタを含む第２特別画像とを含む（例えば、図３２（ｂ）、図３３（ｂ）に示す部分）。
【図面の簡単な説明】
【０００８】
【図１】（Ａ）実施形態１に係る遊技機の構成の一例を示すブロック図、（Ｂ）遊技機の正面図である。
【図２】実施形態１に係る有利状態制御中の液晶表示器の表示を説明するためのタイミングチャートである。
【図３】（ａ）実施形態１に係る開始画面の一例を示す図、（ｂ）実施形態１に係る終了画面の一例を示す図、（ｃ）実施形態１に係る操作示唆表示の一例を示す図である。
【図４】実施形態２に係る有利状態制御中の液晶表示器の表示を説明するためのタイミングチャートである。
【図５】実施形態２に係る操作示唆表示の一例を示す図である。
【図６】実施形態３に係る有利状態制御中の液晶表示器の表示を説明するためのタイミングチャートである。
【図７】実施形態３に係る終了画面の一例を示す図である。
【図８】実施形態４に係る有利状態制御中の液晶表示器の表示を説明するためのタイミングチャートである。
【図９】実施形態４に係る操作示唆表示の一例を示す図である。
【図１０】実施形態５に係る有利状態制御中の液晶表示器の表示を説明するためのタイミングチャートである。
【図１１】実施形態５に係る音量調整表示の一例を示す図である。
【図１２】実施形態６に係る有利状態制御中の液晶表示器の表示、演出効果ＬＥＤの発光、スピーカの出力を説明するためのタイミングチャートである。
【図１３】実施形態６に係る開始画面の一例を示す図である。
【図１４】（ａ）実施形態６に係る開始画面の変更例１を示す図、（ｂ）実施形態６に係る開始画面の変更例２を示す図である。
【図１５】実施形態７に係る移行表示を説明するためのタイミングチャートである。
【図１６】実施形態７に係る復活表示を説明するためのタイミングチャートである。
【図１７】（ａ）実施形態７に係る移行表示の一例を示す図、（ｂ）実施形態７に係る復活表示の一例を示す図である。
【図１８】実施形態８に係る有利状態制御中の液晶表示器の表示を説明するためのタイミングチャートである。
【図１９】実施形態８に係る第２有利状態制御中表示の一例を示す図である。
【図２０】実施形態９に係る有利状態制御中の液晶表示器の表示を説明するためのタイミングチャートである。
【図２１】（ａ）実施形態９に係る開始画面の一例を示す図、（ｂ）実施形態９に係る終了画面の一例を示す図である。
【図２２】実施形態１０に係るスロットマシンの正面図である。
【図２３】スロットマシンの構成を示すブロック図である。
【図２４】遊技の流れを示す説明図である。
【図２５】メイン制御部が設定変更処理後に実行するゲーム処理の制御内容を示すフローチャートである。
【図２６】メイン制御部がゲーム処理内で実行する上乗せ特化ゾーン関連処理の制御内容を示すフローチャートである。
【図２７】メイン制御部がゲーム処理内で実行する上乗せ特化ゾーン関連処理の制御内容を示すフローチャートである。
【図２８】メイン制御部がゲーム処理内で実行する有利区間終了処理の制御内容を示すフローチャートである。
【図２９】タイマ割込処理（サブ）のフローチャートである。
【図３０】サブ制御部がタイマ割込処理（サブ）内で実行するＡＴエンディング画面表示処理の制御内容を示すフローチャートである。
【図３１】ＡＴのエンディング画面の選択割合を示す説明図である。
【図３２】ＡＴモードＡのＡＴのエンディング画面の具体例である。
【図３３】ＡＴモードＢのＡＴのエンディング画面の具体例である。
【図３４】上乗せ特化ゾーンにおけるバトル演出の具体例である。
【図３５】上乗せ特化ゾーンにおけるバトル演出の具体例である。
【図３６】上乗せ特化ゾーンにおけるバトル演出の具体例である。
【図３７】上乗せ特化ゾーンにおけるバトル演出の具体例である。
【図３８】上乗せ特化ゾーンにおけるバトル演出の具体例である。
【図３９】ＡＴのエンディング画面の選択割合の変形例を示す説明図である。
【発明を実施するための形態】
【０００９】
以下、本発明の実施形態に係る遊技機について、図面を参照して説明する。
【００１０】
［実施形態１］
本発明の実施形態１に係る遊技機１は、図１（Ａ）に示すように、メイン制御部４１を備える遊技制御基板によって遊技の進行が制御され、サブ制御部９１を備える演出制御基板によって演出が制御され、電源基板によって駆動電源が生成されて各部品に供給される。図１（Ａ）、図１（Ｂ）に示すように、メイン制御部４１には、操作部６が接続され、サブ制御部９１には、液晶表示器５１、演出効果ＬＥＤ５２、スピーカ５３、５４、演出用スイッチ５６、十字キースイッチ５７が接続されている。これらの演出装置５１〜５４は、サブ制御部９１による制御に基づいて駆動される。
【００１１】
遊技機１に対する電源供給が開始されると、メイン制御部４１及びサブ制御部９１は、それぞれ起動処理を開始する。メイン制御部４１は、起動処理において操作部６の制御を行うための初期化処理等を実行する。なお、操作部６とは、例えば、スロットマシンであれば、賭数を設定可能な賭数設定ボタン、リールを回転開始するためのスタートスイッチ、リールを停止させるためのストップスイッチ等であり、パチンコ遊技機であれば、遊技球を発射するための打球操作ハンドル等である。メイン制御部４１は、起動処理が終了すると、操作部６への操作の受付を有効化して遊技を進行させるための通常制御が可能となり、遊技者は、操作部６の操作によって遊技を進行させることが可能となる。このとき、メイン制御部４１は、サブ制御部９１に通常制御の開始を示す開始コマンドを送信する。
【００１２】
一方、サブ制御部９１は、起動処理において液晶表示器５１等の初期化処理等を実行する。また、サブ制御部９１は、初期化処理等の実行を終了してメイン制御部４１から開始コマンドを受信すると、液晶表示器５１にメイン制御部４１が通常制御中である旨の表示（例えば、背景画像等の表示）を行う。メイン制御部４１は、遊技の進行に応じて各種コマンドを送信し、サブ制御部９１は、メイン制御部４１から受信したコマンドの制御情報に基づいて演出の制御を行う。演出は、例えば、液晶表示器５１、演出効果ＬＥＤ５２、スピーカ５３、５４、演出用スイッチ５６等を用いて行われる。なお、本実施形態の演出効果ＬＥＤ５２は、液晶表示器５１の上方、左方、右方にそれぞれ設けられている。
【００１３】
図２および図３を参照して有利状態制御中の液晶表示器５１の表示について説明する。図２に示すタイミングチャートは、上から順に、有利状態の制御の有無（制御・非制御）、開始画面の表示の有無（表示・非表示）、終了画面の表示の有無（表示・非表示）、所定操作の受け付けの有無（受付・非受付）、操作示唆表示の有無（表示・非表示）を示す。以降、本実施形態において、事象の発生したタイミングをｔ（ｔ１、ｔ２、…）で示す。
【００１４】
図２に示すように、ｔ１以前において、メイン制御部４１は、通常状態に制御しており、ｔ１において、遊技者にとって有利な有利状態の制御を開始する。このとき、サブ制御部９１は、開始画面の表示を開始する。なお、有利状態とは、例えば、スロットマシンであれば、ボーナス（ビッグボーナス、レギュラーボーナス）やＡＴ（アシストタイム）やＡＲＴ（アシストリプレイタイム）や有利ＲＴ（リプレイタイム）やＡＴやＡＲＴの上乗せ特化ゾーンやＣＺ（チャンスゾーン）等であり、パチンコ遊技機であれば、大当り遊技状態や小当り遊技状態や確変状態や時短状態等である。また、開始画面とは、有利状態の制御を開始するときに表示される画面であり、有利状態の名称を示す文字画像が文字画像を強調する背景画像に重畳された画像を含む画面である。具体的には、図３（ａ）に示すように、文字画像は、有利状態の名称が「○△ＢＯＮＵＳ」であれば「○△ＢＯＮＵＳ」との文字を含む「○△ＢＯＮＵＳ！！」との文字画像であり、背景画像は、「○△ＢＯＮＵＳ！！」との文字画像を囲む爆発の動画像である。
【００１５】
本実施形態では、開始画面において、図３（ａ）の（ａ１）〜（ａ３）に示すように、「○△ＢＯＮＵＳ！！」との文字画像のうちの「○△」との文字について１文字ずつ表示された後に残りの「ＢＯＮＵＳ！！」が表示される。具体的には、開始画面では、図３（ａ）の（ａ１）に示すように、「○」の文字が表示された後、図３（ａ）の（ａ２）に示すように、「△」の文字が追加表示されて「○△」との文字が表示された後、図３（ａ）の（ａ３）に示すように、残りの「ＢＯＮＵＳ！！」の文字が追加表示されて「○△ＢＯＮＵＳ！！」との文字が表示される。また、開始画面では、「○△ＢＯＮＵＳ！！」との文字が表示された後、図３（ａ）の（ａ４）に示すように、文字画像にエフェクトが発生するとともに、背景画像の表示が開始され、図３（ａ）の（ａ５）に示すように、文字画像にエフェクトが解除されるとともに、背景画像の爆発の画像が大きくなる。そして、背景画像の爆発の画像が大きくなった後、図３（ａ）の（ａ６）に示すように、背景画像の爆発の画像が元の大きさに戻り、その後、図３（ａ）の（ａ４）〜（ａ６）の表示が繰り返される（ループ表示される）。
【００１６】
図２に戻り、ｔ１から所定期間が経過したｔ２において、メイン制御部４１は、所定操作の受け付けを有効化する。このとき、サブ制御部９１は、開始画面の表示を終了するとともに、操作示唆表示を開始する。ここで、所定操作とは、例えば、遊技中の各状態において遊技者にとって有利となる操作である。例えば、スロットマシンであれば、レア役当選時における所謂目押し操作やＡＴやＡＲＴの押し順役当選時における正解押し順の操作であり、パチンコ遊技機であれば、時短状態や大当り遊技状態において第２始動入賞口や大入賞口に遊技球を進入させることを期待できる右打ち等の操作である。すなわち、所定操作の受付期間とは、例えば、スロットマシンであれば、レア役当選時に目押し操作でレア役が入賞したりＡＴやＡＲＴの押し順役当選時に正解押し順の操作で有利な押し順役に入賞したりする状況における停止操作の受付期間であり、パチンコ遊技機であれば、時短状態や大当り遊技状態において右打ちで遊技球を進入可能な大入賞口が開放されている期間である。なお、所定操作の受付期間については、これに限定されず、所定操作を受け付ける直前の期間が含まれてもよい。例えば、パチンコ遊技機であれば、大当り遊技状態制御中において入賞口が開放される直前で右打ち操作をしても入賞口への入賞が不可能であるときも受付期間に含まれてもよい。また、操作示唆表示とは、遊技者に対して所定操作を示唆する表示である。本実施形態の操作示唆表示は、図３（ｃ）に示すように、所定操作の名称が「□▽操作」であれば「□▽操作で狙え！！」との文字を四角の枠で囲んだ画像の表示であり、液晶表示器５１の表示領域上部で行われる。
【００１７】
図２に戻り、ｔ２から所定操作の受付期間が経過したｔ３において、メイン制御部４１は、所定操作の受け付けを無効化し、サブ制御部９１は、操作示唆表示を終了する。また、ｔ３から所定期間が経過したｔ４において、メイン制御部４１は、所定操作の受け付けを有効化し、サブ制御部９１は、操作示唆表示を開始する。なお、図示は省略するが、ｔ３からｔ４までの間にメイン制御部４１が所定操作の受け付けを有効化した場合、サブ制御部９１は、メイン制御部４１が所定操作の受け付けを無効化するまで操作示唆表示を行ってもよい。また、ｔ２から所定操作の受付期間が経過したｔ５において、メイン制御部４１は、有利状態の制御を終了して所定操作の受け付けを無効化する。このとき、サブ制御部９１は、操作示唆表示を終了した後、終了画面の表示を開始する。そして、ｔ５から所定期間が経過したｔ６において、サブ制御部９１は、終了画面の表示を終了する。
【００１８】
ここで、終了画面とは、有利状態の制御を終了するときに表示される画面であり、有利状態の履歴（例えば、有利状態の制御が終了する旨、有利状態の結果）を示す文字画像が背景画像に重畳された画像を含む画面である。具体的には、図３（ｂ）に示すように、文字画像は、有利状態の名称が「○△ＢＯＮＵＳ」であれば「○△ＢＯＮＵＳ終了」を含む文字を四角の枠で囲んだ画像であり、背景画像は、２つの山が並んだ静止画像である。本実施形態では、終了画面において、有利状態の結果としての遊技用価値の獲得数（例えば、スロットマシンであればメダルの獲得枚数、パチンコ遊技機であれば遊技球の獲得数）が所定数以上であれば、図３（ｂ）の（ｂ１）に示すように、「○△ＢＯＮＵＳ終了」に遊技用価値の獲得数（例えばＸＹＺ）を示す「ＴＯＴＡＬ  ＸＹＺ」の文字が追加表示される一方、獲得数が所定数未満であれば、図３（ｂ）の（ｂ２）に示すように、「○△ＢＯＮＵＳ終了」の文字のみが表示される。
【００１９】
なお、本実施形態では、有利状態の結果として遊技用価値の獲得数を表示可能としたが、これに限定されず、例えば、遊技用価値の純増数（例えば、スロットマシンであればメダルの純増枚数、パチンコ遊技機であれば遊技球の純増数）を表示可能としてもよい。また、例えば、有利状態の制御期間（例えば、スロットマシンであればボーナスやＡＴやＡＲＴやＲＴ等のゲーム数やセット数、パチンコ遊技機であれば大当り遊技状態のラウンド数等）を表皮可能としてもよい。
【００２０】
以上説明したように、本実施形態に係る遊技機１によれば、メイン制御部４１は、特定状態の一例としての有利状態に制御可能であり、サブ制御部９１は、有利状態の制御を開始するときに開始画面を表示する一方、有利状態の制御を終了するときに終了画面を表示しており、開始画面および終了画面において背景画像に重畳して有利状態に関する文字画像を表示する。ここで、開始画面においては背景画像が爆発の動画像である一方、終了画面においては背景画像が２つの山が並んだ静止画像である。
このようにすることで、開始画面の背景画像が動画像ではない遊技機や、終了画面の背景画像が静止画像ではない遊技機よりも開始画面が終了画面よりも目立ち易くなり、有利状態の開始に関する遊技者の印象を高めることができ、遊技の興趣が向上する。
【００２１】
なお、本実施形態では、特定状態として有利状態を例示したが、これに限定されず、例えば、通常状態や遊技者にとって不利な不利状態が特定状態であってもよく、バトル演出等の連続演出（特定演出）が実行される演出状態であってもよい。また、本実施形態では、開始画面の背景画像を爆発の動画像としたが、開始画面の背景画像は動画像である限りにおいてこれに限定されず、例えば、星が流れる動画像としてもよい。また、本実施形態では、終了画面の背景画像を山が並んだ静止画像としたが、終了画面の背景画像は静止画像である限りにおいてこれに限定されず、例えば、キャラクタや建物の静止画像としてもよい。
【００２２】
また、本実施形態に係る遊技機１によれば、サブ制御部９１は、メイン制御部４１が所定操作の受け付けを有効化しているときに遊技者に対して所定操作を示唆する操作示唆表示を行っており、メイン制御部４１が所定操作を受け付ける前に開始画面を表示している。
このようにすることで、開始画面が所定操作を受け付けていないときに表示されない遊技機よりも動画像である背景画像が表示される開始画面の表示中に操作示唆表示が行われて遊技者が混乱して所定操作とは異なる操作を行ってしまうことを防止できる。
なお、本実施形態では、所定操作を受け付ける前に開始画面を表示したが、所定操作を受け付けていないときに開始画面が表示される限りにおいてこれに限定されず、例えば、所定操作を受け付けた後に開始画面を表示してもよい。
【００２３】
また、本実施形態に係る遊技機１によれば、サブ制御部９１は、メイン制御部４１が所定操作を有効に受け付けているときに操作示唆表示を行っており、開始画面を表示しているときには操作示唆表示を行わない。
このようにすることで、開始画面を表示しているときに操作示唆表示が制限されない遊技機よりも動画像である背景画像が表示される開始画面の表示中に操作示唆表示が行われて遊技者が混乱して所定操作とは異なる操作を行ってしまうことを防止できる。
なお、本実施形態では、所定操作を有効に受け付けているときに操作示唆表示を行っているが、所定操作を有効に受け付ける直前に操作示唆表示を行ってもよい。例えば、パチンコ遊技機であれば、時短状態や大当り遊技状態において第２始動入賞口や大入賞口に遊技球を進入させるまでに遊技球を移動させる時間が必要であるため、遊技球の移動時間から逆算して大入賞口を開放する直前に右打ちを示唆する操作示唆表示を行ってもよい。
【００２４】
なお、本実施形態では、メイン制御部４１が所定操作を有効に受け付けているときに液晶表示器５１の表示領域上部に大きく操作示唆表示を行っているが、このような操作示唆表示とは別に常に所定操作の示唆を行う表示を目立たない表示態様で行ってもよい。例えば、パチンコ遊技機であれば、表示領域の右端上部に小さく「右打ち推奨」との文字四角枠で囲んだ画像を常に表示した上で、メイン制御部４１が所定操作を有効に受け付けているときには当該画像を明るく表示する一方でメイン制御部４１が所定操作を有効に受け付けていないときには当該画像を暗く表示してもよい。また、例えば、点灯時に「右打ち推奨」との文字を遊技者が認識可能なランプを新たに設けた上で、メイン制御部４１が所定操作を有効に受け付けているときには当該ランプを点灯したり点滅したりする一方でメイン制御部４１が所定操作を有効に受け付けていないときには当該ランプを消灯してもよい。
【００２５】
また、本実施形態に係る遊技機１によれば、サブ制御部９１は、開始画面の表示終了後に操作示唆表示を行っている。
このようにすることで、開始画面の表示終了後に操作示唆表示を行わない遊技機よりも操作示唆表示に遊技者の注目を集め易くすることができる。
なお、本実施形態では、開始画面の表示を終了すると同時に操作示唆表示を行っているが、これに限定されず、例えば、開始画面の表示終了から所定期間が経過したときに操作示唆表示を行ってもよい。
【００２６】
また、本実施形態に係る遊技機１によれば、サブ制御部９１は、開始画面の文字画像において文字画像を強調するエフェクトを発生させるとともに、開始画面の背景画像においても文字画像を強調するエフェクトとして爆発の動画像を表示させている。
このようにすることで、文字画像を強調するエフェクトが文字画像だけでなく背景画像でも発生することでエフェクトを複雑にすることができ、開始画面の文字画像においてエフェクトを発生させない遊技機や開始画面の背景画像において文字画像を強調するエフェクトを発生させない遊技機よりも開始画面の文字画像に対する遊技者の注目を高めることができ、有利状態の開始に関する遊技者の印象を高めることができ、遊技の興趣が向上する。
なお、本実施形態のように、開始画面の文字画像にエフェクトを発生させることが好ましいが、開始画面の文字画像にエフェクトを発生させなくてもよい。また、開始画面の背景画像が文字画像を強調するエフェクトとしての動画像であることが好ましいが、開始画面の背景画像が文字画像を強調するエフェクトでなくてもよい。
【００２７】
また、本実施形態に係る遊技機１によれば、サブ制御部９１は、開始画面の「○△ＢＯＮＵＳ！！」との９文字の文字画像を表示するときに、９文字のうちの最初の２文字（「○△」）については一文字ずつ表示する一方、残りの７文字（「ＢＯＮＵＳ！！」）については全ての文字を同時に表示する。
このようにすることで、最初の２文字で示される有利状態の種類に関する情報（「○△」）に対する遊技者の注目を高めることができる。
【００２８】
なお、本実施形態では、開始画面の文字画像の「○△ＢＯＮＵＳ！！」との９文字のうちの最初の２文字（「○△」）を一文字ずつ表示して残りの７文字（「ＢＯＮＵＳ！！」）を同時に表示したが、一文字ずつ表示する文字数についてはこれに限定されず、「○△ＢＯＮＵＳ！！」との９文字のうちの最初の７文字（「○△ＢＯＮＵＳ」）であってもよい。また、例えば、有利状態の名称が「○△□ＢＯＵＮＵＳ」であり文字画像が「○△□ＢＯＵＮＵＳ！！」との１０文字の画像であれば、１０文字のうちの最初の３文字（「○△□」）であってもよい。
なお、本実施形態のように、開始画面の文字画像の９文字のうちの最初の２文字を一文字ずつ表示して残りの７文字を同時に表示することが好ましいが、開始画面の文字画像の９文字を同時に表示してもよい。
【００２９】
また、本実施形態に係る遊技機１によれば、開始画面の文字画像には、有利状態の名称を示す「○△ＢＯＮＵＳ」等の文字が含まれる。
このようにすることで、開始画面の文字画像が有利状態の名称を示す文字の画像を含まない遊技機よりも有利状態の開始時に遊技者が有利状態に制御される旨を認識し易くなる。
なお、本実施形態のように、開始画面の文字画像には有利状態の名称を示す文字が含まれることが好ましいが、開始画面の文字画像に有利状態の名称を示す文字が含まれなくてもよい。
【００３０】
また、本実施形態に係る遊技機１によれば、終了画面の文字画像には、有利状態の履歴を示す「○△ＢＯＮＵＳ終了」や「ＴＯＴＡＬ  ＸＹＺ」の文字が含まれる。
このようにすることで、終了画面の文字画像が有利状態の履歴を示す文字の画像を含まない遊技機よりも有利状態の終了時に遊技者が有利状態に制御された成果を認識し易くなる。
なお、本実施形態のように、終了画面の文字画像には有利状態の履歴を示す文字が含まれることが好ましいが、終了画面の文字画像に有利状態の履歴を示す文字が含まれなくてもよい。
【００３１】
また、本実施形態に係る遊技機１によれば、サブ制御部９１は、終了画面を表示するときに有利状態の結果としての遊技用価値の獲得数が所定数未満であれば遊技用価値の獲得数を示す「ＴＯＴＡＬ  ＸＹＺ」の文字画像を表示せず「○△ＢＯＮＵＳ終了」の文字画像のみを表示する。
このようにすることで、遊技用価値の獲得数が所定数未満であっても「ＴＯＴＡＬ  ＸＹＺ」の文字画像を表示する遊技機よりも有利状態の履歴が遊技者にとって有利でなかったことを遊技者が認識し難くなり、有利状態の成果が悪かったことを過度に認識させないようにすることができる。
なお、本実施形態のように、終了画面を表示するときに遊技用価値の獲得数が所定数未満であれば遊技用価値の獲得数を示す文字画像を表示しないことが好ましいが、終了画面を表示するときに遊技用価値の獲得数が所定数未満であっても遊技用価値の獲得数を示す文字画像を表示してもよい。
【００３２】
［実施形態２］
上記実施形態１では、開始画面の表示終了後に操作示唆表示を行うものを例示したが、開始画面の表示中に操作示唆表示を行ってもよい。以下、開始画面の表示中に操作示唆表示を行う実施形態２について説明する。
なお、本実施形態では、実施形態１と同様の構成及び処理となる部分についてはその詳細な説明を省略し、主として上記実施形態１とは異なる部分について説明する。
【００３３】
図４および図５を参照して有利状態制御中の液晶表示器５１の表示について説明する。図４に示すタイミングチャートは、上から順に、有利状態の制御の有無（制御・非制御）、開始画面の表示の有無（表示・非表示）、終了画面の表示の有無（表示・非表示）、所定操作の受け付けの有無（受付・非受付）、操作示唆表示の有無（表示・縮小表示・非表示）を示す。
【００３４】
図４に示すように、ｔ１において、メイン制御部４１は、有利状態の制御を開始し、サブ制御部９１は、開始画面の表示を開始し、ｔ２において、メイン制御部４１は、所定操作の受け付けを有効化する。このとき、サブ制御部９１は、操作示唆表示を開始する。ここで、本実施形態の操作示唆表示は、開始画面の表示中であれば縮小表示が行われる。具体的には、サブ制御部９１は、図５（ａ）〜図５（ｃ）に示すように、所定操作の名称が「□▽操作」であれば「□▽操作！！」との文字を四角の枠で囲んだ画像を開始画面の右側下部に小さく表示する。
【００３５】
図２に戻り、ｔ２とｔ３との間のｔ１１において、サブ制御部９１は、開始画面の表示を終了する。このとき、サブ制御部９１は、図５（ｄ）に示すように、操作示唆表示を縮小表示から通常の表示に変更する。また、ｔ３において、メイン制御部４１は、所定操作の受け付けを無効化し、サブ制御部９１は、操作示唆表示を終了する。また、ｔ４において、メイン制御部４１は、所定操作の受け付けを再び有効化し、サブ制御部９１は、操作示唆表示を通常の表示で開始する。そして、ｔ５において、メイン制御部４１は、所定操作の受け付けを無効化し、サブ制御部９１は、操作示唆表示を終了して終了画面の表示を開始し、ｔ６において、サブ制御部９１は、終了画面の表示を終了する。
【００３６】
以上説明したように、本実施形態に係る遊技機１によれば、サブ制御部９１は、メイン制御部４１が所定操作を有効に受け付けているときに開始画面が表示中であれば縮小表示で操作示唆表示を行っている。
このようにすることで、開始画面が表示中であっても縮小表示で操作示唆表示を行われない遊技機よりも開始画面が操作示唆表示よりも目立ち易くなり、有利状態の開始に関する遊技者の印象を高めることができ、遊技の興趣が向上する。また、このようにすることで、開始画面が表示中であっても縮小表示で操作示唆表示を行われない遊技機よりも動画像である背景画像が表示される開始画面の表示中に操作示唆表示が行われて遊技者が混乱して所定操作とは異なる操作を行ってしまうことを低減できる。
なお、本実施形態では、所定操作を有効に受け付けているときに開始画面が表示中であれば縮小表示で操作示唆表示を行っているが、開始画面表示中に操作示唆表示が制限されている限りにおいてこれに限定されず、例えば、操作示唆表示が複数の画像の表示である場合であれば開始画面表示中に当該複数の画像のうちの一部の画像を表示してもよい。また、例えば、開始画面表示中であれば開始画面表示中でないときよりも操作示唆表示の表示色を目立たない色（例えば、薄い色、淡い色、暗い色）に変更したり、開始画面表示中であれば操作示唆表示の表示部分だけ輝度を低くしたりしてもよい。また、例えば、液晶表示器５１とは異なるサブ液晶表示器を新たに設けて開始画面表示中であればサブ液晶表示器においてのみ操作示唆表示を行い、上述したこれらの目立たない表示態様で表示してもよい。
【００３７】
また、本実施形態に係る遊技機１によれば、サブ制御部９１は、開始画面の表示終了後に操作示唆表示を縮小表示から通常の表示に戻している。
このような構成によれば、開始画面の表示終了後も縮小表示で操作示唆表示を行う遊技機よりも操作示唆表示に遊技者の注目を集め易くすることができる。
なお、本実施形態では、開始画面の表示終了と同時に操作示唆表示を縮小表示から通常の表示に戻しているが、これに限定されず、開始画面の表示終了後から所定期間が経過したときに操作示唆表示を縮小表示から通常の表示に戻してもよい。
なお、本実施形態のように、開始画面の表示終了後に操作示唆表示を縮小表示から通常の表示に戻すことが好ましいが、開始画面の表示中に縮小表示で操作示唆表示を行ったときには開始画面の表示終了後に操作示唆表示を縮小表示から通常の表示に戻さなくてもよい。
【００３８】
［実施形態３］
上記実施形態１、２では、操作示唆表示の終了後に終了画面を表示するものを例示したが、操作示唆表示中に終了画面を表示してもよい。以下、操作示唆表示中に終了画面を表示する実施形態３について説明する。
なお、本実施形態では、実施形態１、２と同様の構成及び処理となる部分についてはその詳細な説明を省略し、主として上記実施形態１、２とは異なる部分について説明する。
【００３９】
図６および図７を参照して有利状態制御中の液晶表示器５１の表示について説明する。図６に示すタイミングチャートは、上から順に、有利状態の制御の有無（制御・非制御）、開始画面の表示の有無（表示・非表示）、終了画面の表示の有無（表示・非表示）、所定操作の受け付けの有無（受付（□▽操作）・受付（○▽操作）・非受付）、操作示唆表示の有無（表示（□▽操作）・表示（○▽操作）・非表示）を示す。
【００４０】
図４に示すように、ｔ１において、メイン制御部４１は、有利状態の制御を開始し、ｔ１とｔ２との間のｔ２１において、サブ制御部９１は、開始画面の表示を開始する。また、ｔ２において、メイン制御部４１は、所定操作の受け付けを有効化し、サブ制御部９１は、開始画面の表示を終了して操作示唆表示を開始する。このとき、操作示唆表示は、図７（ａ）に示すように、有利状態制御中における遊技者にとって有利となる操作（第１所定操作）の名称が「□▽操作」であれば「□▽操作で狙え！！」との文字を四角の枠で囲んだ画像の表示であり、液晶表示器５１の表示領域上部で行われる。また、ｔ３において、メイン制御部４１は、所定操作の受け付けを無効化し、サブ制御部９１は、操作示唆表示を終了し、ｔ４において、メイン制御部４１は、所定操作の受け付けを再び有効化し、サブ制御部９１は、操作示唆表示を開始する。
【００４１】
また、ｔ４とｔ５との間のｔ２２において、メイン制御部４１は、有利状態の制御を終了して所定操作の受け付けを無効化し、サブ制御部９１は、終了画面の表示を開始する。このとき、サブ制御部９１は、操作示唆表示を継続しており、このときの操作示唆表示は、図７（ｂ）に示すように、有利状態制御終了後における遊技者にとって有利となる操作（第２所定操作）の名称が「○▽操作」であれば「○▽操作に変更！！」との文字を四角の枠で囲んだ画像の表示である。ここで、有利状態制御終了後、すなわち、通常状態制御中における遊技者にとって有利となる操作とは、例えば、スロットマシンであれば、順押し操作であり、パチンコ遊技機であれば、左打ちの操作である。なお、操作示唆表示は、液晶表示器５１の表示領域上部、すなわち、終了画面下部の文字画像の上方で背景画像に重複して行われている。そして、ｔ５において、サブ制御部９１は、図７（ｃ）に示すように、操作示唆表示を終了して終了画面のみを表示した後、ｔ６において、サブ制御部９１は、終了画面の表示を終了する。
【００４２】
以上説明したように、本実施形態に係る遊技機１によれば、操作示唆表示を変更することによって有利状態制御中における遊技者にとって有利な操作を示唆するだけでなく通常状態制御中における遊技者にとって有利な操作も示唆することも可能となっている。また、サブ制御部９１は、通常状態制御中における通常の操作（遊技者にとって有利な操作）の受け付けを行っており操作示唆表示によって当該通常の操作を示唆しているときに終了画面を表示している。
このようにすることで、有利状態制御終了時に終了画面による有利状態の終了だけでなく通常状態制御中における遊技者にとって有利な操作も示唆することができる。
なお、本実施形態のように、終了画面の表示中であっても操作示唆表示によって通常の操作を示唆することが好ましいが、終了画面の表示中であれば操作示唆表示によって通常の操作を示唆しなくてもよく、例えば、終了画面の表示終了後に操作示唆表示によって通常の操作を示唆してもよい。
【００４３】
また、本実施形態に係る遊技機１によれば、サブ制御部９１は、終了画面の文字画像に重畳しないように操作示唆表示を行っている。
このようにすることで、遊技者が終了画面の文字画像の表示と操作示唆表示とをそれぞれ同時に認識できる。
なお、本実施形態のように、終了画面の文字画像に重畳しないように操作示唆表示を行うことが好ましいが、終了画面の文字画像に重畳して操作示唆表示が行われてもよい。
【００４４】
また、本実施形態に係る遊技機１によれば、サブ制御部９１は、操作示唆表示を終了した後も終了画面の表示を継続しており、終了画面の表示期間には操作示唆表示が行われない期間が含まれている。
このようにすることで、遊技者が終了画面の表示のみを認識する期間を担保できる。
なお、本実施形態のように、終了画面の表示期間に操作示唆表示が行われない期間が含まれていることが好ましいが、後述する実施形態４のように、終了画面の表示期間に操作示唆表示が行われない期間が含まれていなくてもよい。
【００４５】
なお、本実施形態では、有利状態の制御開始から所定期間が経過したときに開始画面を表示したが、これに限定されず、有利状態の制御開始の直前に開始画面を表示してもよい。また、本実施形態では、有利状態の制御終了と同時に終了画面を表示したが、これに限定されず、例えば、開始画面と同様に有利状態の制御終了から所定期間が経過したときに終了画面を表示してもよく、有利状態の制御終了の直前に終了画面を表示してもよい。
【００４６】
［実施形態４］
上記実施形態１〜３では、操作示唆表示が所定操作を示唆するものを例示したが、操作示唆表示中が所定操作とは異なる操作を示唆してもよい。以下、操作示唆表示によって演出設定操作を示唆する実施形態４について説明する。
なお、本実施形態では、実施形態１〜３と同様の構成及び処理となる部分についてはその詳細な説明を省略し、主として上記実施形態１〜３とは異なる部分について説明する。
【００４７】
図８および図９を参照して有利状態制御中の液晶表示器５１の表示について説明する。図８に示すタイミングチャートは、上から順に、有利状態の制御の有無（制御・非制御）、開始画面の表示の有無（表示・非表示）、終了画面の表示の有無（表示・非表示）、所定操作の受け付けの有無（受付・非受付）、演出設定操作の受け付けの有無（受付・非受付）、操作示唆表示の有無（表示（演出設定操作）・表示（所定操作）・非表示）を示す。
【００４８】
図８に示すように、ｔ１において、メイン制御部４１は、有利状態の制御を開始し、サブ制御部９１は、開始画面の表示を開始する。また、ｔ２において、メイン制御部４１は、所定操作の受け付けを有効化し、サブ制御部９１は、開始画面の表示を終了して操作示唆表示を開始する。また、ｔ３において、メイン制御部４１は、所定操作の受け付けを無効化し、サブ制御部９１は、操作示唆表示を終了し、ｔ４において、メイン制御部４１は、所定操作の受け付けを再び有効化し、サブ制御部９１は、操作示唆表示を開始する。また、ｔ５において、メイン制御部４１は、有利状態の制御を終了して所定操作の受け付けを無効化し、サブ制御部９１は、終了画面の表示を開始する。このとき、サブ制御部９１は、演出用スイッチ５６および十字キースイッチ５７の操作による演出設定操作の受け付けを有効化する。また、このとき、サブ制御部９１は、操作示唆表示を継続しており、このときの操作示唆表示は、図９（ａ）に示すように、演出設定操作（特定操作）の名称が「△○操作」であれば「△○操作で演出設定可能」との文字を四角の枠で囲んだ画像の表示の表示である。また、操作示唆表示は、液晶表示器５１の表示領域上部、すなわち、終了画面下部の文字画像の上方で背景画像に重複して行われている。そして、ｔ６において、サブ制御部９１は、図９（ｂ）に示すように、終了画面の表示を終了して操作示唆表示のみを所定期間に亘って行っている。
【００４９】
以上説明したように、本実施形態に係る遊技機１によれば、操作示唆表示を変更することによって有利状態制御中における遊技者にとって有利な操作を示唆するだけでなく有利状態制御終了後における演出設定操作も示唆することも可能となっている。また、サブ制御部９１は、有利状態制御終了後において演出設定操作の受け付けを行っており操作示唆表示によって当該演出設定操作を示唆しているときに終了画面を表示している。
このようにすることで、有利状態制御終了時に終了画面による有利状態の終了だけでなく有利状態制御終了後における演出設定操作も示唆することができる。
なお、本実施形態のように、終了画面の表示中であっても操作示唆表示によって演出設定操作を示唆することが好ましいが、終了画面の表示中であれば操作示唆表示によって演出設定操作を示唆しなくてもよく、例えば、終了画面の表示終了後に操作示唆表示によって演出設定操作を示唆してもよい。
【００５０】
［実施形態５］
上記実施形態１〜４では、有利状態制御中に演出設定操作のような特別操作の受け付けをしないものを例示したが、有利状態制御中に特別操作の受け付けをしてもよい。以下、有利状態制御中に音量調整操作を受け付ける実施形態５について説明する。
なお、本実施形態では、実施形態１〜４と同様の構成及び処理となる部分についてはその詳細な説明を省略し、主として上記実施形態１〜４とは異なる部分について説明する。
【００５１】
図１０および図１１を参照して有利状態制御中の液晶表示器５１の表示について説明する。図１０に示すタイミングチャートは、上から順に、有利状態の制御の有無（制御・非制御）、開始画面の表示の有無（表示・非表示）、終了画面の表示の有無（表示・非表示）、所定操作の受け付けの有無（受付・非受付）、操作示唆表示の有無（表示・非表示）、音量調整操作の受け付けの有無（受付・非受付）、遊技者による音量調整操作の有無（操作・非操作）、音量調整表示の有無（表示・非表示）を示す。
【００５２】
図１０に示すように、ｔ１以前において、サブ制御部９１は、十字キースイッチ５７の操作による音量調整操作の受け付けを有効化している。具体的には、サブ制御部９１は、十字キースイッチ５７の左スイッチ操作を受け付ける度に音量を２０％ずつ小さくする一方、十字キースイッチ５７の右スイッチ操作を受け付ける度に音量を２０％ずつ大きくする制御を行う。また、ｔ１において、メイン制御部４１は、有利状態の制御を開始し、サブ制御部９１は、開始画面の表示を開始する。また、ｔ１とｔ２との間のｔ３１において、遊技者による音量調整操作が行われると、サブ制御部９１は、スピーカ５３、５４から出力する音量を調整して音量調整表示を開始する。よって、このとき、図１１（ａ）に示すように、開始画面の表示中に音量調整表示が行われる。ここで、音量調整表示とは、遊技機１が演出として音声等を出力するときの音量を調整するための表示である。本実施形態の音量調整表示は、メータ画像の表示であり、液晶表示器５１の表示領域左側下端部で行われている。
【００５３】
具体的には、本実施形態の音量調整表示は、スピーカ５３、５４から出力される音量に応じた目盛り量を示す横長棒状のメータに音量を示す「ＶＯＬ」の文字が記載された画像の表示である。例えば、サブ制御部９１は、音量が最大値の６０％であれば６０％（３目盛り）のメータの画像を表示し、十字キースイッチ５７の左スイッチ操作を受け付ける度に１目盛りずつ減少したメータの画像に表示を更新する一方、十字キースイッチ５７の右スイッチ操作を受け付ける度に１目盛りずつ増加したメータの画像に表示を更新する。
【００５４】
また、ｔ３１とｔ２との間のｔ３２において、遊技者による音量調整操作が終了する一方、サブ制御部９１は、音量調整表示を継続し、ｔ２において、開始画面の表示を終了する。このとき、サブ制御部９１は、音量調整表示を終了する。なお、本実施形態では、開始画面の表示終了と同時に音量調整表示を終了したが、これに限定されず、開始画面の表示終了よりも前に音量調整表示を終了してもよく、開始画面の表示終了よりも後に音量調整表示を終了してもよい。また、このとき、メイン制御部４１は、所定操作の受け付けを有効化し、サブ制御部９１は、開始画面の表示を終了して操作示唆表示を開始する。
【００５５】
また、ｔ２とｔ３との間のｔ３３において、遊技者による音量調整操作が行われると、サブ制御部９１は、スピーカ５３、５４から出力する音量を調整して音量調整表示を開始する。よって、このとき、図１１（ｃ）に示すように、操作示唆表示中に音量調整表示が行われる。また、ｔ３３とｔ３との間のｔ３４において、遊技者による音量調整操作が終了する一方、サブ制御部９１は、音量調整表示を継続し、ｔ３４とｔ３との間のｔ３５において、音量調整表示を終了して操作示唆表示のみを継続する。なお、本実施形態では、操作示唆表示の終了よりも前に音量調整表示を終了したが、これに限定されず、操作示唆表示の終了と同時に音量調整表示を終了してもよく、操作示唆表示の終了よりも後に音量調整表示を終了してもよい。
【００５６】
また、ｔ３において、メイン制御部４１は、所定操作の受け付けを無効化し、サブ制御部９１は、操作示唆表示を終了し、ｔ４において、メイン制御部４１は、所定操作の受け付けを再び有効化し、サブ制御部９１は、操作示唆表示を開始する。また、ｔ５において、メイン制御部４１は、有利状態の制御を終了して所定操作の受け付けを無効化し、サブ制御部９１は、終了画面の表示を開始する。また、ｔ５とｔ６との間のｔ３６において、遊技者による音量調整操作が行われると、サブ制御部９１は、スピーカ５３、５４から出力する音量を調整して音量調整表示を開始する。よって、このとき、図１１（ｂ）に示すように、終了画面の表示中に音量調整表示が行われる。また、ｔ３６とｔ６との間のｔ３７において、遊技者による音量調整操作が終了する一方、サブ制御部９１は、音量調整表示を継続し、ｔ６において、サブ制御部９１は、終了画面の表示を終了する。また、このとき、サブ制御部９１は、音量調整表示を終了する。なお、本実施形態では、終了画面の表示終了と同時に音量調整表示を終了したが、これに限定されず、終了画面の表示終了よりも前に音量調整表示を終了してもよく、終了画面の表示終了よりも後に音量調整表示を終了してもよい。
【００５７】
以上説明したように、本実施形態に係る遊技機１によれば、サブ制御部９１は、遊技者による音量調整操作を受け付けたときに音量調整表示を行うことが可能であり、開始画面の表示中に音量調整操作を受け付けたときに音量調整表示を行っている。
このようにすることで、開始画面の表示中であっても音量調整表示が行われることが妨げられないようにすることができる。
なお、本実施形態のように、開始画面の表示中に音量調整操作を受け付けたときに音量調整表示を行うことが好ましいが、開始画面の表示中であれば音量調整操作を受け付けたときに音量調整表示を行わなくてもよい。
【００５８】
また、本実施形態に係る遊技機１によれば、サブ制御部９１は、終了画面の表示中や操作示唆表示中に音量調整操作を受け付けたときにも音量調整表示を行っている。
このようにすることで、終了画面の表示中や操作示唆表示中であっても音量調整表示が行われることが妨げられないようにすることができる。
なお、本実施形態のように、終了画面の表示中や操作示唆表示中に音量調整操作を受け付けたときに音量調整表示を行うことが好ましいが、終了画面の表示中や操作示唆表示中であれば音量調整操作を受け付けたときに音量調整表示を行わなくてもよい。
【００５９】
［実施形態６］
上記実施形態１〜５では、有利状態制御中に液晶表示器５１が画像を表示するものを例示したが、有利状態制御中に液晶表示器５１以外の演出装置が演出を行ってもよい。以下、有利状態制御中に演出効果ＬＥＤ５２が発光したりスピーカ５３による音声出力を行ったりする実施形態６について説明する。
なお、本実施形態では、実施形態１〜５と同様の構成及び処理となる部分についてはその詳細な説明を省略し、主として上記実施形態１〜５とは異なる部分について説明する。
【００６０】
図１２および図１３を参照して有利状態制御中の液晶表示器５１の表示、演出効果ＬＥＤ５２の発光、スピーカ５３、５４の出力について説明する。図１２に示すタイミングチャートは、上から順に、有利状態の制御の有無（制御・非制御）、開始画面の表示の有無（表示（第２画像データ）・表示（第１画像データ）・非表示）、開始画面の文字画像のエフェクト発生の有無（発生・非発生）、演出効果ＬＥＤ５２の白色発光の有無（出力・非出力）、スピーカ５３、５４からの音声出力の有無（出力・非出力）を示す。
【００６１】
図１２に示すように、ｔ１において、メイン制御部４１は、有利状態の制御を開始し、サブ制御部９１は、開始画面の表示を開始する。本実施形態では、開始画面において、図１３（ａ）〜（ｃ）に示すように、「○△ＢＯＮＵＳ！！」との文字画像が液晶表示器５１の表示領域下端から上方向にスライド移動しながら表示されるとともに、煙の画像と煙の画像の上方で上下方向に延びる複数の直線（移動線）の画像を含む背景画像が表示領域上端から下方向にスライド移動しながら表示される。
【００６２】
具体的には、開始画面では、文字画像および背景画像がそれぞれスライド移動して、図１３（ａ）に示すように、「○△」の文字画像が表示領域下端部に表示されるとともに煙と移動線の背景画像が表示領域上端部に表示された後、図１３（ｂ）に示すように、「○△ＢＯＮＵＳ！！」の文字画像が表示領域下部に表示されるとともに煙と移動線の背景画像が表示領域上部に表示される。その後、開始画面では、文字画像および背景画像がさらにスライド移動して、図１３（ｃ）に示すように、「○△ＢＯＮＵＳ！！」の文字画像が表示領域中央部に表示されるとともに煙と移動線の背景画像が表示領域全体に表示される。また、開始画面では、「○△ＢＯＮＵＳ！！」との文字が表示された後、図１３（ｄ）に示すように、文字画像にエフェクトが発生するとともに、背景画像が爆発の画像に変化し、図１３（ｅ）に示すように、文字画像にエフェクトが解除されるとともに、背景画像の爆発の画像が大きくなる。そして、背景画像の爆発の画像が大きくなった後、図１３（ｆ）に示すように、背景画像の爆発の画像が元の大きさに戻り、図１３（ｇ）に示すように、文字画像にエフェクトが再度発生する。その後、図１３（ｅ）〜図１３（ｇ）の表示が繰り返される（ループ表示される）。
【００６３】
なお、本実施形態では、図１３（ａ）〜図１３（ｃ）までの開始画面の第１画像データと図１３（ｄ）〜図１３（ｇ）までの開始画面の第２画像データとが別々に分けてサブ制御部９１の図示しないＲＯＭに記憶されている。すなわち、サブ制御部９１は、ｔ１から図１３（ａ）〜図１３（ｃ）に示す画像を表示可能な第１期間が経過するｔ４１まで第１画像データを用いて開始画面を表示する。また、ｔ４１において、サブ制御部９１は、第１画像データを用いた開始画面の表示を終了して第２画像データを用いた開始画面の１回目の表示を開始する。このとき、開始画面の文字画像にエフェクトが発生し、サブ制御部９１は、エフェクトに合わせて演出効果ＬＥＤ５２に白色発光を開始させるとともに、スピーカ５３、５４に音声（例えば、「○△ボーナス！！」との音声）の出力を開始させる。
【００６４】
また、ｔ４１から所定期間が経過したｔ４２において、開始画面の文字画像のエフェクトが解除され、サブ制御部９１は、演出効果ＬＥＤ５２の白色発光を終了させる。このとき、スピーカ５３、５４からの音声の出力は継続しており、ｔ４２から音声出力期間（例えば２秒間）が経過したｔ４３において、スピーカ５３、５４からの音声の出力が終了する。その後、ｔ４１から図１３（ｄ）〜図１３（ｅ）に示す画像を表示可能な１回目の表示可能期間が経過したｔ４４において、サブ制御部９１は、第２画像データを用いた開始画面の１回目の表示を終了して第２画像データを用いた開始画面の２回目の表示を開始する。このとき、開始画面の文字画像にエフェクトが発生し、サブ制御部９１は、エフェクトに合わせて演出効果ＬＥＤ５２に白色発光を開始させる。また、ｔ４４から所定期間が経過したｔ４５において、開始画面の文字画像のエフェクトが解除され、サブ制御部９１は、演出効果ＬＥＤ５２の白色発光を終了させる。
【００６５】
また、ｔ４５から図１３（ｄ）〜図１３（ｅ）に示す画像を表示可能な２回目の表示可能期間が経過したｔ４６において、サブ制御部９１は、第２画像データを用いた開始画面の２回目の表示を終了して第２画像データを用いた開始画面の３回目の表示を開始する。このとき、開始画面の文字画像にエフェクトが発生し、サブ制御部９１は、エフェクトに合わせて演出効果ＬＥＤ５２に白色発光を開始させる。また、ｔ４６から所定期間が経過したｔ４７において、開始画面の文字画像のエフェクトが解除され、サブ制御部９１は、演出効果ＬＥＤ５２の白色発光を終了させる。また、ｔ４７から図１３（ｄ）〜図１３（ｅ）に示す画像を表示可能な３回目の表示可能期間が経過したｔ４８において、サブ制御部９１は、第２画像データを用いた開始画面の３回目の表示を終了して第２画像データを用いた開始画面の４回目の表示を開始する。このとき、開始画面の文字画像にエフェクトが発生し、サブ制御部９１は、エフェクトに合わせて演出効果ＬＥＤ５２に白色発光を開始させる。また、ｔ４８から所定期間が経過したｔ４９において、開始画面の文字画像のエフェクトが解除され、サブ制御部９１は、演出効果ＬＥＤ５２の白色発光を終了させる。その後、サブ制御部９１は、第２画像データを用いた開始画面のループ表示と演出用ＬＥＤ５２の白色発光を開始画面の表示が終了するまで繰り返す。
【００６６】
以上説明したように、本実施形態に係る遊技機１によれば、サブ制御部９１は、開始画面の文字画像を上方向にスライド移動させる表示を行うとともに、開始画面の背景画像を逆方向である下方向にスライド移動させる表示を行っている。
このようにすることで、開始画面の文字画像を上方向にスライド移動させる表示を行わない遊技機や開始画面の背景画像を文字画像がスライド移動する上方向の逆方向である下方向にスライド移動させる表示を行わない遊技機よりも開始画面の文字画像に対する遊技者の注目を高めることができ、特定状態の開始に関する遊技者の印象を高めることができ、遊技の興趣が向上する。
【００６７】
なお、本実施形態では、開始画面において文字画像が液晶表示器５１の表示領域下端から上方向にスライド移動しながら表示されるとともに背景画像が表示領域上端から下方向にスライド移動しながら表示されているが、文字画像の移動する方向とは逆方向に背景画像が移動する限りにおいてこれに限定されず、例えば、文字画像が液晶表示器５１の表示領域上端から下方向にスライド移動しながら表示されるとともに背景画像が表示領域下端から上方向にスライド移動しながら表示されてもよい。また、例えば、図１４（ａ）に示す変更例１のように、文字画像が液晶表示器５１の表示領域右端から左方向にスライド移動されながら表示されるとともに背景画像が表示領域左端から右方向にスライド移動させながら表示されてもよく、文字画像が液晶表示器５１の表示領域左端から右方向にスライド移動させながら表示されるとともに背景画像が表示領域右端から左方向にスライド移動させながら表示されてもよい。
【００６８】
また、例えば、文字画像を遊技者にとっての手前方向である前方向に移動させながら表示されるとともに背景画像が遊技者にとっての奥方向である後方向に移動させながら表示されてもよい。具体的には、図１４（ｂ）に示す変更例２のように、文字画像が液晶表示器５１の表示領域中央部において縮小表示してから元の大きさになるまで拡大表示されるとともに液晶表示器５１の表示領域の四隅から中央部に向かって延びる直線（集中線）の画像を含む背景画像が表示されてもよい。また、例えば、文字画像を後方向に移動させながら表示されるとともに背景画像が前方向に移動させながら表示されてもよい。具体的には、文字画像が液晶表示器５１の表示領域中央部において拡大表示してから元の大きさになるまで縮小表示されるとともに液晶表示器５１の表示領域中央部から外方に向かって放射状に延びる複数の直線（放射線）の画像を含む背景画像が表示されてもよい。
【００６９】
なお、本実施形態や変更例１、２のように、開始画面の文字画像を所定方向に移動させる表示を行うとともに、開始画面の背景画像を所定方向とは逆方向に移動させる表示を行うことが好ましいが、開始画面の文字画像を所定方向に移動させる表示を行わなくてもよく、開始画面の文字画像を所定方向に移動させる表示を行ったとしても開始画面の背景画像を所定方向とは逆方向に移動させる表示を行わなくてもよい。よって、例えば、開始画面の文字画像を移動させる表示を行わずに開始画面の背景画像を所定方向に移動させる表示を行ってもよく、開始画面の文字画像を所定方向に移動させる表示を行う一方で開始画面の背景画像を移動させる表示を行わなくてもよく、開始画面の文字画像および背景画像を所定方向に移動させる表示を行ってもよく、開始画面の文字画像および背景画像を移動させる表示を行わなくてもよい。
【００７０】
また、本実施形態に係る遊技機１によれば、サブ制御部９１は、開始画面を表示するために用いられる画像データには、開始画面の表示開始から第１期間が経過するまで用いられる第１画像データと、第１期間が経過した後に用いられる第２画像データとが含まれている。そして、サブ制御部９１は、第１期間が経過した後、第２画像データを繰り返し用いて開始画面を表示している（ループ表示している）。
このようにすることで、開始画面の表示期間の変動に対応することができ、例えば、スロットマシンにおいて、開始画面を次のゲームを開始するスタートスイッチの操作（レバーオン、スタート操作）が遊技者によって行われるまで表示する場合であっても開始画面の表示を最後まで継続できる。この結果、第２画像データを繰り返し用いて開始画面を表示しない遊技機よりも画像データを記憶するサブ制御部９１のＲＯＭの記憶領域を低減できる。
【００７１】
なお、本実施形態のように、開始画面を表示するために用いられる画像データに開始画面の表示開始から第１期間が経過するまで用いられる第１画像データと第１期間が経過した後に用いられる第２画像データとが含まれていることが好ましいが、開始画面を表示するために用いられる画像データは開始画面の表示開始から第１期間が経過するまで用いられる画像データと第１期間が経過した後に用いられる画像データとが一つの画像データとして纏められていてもよい。この場合、第１期間が経過した後に用いられる画像データの部分のみを繰り返し表示できるように制御する必要がある。
なお、本実施形態のように、第２画像データを繰り返し用いて第１期間経過後の開始画面を表示（ループ表示）することが好ましいが、第２画像データを繰り返し用いずに第１期間経過後の開始画面を表示しなくてもよい。この場合、第２画像データは開始画面の表示を最後まで継続できるように長時間の動画像の画像データとなり、ＲＯＭの記憶容量が増大する可能性があるため、開始画面の表示期間は任意の期間ではなく特定期間であることが好ましい。
【００７２】
また、本実施形態に係る遊技機１によれば、サブ制御部９１は、第２画像データを用いた開始画面の表示を開始するときにスピーカ５３、５４から音声を出力させている。
このようにすることで、第２画像データを用いた開始画面の表示開始に関連して音声を出力しない遊技機よりも第２画像データを用いた開始画面の表示開始に同期して音声を出力し易くすることができる。
なお、本実施形態では、第２画像データを用いた開始画面の表示開始と同時にスピーカ５３、５４からの音声出力を開始しているが、これに限定されず、例えば、第２画像データを用いた開始画面の表示開始から所定期間が経過したときにスピーカ５３、５４からの音声出力を開始してもよい。
なお、本実施形態のように、第２画像データを用いた開始画面の表示を開始するときにスピーカ５３、５４から音声を出力させることが好ましいが、第２画像データを用いた開始画面の表示開始に関わらずスピーカ５３、５４から音声を出力させてもよい。
【００７３】
また、本実施形態に係る遊技機１によれば、サブ制御部９１は、第２画像データを用いて開始画面が表示され、文字画像のエフェクトが発生するときに液晶表示器５１の近傍（具体的には、上方・左方・右方）に設けられた演出効果ＬＥＤ５２を白色で発光させる。
このようにすることで、文字画像のエフェクトが発生するときに液晶表示器の近傍に設けられた演出効果ＬＥＤを白色で発光させない遊技機よりも開始画面を表示する演出の演出効果を高めて文字画像に対する遊技者の注目を高めることができる。
【００７４】
なお、本実施形態では、文字画像のエフェクトが発生するときに演出効果ＬＥＤ５２を白色で発光させているが、演出効果ＬＥＤ５２を発光色については白色に限定されず、例えば、演出効果ＬＥＤ５２を赤色、緑色、黄色、青色等の発光色で発光させてもよい。
なお、本実施形態では、文字画像のエフェクトが発生するときに演出効果ＬＥＤ５２を発光させているが、演出効果ＬＥＤ５２を発光させるタイミングについては文字画像のエフェクトが発生するときに限定されず、例えば、開始画面の表示が開始されたとき（図３（ａ）の（ａ１）参照）や、文字画像の全ての文字が表示されたとき（図３（ａ）の（ａ３）参照）に演出効果ＬＥＤ５２を発光させてもよい。
【００７５】
なお、本実施形態のように、文字画像のエフェクトが発生するときに液晶表示器５１の近傍の演出効果ＬＥＤ５２を発光させることが好ましいが、文字画像のエフェクトが発生するときに液晶表示器５１の近傍に設けられていない演出効果ＬＥＤ５２を発光させてもよい。
なお、本実施形態のように、文字画像のエフェクトが発生するときに演出効果ＬＥＤ５２を発光させることが好ましいが、文字画像のエフェクトが発生するときに演出効果ＬＥＤ５２を発光させなくてもよい。
【００７６】
［実施形態７］
上記実施形態１〜６では、有利状態制御後に終了画面を表示するものを例示したが、終了画面の表示終了後に次の状態に移行する旨の表示を行ってもよい。以下、終了画面の表示終了後に次の状態に移行する旨の表示を行う実施形態７について説明する。
なお、本実施形態では、実施形態１〜６と同様の構成及び処理となる部分についてはその詳細な説明を省略し、主として上記実施形態１〜６とは異なる部分について説明する。
【００７７】
図１５、図１６および図１７を参照して有利状態制御中の液晶表示器５１の表示について説明する。図１５に示すタイミングチャートは、上から順に、有利状態の制御の有無（制御・非制御）、終了画面の表示の有無（表示・非表示）、移行表示の有無（表示・非表示）、通常画面の表示の有無（表示・非表示）を示し、図１６に示すタイミングチャートは、上から順に、有利状態の制御の有無（制御・非制御）、終了画面の表示の有無（表示・非表示）、復活表示の有無（表示・非表示）、開始画面の表示の有無（表示・非表示）を示す。
【００７８】
図１５、図１６に示すように、ｔ５においてメイン制御部４１が有利状態の制御を終了するとともにサブ制御部９１が終了画面の表示を開始する。その後、メイン制御部４１において有利状態の制御終了後に通常状態の制御を開始することが決定している場合には、図１５に示すように、ｔ６において、サブ制御部９１は、終了画面の表示を終了して移行表示を開始し、ｔ６から所定期間が経過したｔ５１において、サブ制御部９１は、移行表示を終了して通常画面の表示を開始する。ここで、移行表示とは、終了画面の表示を終了したときに通常状態の制御に移行する旨を示す表示である。本実施形態の移行表示は、図１７（ａ）に示すように、終了画面の背景画像が表示された状態でキャラクタが液晶表示器５１の表示領域下部においての左端から右端まで右方向に駆け抜けてゆく動画像の表示である。
【００７９】
具体的には、図１７（ａ）の（ａ１）に示すように、終了画面の文字画像および背景画像を表示した状態から、文字画像の表示のみを非表示した後で表示領域下部の左端よりも左方の非表示領域から右方向に走るキャラクタの画像が移動する表示が行われ、図１７（ａ）の（ａ２）に示すように、キャラクタの画像が表示領域下部の左端部まで移動する。その後、キャラクタがさらに移動し、図１７（ａ）の（ａ３）に示すように、キャラクタの画像が表示領域下部の左右方向中央部まで移動した後、図１７（ａ）の（ａ４）に示すように、キャラクタの画像が表示領域下部の右端部まで移動した後で右端よりも右方の非表示領域まで移動し、図１７（ａ）の（ａ５）に示すように、背景画像のみの表示となる。
また、通常画面とは、通常状態制御中に表示される画面である。本実施形態の通常画面は、図１７（ａ）の（ａ５）に示す背景画像を含む画面である。
【００８０】
一方、メイン制御部４１において有利状態の制御終了後に有利状態の制御を再開することが決定している場合には、図１６に示すように、ｔ６において、サブ制御部９１は、終了画面の表示を終了して復活表示を開始し、ｔ６から所定期間が経過したｔ５１において、サブ制御部９１は、移行表示を終了して開始画面の表示を再開する。ここで、復活表示とは、終了画面の表示を終了したときに特定状態の制御が再開する旨を示す表示である。本実施形態の復活表示は、図１７（ｂ）に示すように、終了画面の背景画像が表示された状態でキャラクタが液晶表示器５１の表示領域下部においての左端から左右方向中央部まで移動してから復活を宣言する動画像の表示である。
【００８１】
具体的には、図１７（ｂ）の（ｂ１）に示すように、終了画面の文字画像および背景画像を表示した状態から、文字画像の表示のみを非表示した後で表示領域下部の左端よりも左方の非表示領域から右方向に走るキャラクタの画像が移動する表示が行われ、図１７（ｂ）の（ｂ２）に示すように、キャラクタの画像が表示領域下部の左端部まで移動する。その後、キャラクタがさらに移動し、図１７（ｂ）の（ｂ３）に示すように、キャラクタの画像が表示領域下部の左右方向中央部まで移動した後、図１７（ｂ）の（ｂ４）に示すように、キャラクタが立ち止まって「復活！！」と発言し、図１７（ｂ）の（ｂ５）に示すように、開始画像の表示が再開される。なお、開始画面の表示再開時においても表示開始時と同様に、図３（ａ）の（ａ１）〜（ａ６）や、図１３（ａ）〜図１３（ｇ）や、図１４（ａ）、図１４（ｂ）に示す動画像が表示されてもよい。
【００８２】
以上説明したように、本実施形態に係る遊技機１によれば、サブ制御部９１は、終了画面の表示を終了して通常画面の表示に移行するときに動画像の表示を含む移行表示を行っている。
このようにすることで、静止画像の背景画像や文字画像が表示される終了画面から動画像の表示を含む移行表示が行われるので、終了画面の表示を終了してから動画像の表示を含む移行表示を行わない遊技機よりも通常状態に応じた表示に移行する旨を遊技者が認識し易くなる。
【００８３】
なお、本実施形態のように、終了画面の表示を終了して通常画面の表示に移行するときに動画像の表示を含む移行表示を行うことが好ましいが、移行表示は動画像でなくてもよい。
なお、本実施形態のように、終了画面の表示を終了して通常画面の表示に移行するときに移行表示を行うことが好ましいが、移行表示を行わずに通常画面を表示してもよい。
【００８４】
また、本実施形態に係る遊技機１によれば、メイン制御部４１は、有利状態の制御終了後に有利状態の制御を再開することが可能であり、サブ制御部９１は、終了画面の表示中に有利状態の制御が再開することが決定していれば終了画面の表示終了後に有利状態の制御が再開する旨を示す動画像の表示を含む復活表示を行っている。
このようにすることで、静止画像の背景画像や文字画像が表示される終了画面から動画像の表示を含む復活表示が行われるので、終了画面の表示を終了してから動画像の表示を含む復活表示を行わない遊技機よりも有利状態の制御が再開する旨を遊技者が認識し易くなる。
【００８５】
なお、本実施形態のように、終了画面終了後の表示が移行表示であるか復活表示であるかを遊技者がすぐに判別できないようにするために、復活表示においてキャラクタが立ち止まって「復活！！」と発言するまでの動画像を移行表示の動画像と同一であることが好ましいが、復活表示の動画像と移行表示の動画像との間に共通する画像を含まないようにしてもよい。
なお、本実施形態のように、終了画面の表示中に有利状態の制御が再開することが決定していれば終了画面の表示終了後に動画像の表示を含む復活表示を行うことが好ましいが、復活表示は動画像でなくてもよい。
なお、本実施形態のように、終了画面の表示中に有利状態の制御が再開することが決定していれば終了画面の表示終了後に動画像の表示を含む復活表示を行うことが好ましいが、復活表示を行わなくてもよい。
【００８６】
［実施形態８］
上記実施形態１〜７では、開始画面を表示してから終了画面を表示するまでの間に有利状態に制御するものを例示したが、開始画面を表示してから終了画面を表示するまでの間に有利状態の種類が変化してもよい。以下、開始画面を表示してから終了画面を表示するまでの間に有利状態の種類が変化する旨の表示を行う実施形態８について説明する。
なお、本実施形態では、実施形態１〜７と同様の構成及び処理となる部分についてはその詳細な説明を省略し、主として上記実施形態１〜７とは異なる部分について説明する。
【００８７】
図１８および図１９を参照して有利状態制御中の液晶表示器５１の表示について説明する。図１８に示すタイミングチャートは、上から順に、有利状態の制御の有無（制御（第２有利状態）・制御（第１有利状態）・非制御）、開始画面の表示の有無（表示・非表示）、終了画面の表示の有無（表示・非表示）、所定操作の受け付けの有無（受付・非受付）、操作示唆表示の有無（表示・非表示）、第２有利状態制御中表示の有無（表示・非表示）を示す。
【００８８】
図１８に示すように、ｔ１において、メイン制御部４１は、第１有利状態の制御を開始し、サブ制御部９１は、開始画面の表示を開始し、ｔ２において、メイン制御部４１は、所定操作の受け付けを有効化し、サブ制御部９１は、操作示唆表示を開始する。ここで、第１有利状態とは、例えば、スロットマシンであれば、有利区間やＡＴやＡＲＴ等である。また、ｔ２とｔ５との間のｔ６１において、メイン制御部４１は、有利状態の制御を第１有利状態から第２有利状態に移行し、サブ制御部９１は、第２有利状態制御中表示を開始する。ここで、第２有利状態とは、例えば、スロットマシンであれば、第１有利状態が有利区間のときにはＡＴやＡＲＴ等であり、第１有利状態がＡＴやＡＲＴのときにはこれらの上乗せ特化ゾーン等である。また、第２有利状態制御中表示とは、第２有利状態に制御している旨を示す表示である。本実施形態の操作示唆表示は、図１９に示すように、第２有利状態の名称が「△□ＺＯＮＥ」であれば「△□ＺＯＮＥ突入！！」との文字を四角の枠で囲んだ画像の表示であり、液晶表示器５１の表示領域下部で行われる。
【００８９】
また、ｔ６１から第２有利状態の制御期間が経過したｔ６２において、メイン制御部４１は、有利状態の制御を第２有利状態から第１有利状態に移行し、サブ制御部９１は、第２有利状態制御中表示を終了して操作示唆表示のみを継続する。そして、ｔ５において、メイン制御部４１は、所定操作の受け付けを無効化し、サブ制御部９１は、操作示唆表示を終了して終了画面の表示を開始し、ｔ６において、サブ制御部９１は、終了画面の表示を終了する。
【００９０】
以上説明したように、本実施形態に係る遊技機１によれば、メイン制御部４１は、特定状態の一例としての有利状態に制御可能であり、有利状態には第１有利状態と第２有利状態が含まれ、開始画面が表示されてから終了画面が表示されるまでの間に有利状態の制御が第１有利状態から第２有利状態に移行したり第２有利状態から第１有利状態に移行したりする。
このようにすることで、遊技者が制御中の有利状態の種類に興味を抱くようになり、開始画面が表示されてから終了画面が表示されるまでの間に有利状態の制御が第１有利状態から第２有利状態に移行したり第２有利状態から第１有利状態に移行したりしない遊技機よりも遊技の興趣が向上する。
【００９１】
なお、本実施形態では、第１有利状態の制御中に第２有利状態に１回制御されているが、これに限定されず、第１有利状態の制御中に第２有利状態に複数回制御されてもよい。
なお、本実施形態では、第２有利状態の制御終了後に第１有利状態の制御が再開しているが、これに限定されず、第２有利状態の制御終了後に第１有利状態の制御が再開しなくてもよい。すなわち、特定状態が制御を中断せずに連続する第１有利状態および第２有利状態であってもよい。
【００９２】
また、本実施形態に係る遊技機１によれば、サブ制御部９１は、第２有利状態の制御中に第２有利状態制御中表示を行っている。
このようにすることで、遊技者が有利状態の制御が第１有利状態から第２有利状態に移行した旨を認識できる。
なお、本実施形態のように、第２有利状態の制御中に第２有利状態制御中表示を行うことが好ましいが、第２有利状態の制御中に第２有利状態制御中表示を行わなくてもよい。
【００９３】
特に、本実施形態に係る遊技機１によれば、操作示唆表示の画像に重畳しないように第２有利状態制御中表示の画像を表示している。
このようにすることで、遊技者が操作示唆表示と第２有利状態制御中表示とをそれぞれ同時に認識できる。
なお、本実施形態のように、操作示唆表示の画像に重畳しないように第２有利状態制御中表示の画像を表示することが好ましいが、操作示唆表示の画像に重畳して第２有利状態制御中表示の画像を表示してもよい。
【００９４】
［実施形態９］
上記実施形態１〜８では、有利状態の制御を終了したときに終了画面を表示するものを例示したが、有利状態の制御を一旦終了しても短期間で有利状態の制御を再開するときには一連の有利状態とみなして最初の有利状態の制御終了時に終了画面を表示せずに一連の有利状態の制御が終了したときに終了画面を表示してもよい。以下、一連の有利状態の制御が終了したときに終了画面を表示する実施形態９について説明する。
なお、本実施形態では、実施形態１〜８と同様の構成及び処理となる部分についてはその詳細な説明を省略し、主として上記実施形態１〜８とは異なる部分について説明する。
【００９５】
図２０および図２１を参照して有利状態制御中の液晶表示器５１の表示について説明する。図２０に示すタイミングチャートは、上から順に、第１有利状態の制御の有無（制御・非制御）、第２有利状態の制御の有無（制御・非制御）、開始画面の表示の有無（表示（第１有利状態）・表示（第２有利状態）・非表示）、終了画面の表示の有無（表示・非表示）、所定操作の受け付けの有無（受付・非受付）、操作示唆表示の有無（表示・非表示）を示す。
【００９６】
図２０に示すように、ｔ１において、メイン制御部４１は、第１有利状態の制御を開始し、サブ制御部９１は、第１有利状態の制御を開始する旨を示す開始画面の表示を開始し、ｔ２において、メイン制御部４１は、所定操作の受け付けを有効化し、サブ制御部９１は、開始画面の表示を終了して操作示唆表示を開始する。ここで、第１有利状態とは、例えば、スロットマシンであれば、ボーナスであり、パチンコ遊技機であれば、大当り状態や小当り状態等である。また、第１有利状態の制御を開始する旨を示す開始画面とは、具体的には、図３（ａ）に示すように、文字画像は、第１有利状態の名称が「○△ＢＯＮＵＳ」であれば「○△ＢＯＮＵＳ」との文字を含む「○△ＢＯＮＵＳ！！」との文字画像であり、背景画像は、「○△ＢＯＮＵＳ！！」との文字画像を囲む爆発の動画像である。また、ｔ２から第１有利状態の制御期間が経過したｔ７１において、メイン制御部４１は、第１有利状態の制御を終了して所定操作の受け付けを無効化し、サブ制御部９１は、操作示唆表示を終了する。
【００９７】
また、ｔ７１から所定期間が経過したｔ７２において、メイン制御部９１は、第２有利状態の制御を開始し、サブ制御部９１は、第２有利状態の制御を開始する旨を示す開始画面の表示を開始し、ｔ７２から所定期間が経過したｔ７３において、メイン制御部４１は、所定操作の受け付けを有効化し、サブ制御部９１は、開始画面の表示を終了して操作示唆表示を開始する。ここで、第２有利状態とは、例えば、スロットマシンであれば、ボーナス終了後のＡＴやＡＲＴ等であり、パチンコ遊技機であれば、大当り遊技状態や小当り遊技状態終了後の確変状態や時短状態等である。また、第２有利状態の制御を開始する旨を示す開始画面とは、具体的には、図２１（ａ）に示すように、文字画像は、第２有利状態の名称が「△□ＺＯＮＥ」であれば「△□ＺＯＮＥ」との文字を含む「△□ＺＯＮＥ！！」との文字画像であり、背景画像は、「△□ＺＯＮＥ！！」との文字画像を囲む爆発の動画像である。なお、図２１（ａ）に示す開始画面については、「図３」を「図２１」とし、「○」を「△」とし、「△」を「□」とし、「ＢＯＮＵＳ」を「ＺＯＮＥ」とすることで、上述した図３の説明と同様の説明となり、冗長な説明を低減するため、詳細な説明を省略する。
【００９８】
また、ｔ７３から第２有利状態の制御期間が経過したｔ５において、メイン制御部４１は、第２有利状態の制御を終了して所定操作の受け付けを無効化し、サブ制御部９１は、操作示唆表示を終了して終了画面の表示を開始し、ｔ６において、サブ制御部９１は、終了画面の表示を終了する。ここで、終了画面は、図２１（ｂ）に示すように、文字画像は、第２有利状態の名称が「△□ＺＯＮＥ」であれば「△□ＺＯＮＥ」を含む文字を四角の枠で囲んだ画像であり、背景画像は、２つの山が並んだ静止画像である。本実施形態では、終了画面において、一連の有利状態の結果としての遊技用価値の獲得数が所定数以上であれば、図２１（ｂ）の（ｂ１）に示すように、「△□ＺＯＮＥ終了」に遊技用価値の獲得数を示す「ＴＯＴＡＬ  ＸＹＺ」の文字が追加表示される一方、獲得数が所定数未満であれば、図２１（ｂ）の（ｂ２）に示すように、「△□ＺＯＮＥ終了」の文字のみが表示される。
【００９９】
以上説明したように、本実施形態に係る遊技機１によれば、メイン制御部４１は、短期間に連続する第１有利状態および第２有利状態に制御可能であり、サブ制御部９１は、第２有利状態の制御終了時に一連の有利状態の制御が終了したとして終了画面を表示する。すなわち、メイン制御部４１は、特定状態に含まれる複数の状態のうちの第１状態の一例としての第１有利状態と第２状態の一例としての第２有利状態とに制御可能であり、サブ制御部９１は、第１有利状態の制御開始から第２有利状態の制御終了までを一連の有利状態（特定状態）として第１有利状態の制御開始時に開始画面を表示するとともに第２有利状態の制御終了時に終了画面を表示する。
このようにすることで、遊技者が開始画面の表示から終了画面の表示までの間に複数の有利状態を含む一連の有利状態に制御されることに興味を抱くようになり、開始画面が表示されてから終了画面が表示されるまでの間に複数の有利状態を含む一連の有利状態に制御しない遊技機よりも遊技の興趣が向上する。
【０１００】
なお、本実施形態では、一連の有利状態の制御として２種類の有利状態（第１有利状態、第２有利状態）の制御を例示したが、これに限定されず、３種類以上の有利状態（第１有利状態、第２有利状態、第３有利状態、…）の制御を一連の有利状態の制御としてもよい。
なお、本実施形態では、一連の有利状態の制御として２種類の有利状態（第１有利状態、第２有利状態）の各１回制御の計２回制御を例示したが、これに限定されず、１種類の有利状態の２回以上の制御を一連の有利状態としてもよい。また、２種類の有利状態の制御であっても１種類の有利状態の２回以上の制御を含む２種類の有利状態の３回以上の制御であってもよく、３種類以上の有利状態の制御であったとしても、少なくとも１種類の有利状態の２回以上の制御を含む３種類以上の有利状態の４回以上の制御であってもよい。
【０１０１】
なお、本実施形態では、第２有利状態の制御開始時にも開始画面を表示したが、第２有利状態の制御開始時に開始画面を表示しなくてもよく、例えば、実施形態８と同様に第２有利状態制御中表示を行ってもよい。
なお、本実施形態では、第１有利状態の制御終了時に終了画面を表示していないが、第１有利状態の制御終了時に終了画面を表示してもよい。この場合、本実施形態のように第２有利状態の制御終了時に一連の有利状態を終了したとして終了画面を表示し、第２有利状態の制御終了時に表示される終了画面の背景画像が静止画像である限りにおいて、第１有利状態の制御終了時に表示される終了画面の背景画像が動画像であってもよい。このようにすることで、有利状態の制御終了時に表示される終了画面の背景画像が動画像であれば遊技者は新たな有利状態の制御が開始されると認識でき、終了画面の背景画像が動画像であるか静止画像であるかに興味を抱くようになり、第１有利状態の制御終了時に表示される終了画面の背景画像が動画像でない遊技機よりも終了画面の表示による演出効果が更に高まり、遊技の興趣が向上する。
【０１０２】
［実施形態１０］
上記実施形態１〜９では、有利状態の制御を終了したときに終了画面において有利状態の結果や所定操作を含む特定操作を示唆する表示を行うものを例示したが、有利状態の結果やと特定操作の示唆とは異なる情報を表示してもよい。以下、終了画面において設定値を示唆する表示を行う実施形態１０について説明する。
なお、本実施形態では、実施形態１〜９と同様の構成及び処理となる部分についてはその詳細な説明を省略し、主として上記実施形態１〜９とは異なる部分について説明する。
【０１０３】
［スロットマシンの構成について］
図２２に示すように、本実施形態に係る遊技機であるスロットマシン１０１の内部には、外周に複数種の図柄が配列されたリール２Ｌ、２Ｃ、２Ｒ（以下、左リール、中リール、右リール）が水平方向に並設されており、これらリール２Ｌ、２Ｃ、２Ｒに配列された図柄のうち連続する３つの図柄が透視窓３から見えるように配置されている。
【０１０４】
リール２Ｌ、２Ｃ、２Ｒの外周部には、それぞれ「７」、「ＢＡＲ」、「スイカ」、「チェリー」、「ベル」、「リプレイ」、「プラム」といった互いに識別可能な複数種類の図柄が所定の順序で、それぞれ２１個ずつ描かれている。リール２Ｌ、２Ｃ、２Ｒの外周部に描かれた図柄は透視窓３において各々上中下三段に表示される。
【０１０５】
各リール２Ｌ、２Ｃ、２Ｒは、各々対応して設けられたリールモータによって回転されることで、各リール２Ｌ、２Ｃ、２Ｒの図柄が透視窓３に連続的に変化しつつ表示される一方で、各リール２Ｌ、２Ｃ、２Ｒの回転が停止されることで、透視窓３に３つの連続する図柄が表示結果として導出表示されるようになっている。
【０１０６】
また、スロットマシン１０１には、ゲームを開始する際に操作されるスタートスイッチ７、リール２Ｌ、２Ｃ、２Ｒの回転を各々停止する際に操作されるストップスイッチ８Ｌ、８Ｃ、８Ｒが遊技者により操作可能にそれぞれ設けられている。さらに、スロットマシン１０１には、透視窓３の上方には画像を表示する液晶表示器５１、音声を出力するスピーカ５３、液晶表示器５１の近傍に配置されたランプ６０が設けられている。ランプ６０は常時点灯しているが、後述する設定値を示唆する示唆制御を行って液晶表示器５１に画像が表示されたときに消灯する。
【０１０７】
なお、本実施形態では、回転を開始した３つのリール２Ｌ、２Ｃ、２Ｒのうち、最初に停止するリールを第１停止リールと称し、また、その停止を第１停止と称する。また、その停止操作を第１停止操作と称する。同様に、２番目に停止するリールを第２停止リールと称し、また、その停止を第２停止と称する。また、その停止操作を第２停止操作と称する。また、３番目に停止するリールを第３停止リールと称し、また、その停止を第３停止あるいは最終停止と称する。また、その停止操作を第３停止操作と称する。さらに、リール２Ｌを最初に停止させる第１停止操作を左第１停止操作、リール２Ｃを最初に停止させる第１停止操作を中第１停止操作、リール２Ｒを最初に停止させる第１停止操作を右第１停止操作と称する。
【０１０８】
スロットマシン１０１においてゲームを行う場合には、まず、メダルをメダル投入部から投入するか、あるいはベットボタンの操作によりクレジットを使用して賭数を設定する。そして、遊技状態に応じて定められた規定数の賭数が設定されると、入賞ラインＬＮが有効となり、スタートスイッチ７の操作が有効な状態、すなわち、ゲームが開始可能な状態となる。なお、遊技状態に対応する規定数のうち最大数を超えてメダルが投入された場合には、その分はクレジットに加算される。
【０１０９】
入賞ラインとは、各リール２Ｌ、２Ｃ、２Ｒの透視窓３に表示された図柄の組合せが入賞図柄の組合せであるかを判定するために設定されるラインである。本実施形態では、図１に示すように、リール２Ｌの中段、リール２Ｃの中段、リール２Ｒの中段、すなわち中段に水平方向に並んだ図柄に跨って設定された直線状の入賞ラインＬＮのみが入賞ラインとして定められている。なお、本実施形態では、１本の入賞ラインのみを適用しているが、複数の入賞ラインを適用しても良い。
【０１１０】
ゲームが開始可能な状態でスタートスイッチ７を操作すると、各リール２Ｌ、２Ｃ、２Ｒが回転し、各リール２Ｌ、２Ｃ、２Ｒの図柄が連続的に変動する。この状態でいずれかのストップスイッチ８Ｌ、８Ｃ、８Ｒを操作すると、対応するリール２Ｌ、２Ｃ、２Ｒの回転が停止し、透視窓３に表示結果が導出表示される。
【０１１１】
そして全てのリール２Ｌ、２Ｃ、２Ｒが停止されることで１ゲームが終了し、入賞ライン上に予め定められた図柄の組合せ（以下、役ともいう）が各リール２Ｌ、２Ｃ、２Ｒの表示結果として停止した場合には入賞が発生し、その入賞に応じて定められた枚数のメダルが遊技者に対して付与され、クレジットに加算される。また、クレジットが上限数（本実施形態では５０）に達した場合には、メダルが直接メダル払出口から払い出されるようになっている。また、入賞ライン上に、遊技状態の移行を伴う図柄の組合せが各リール２Ｌ、２Ｃ、２Ｒの表示結果として停止した場合には図柄の組合せに応じた遊技状態に移行するようになっている。
【０１１２】
なお、本実施形態では、スタートスイッチ７の操作が有効な状態でスタートスイッチ７の操作が検出されたときにゲームが開始し、全てのリールが停止したときにゲームが終了する。また、ゲームを実行するための１単位の制御（ゲーム制御）は、前回のゲームの終了に伴う全ての制御が完了したときに開始し、当該ゲームの終了に伴う全ての制御が完了したときに終了する。
【０１１３】
スロットマシン１０１では、ゲームが開始されて各リール２Ｌ、２Ｃ、２Ｒが回転して図柄の変動が開始した後、いずれかのストップスイッチ８Ｌ、８Ｃ、８Ｒが操作されたときに、当該ストップスイッチ８Ｌ、８Ｃ、８Ｒに対応するリールの回転が停止して図柄が停止表示される。
【０１１４】
以下では、特に区別する必要がない場合にはリール２Ｌ、２Ｃ、２Ｒを単にリールという場合がある。また、リール２Ｌを左リール、リール２Ｃを中リール、リール２Ｒを右リールという場合がある。また、ストップスイッチ８Ｌ、８Ｃ、８Ｒの操作によりリール２Ｌ、２Ｃ、２Ｒを停止させる操作を停止操作という場合がある。
【０１１５】
スロットマシン１０１では、全てのリール２Ｌ、２Ｃ、２Ｒが停止した際に、有効化された入賞ラインＬＮ（以下では、有効化された入賞ラインＬＮを単に入賞ラインＬＮと呼ぶ）に役と呼ばれる図柄の組合せが揃うと入賞となる。役は、同一図柄の組合せであっても良いし、異なる図柄を含む組合せであっても良い。入賞となる役の種類は、遊技状態に応じて定められているが、大きく分けて、メダルの払い出しを伴う小役と、賭数の設定を必要とせずに次のゲームを開始可能となる再遊技役と、遊技者にとって有利な遊技状態への移行を伴う特別役と、がある。以下では、小役と再遊技役をまとめて一般役とも呼ぶ。遊技状態に応じて定められた各役の入賞が発生するためには、後述する内部抽選に当選して、当該役の当選フラグがＲＡＭに設定されている必要がある。
【０１１６】
なお、これら各役の当選フラグのうち、小役及び再遊技役の当選フラグは、当該フラグが設定されたゲームにおいてのみ有効とされ、次のゲームでは無効となるが、特別役の当選フラグは、当該フラグにより許容された役の組合せが揃うまで有効とされ、許容された役の組合せが揃ったゲームにおいて無効となる。すなわち特別役の当選フラグが一度当選すると、例え、当該フラグにより許容された役の組合せを揃えることができなかった場合にも、その当選フラグは無効とされずに、次のゲームへ持ち越されることとなる。
【０１１７】
図２３に示すように、スロットマシン１０１の内部には、遊技の進行を制御するとともに遊技の進行に応じて各種コマンドを出力する遊技制御基板４０、および該コマンドに応じて所定の演出を制御する演出制御基板９０などが設けられている。遊技制御基板４０は、遊技の進行に関する処理を行うとともに、遊技制御基板４０に搭載あるいは接続された構成を制御するメイン制御部４１を備える。演出制御基板９０は、遊技制御基板４０から送信されるコマンドを受けて演出を行う処理を行うとともに、演出制御基板９０に搭載あるいは接続された構成を制御するサブ制御部９１を備える。メイン制御部４１は、１チップマイクロコンピュータにて構成され、メインＣＰＵ４１ａ、ＲＯＭ４１ｂ、ＲＡＭ４１ｃを備えている。メイン制御部４１は、ＲＯＭ４１ｂに記憶された制御プログラムを実行して、遊技の進行に関する処理を行うととともに、遊技制御基板４０に搭載された制御回路の各部を直接的または間接的に制御する。また、サブ制御部９１は、１チップマイクロコンピュータにて構成され、サブＣＰＵ９１ａ、ＲＯＭ９１ｂ、ＲＡＭ９１ｃを備えている。サブ制御部９１は、ＲＯＭ９１ｂに記憶された制御プログラムを実行して、遊技の進行に関する処理を行うととともに、遊技制御基板９０に搭載された制御回路の各部を直接的または間接的に制御する。
【０１１８】
本実施の形態のスロットマシン１０１は、設定値に応じてメダルの払出率が変わるものである。詳しくは、後述する内部抽選において設定値に応じた当選確率を用いることにより、メダルの払出率が変わるようになっている。設定値は１〜６の６段階からなり、６が最も払出率が高く、５、４、３、２、１の順に値が小さくなるほど払出率が低くなる。すなわち設定値として６が設定されている場合には、遊技者にとって最も有利度が高く、５、４、３、２、１の順に値が小さくなるほど有利度が段階的に低くなる。なお、設定値は６段階に限らなくてもよい。以下、設定値１を設定１、設定値２を設定２、設定値３を設定３、設定値４を設定４、設定値５を設定５、設定値６を設定６と称することがある。
【０１１９】
［遊技区間について］
メイン制御部４１は遊技区間に制御する。遊技区間には、通常区間および有利区間が含まれる。
【０１２０】
有利区間は、ストップスイッチ８Ｌ、８Ｃ、８Ｒの操作態様（操作手順（押し順）、操作タイミング）を遊技者に指示する指示機能に係る性能を持つ区間である。有利区間においては、最大払出枚数が得られる入賞が発生するナビ演出が少なくとも１回実行される。具体的には、押し順対象役に当選したときに、正解手順を報知するナビ演出が実行される。通常区間においては、ナビ演出が実行されない。つまり、有利区間は、最大払出枚数が得られる入賞が発生するナビ演出が少なくとも１回実行される点で、通常区間よりも遊技者にとって有利である。
【０１２１】
また、「有利区間」には、ＡＴ（アシストタイム）に制御されている区間と、ＣＺ（チャンスゾーン）に制御されている区間と、ＡＴでもＣＺでもない通常状態に制御されている区間が含まれる。ＣＺとは、ＡＴへの制御に関する有利度が通常状態に比べて高い状態である。ＡＴへの制御に関する有利度が高いとは、ＡＴに制御されやすいことが含まれる。
【０１２２】
設定変更後は、通常区間に制御され、有利区間に移行するための有利区間移行抽選に当選したことに基づいて有利区間に移行する。有利区間に移行すると、ＡＴまたはＣＺまたは通常状態に制御される。有利区間でＡＴやＣＺに制御されたときは、ＡＴやＣＺが終了すると通常状態に制御される。有利区間が継続している場合には、通常状態においてＡＴやＣＺの制御条件が満たされると再度ＡＴやＣＺに制御される。
【０１２３】
メイン制御部４１は、有利区間中における消化ゲーム数をカウントする。また、遊技者が獲得したメダルの枚数をカウントする。そして、メイン制御部４１は、カウントしたゲーム数（カウントゲーム数とも称する）が所定ゲーム数（本実施形態においては、１５００ゲーム）に達することや、遊技者が獲得したメダルの枚数が所定枚数に達することを含む所定の終了条件が成立したときにリミット処理を実行する。リミット処理が実行されると、上記のカウントゲーム数や獲得枚数を含む有利区間に関するデータが全て初期化され、実行中の有利区間が終了して通常区間に戻る。また、有利区間は、ＡＴやＣＺが終了して通常状態に制御され、所定ゲーム数（例えば、３２ゲーム）のゲームが行われたときに終了する。ＡＴやＣＺが終了してから所定ゲーム数以内に再度ＡＴやＣＺに制御されると、再度制御されたＡＴやＣＺが終了してから通常状態で所定ゲーム数のゲームが行われるまで有利区間は継続する。すなわち、リミット処理が行われない限り、ＡＴやＣＺが終了してから所定ゲーム数のゲームが行われるまでに再度ＡＴやＣＺに制御される限り有利区間が継続する。そして、有利区間が終了したときには有利区間に関するデータが全て初期化され、実行中の有利区間が終了して通常区間に戻る。なお、有利区間が終了したときの初期化により後述するレベルアップフラグ（特定権利）もクリアされる。また、有利区間に関するデータが初期化されると、例えば、実行中の有利区間がＣＺである場合、ＣＺゲーム数が未だ残っていてもＣＺが終了する。また、たとえば、実行中の有利区間がＡＴである場合、ＡＴゲーム数が未だ残っていてもＡＴが終了する。通常区間に戻って後述する有利区間移行抽選に当選すると再度有利区間に移行する。
【０１２４】
有利区間に制御されている間は、ストップスイッチ８Ｌ、８Ｃ、８Ｒの操作態様を遊技者に指示する指示機能に係る抽選が行われる。指示機能に係る抽選には、たとえば、ＡＴに制御するか否かを決定するＡＴ抽選、ＡＴに制御する期間を上乗せする上乗せ抽選などが含まれる。本実施形態では、ＡＴ抽選に当選したときは１セット（５０ゲーム）のＡＴが付与され、上乗せ抽選に当選したときは１セット（５０ゲーム）のＡＴが上乗せされる。
【０１２５】
有利区間移行抽選は、完全確率である。具体的には、有利区間移行抽選は、設定値が設定１〜６のいずれであっても当選確率が変化しない。また、有利区間移行抽選は、設定値に応じて内部抽選の当選確率が変化するような役の当選を契機に実行されない。また、有利区間移行抽選は、遊技状態に応じて内部抽選の当選確率が変化するような役の当選を契機に実行されない。また、有利区間移行抽選は、１ゲームの遊技に要する賭数（規定数）に応じて当選確率が変化しない。また、有利区間移行抽選は、遊技状態に応じて当選確率が変化しない。さらに、有利区間移行抽選は、規定数や遊技状態に応じて抽選契機が変化しない。
【０１２６】
［遊技の流れについて］
図２４に示すように、本実施形態では、ＡＴ中に抽選条件が成立すると１セット（５０ゲーム）のＡＴを上乗せするか否かを決定する上乗せ抽選が行われる。上乗せ抽選の抽選条件は、内部抽選により上乗せ抽選の抽選対象役に当選することである。上乗せ抽選が行われるとＡＴが中断して上乗せ特化ゾーンに制御される。上乗せ特化ゾーンは所定期間（本実施形態では３０ゲーム）にわたって制御される。上乗せ特化ゾーンに制御されるとサブ制御部９１の制御によってバトル演出が実行される。バトル演出は液晶表示器５１およびスピーカ５３を用いて実行される。
【０１２７】
バトル演出では、内部抽選によって所定の抽選役に当選すると敵キャラクタに攻撃を加えることができる。また、味方キャラクタの体力はデフォルトで５ポイント付与されている。そして、バトル演出が終了したとき（すなわち、バトル演出開始から３０ゲームが行われたとき）に味方キャラクタの体力が残っていれば味方キャラクタの勝利となる。そして、味方キャラクタが勝利することにより、上乗せ抽選に当選したことが報知される。また、敵キャラクタが勝利することにより、上乗せ抽選に当選しなかったことが報知される。バトル演出で勝利したとき、換言すると上乗せ抽選に当選したときは再度上乗せ特化ゾーンに制御される。すなわち、上乗せ抽選に当選し、バトル演出に勝利し続ける限りは上乗せ特化ゾーンに繰り返し制御される。
【０１２８】
また、バトル演出の開始時に実行されるレベルアップ抽選に当選すると、味方キャラクタがレベルアップすることがある。味方キャラクタがレベルアップすると、味方キャラクタの体力が１ポイントアップする。味方キャラクタがレベルアップしたときは味方キャラクタがレベルアップしていないときよりも、バトルに勝利しやすくなる。換言すると、上乗せ抽選に当選しやすくなる。そして、味方キャラクタがレベルアップしたときは、上乗せ抽選の抽選対象役が増加し、上乗せ特化ゾーンが終了した後に再度上乗せ特化ゾーンに制御される確率が高くなる。有利区間中に一度レベルアップすると有利区間の終了までレベルアップした状態が維持され、有利区間の終了とともにレベルアップした状態が終了する。よって、有利区間においてＡＴが終了して通常状態に制御され、通常状態で所定ゲーム数のゲームが行われるまでに再度ＡＴに制御されたとき、すなわち有利区間中にＡＴを引き戻したときには再度制御されたＡＴにおいて味方キャラクタがレベルアップした状態が維持される。このため、味方キャラクタがレベルアップしたときはＡＴの引き戻しへの期待感が高まる。すなわち、本実施形態では、味方キャラクタのレベルアップが特定権利であり、特定権利は有利区間が終了するまで維持されるとともに有利区間が終了したときに消滅する。
【０１２９】
また、バトル演出の開始時の抽選に体力アップ抽選に当選すると、味方キャラクタのレベルアップとは別に味方キャラクタの体力がそのバトル演出に限って１ポイントアップする。味方キャラクタの体力が１ポイントアップするとバトルに勝利しやすくなる。換言すると、上乗せ抽選に当選しやすくなる。すなわち、本実施形態では、体力アップ抽選の当選による味方キャラクタの体力アップが所定権利の付与であり、所定権利は当該所定権利が付与されたバトル演出が終了したときに消滅する。
【０１３０】
バトル演出が終了して上乗せ特化ゾーンが終了するとＡＴに復帰するが、再度上乗せ抽選に当選すると再度上乗せ特化ゾーンに制御される。このように、ＡＴ中において上乗せ特化ゾーンに複数回制御されることがある。
【０１３１】
なお、ＡＴは、第１キャラクタをモチーフとしたＡＴモードＡと第２キャラクタをモチーフとしたＡＴモードＢとがある。すなわち、演出の態様が互いに異なるＡＴであるＡＴモードＡとＡＴモードＢとを実行可能である。そして、いずれのＡＴに制御するかはＡＴ抽選に当選したときにサブ制御部９１によって決定される。バトル演出は決定されたＡＴモードに応じたキャラクタを用いた態様で実行される。
【０１３２】
［ゲーム処理について］
図２５は、メイン制御部４１が実行するゲーム処理の制御内容を示すフローチャートである。
【０１３３】
ゲーム処理では、ＢＥＴ処理（Ｓｄ１）、内部抽選処理（Ｓｄ２）、リール回転処理（Ｓｄ３）、入賞判定処理（Ｓｄ４）、払出処理（Ｓｄ５）、ゲーム終了時処理（Ｓｄ６）を順に実行し、ゲーム終了時処理が終了すると、再びＢＥＴ処理に戻る。
【０１３４】
Ｓｄ１のステップにおけるＢＥＴ処理では、賭数を設定可能な状態で待機し、遊技状態に応じた規定数の賭数が設定され、スタートスイッチ７が操作された時点でゲームを開始させる処理を実行する。
【０１３５】
Ｓｄ２のステップにおける内部抽選処理では、Ｓｄ１のステップにおけるスタートスイッチ７の検出によるゲーム開始と同時にラッチされた内部抽選用の乱数値に基づいて上記した各役への入賞を許容するかどうかを決定する処理を行う。この内部抽選処理では、それぞれの抽選結果に基づいて、ＲＡＭ４１ｃに当選フラグが設定される。
【０１３６】
内部抽選は、上記した各役への入賞を許容するか否かを、全てのリール２Ｌ、２Ｃ、２Ｒの表示結果が導出表示される以前に（実際には、スタートスイッチ７の検出時）決定するものである。内部抽選では、まず、スタートスイッチ７の検出時に内部抽選用の乱数値（０〜６５５３５の整数）を取得する。詳しくは、ＲＡＭ４１ｃに割り当てられた乱数値格納ワークの値を同じくＲＡＭ４１ｃに割り当てられた抽選用ワークに設定する。そして、遊技状態及び特別役の持ち越しの有無に応じて定められた各役について、抽選用ワークに格納された数値データと、遊技状態を特定するための遊技状態フラグの値、後述するＲＴを特定するためのＲＴフラグの値、賭数及び設定値に応じて定められた各役の判定値数に応じて行われる。
【０１３７】
内部抽選では、内部抽選の対象となる役、現在の遊技状態フラグ値、ＲＴフラグ値及び設定値に対応して定められた判定値数を、内部抽選用の乱数値（抽選用ワークに格納された数値データ）に順次加算し、加算の結果がオーバーフローしたときに、当該役に当選したものと判定される。このため、判定値数の大小に応じた確率（判定値数／６５５３６）で役が当選することとなる。
【０１３８】
そして、いずれかの役の当選が判定された場合には、当選が判定された役に対応する当選フラグをＲＡＭ４１ｃに割り当てられた内部当選フラグ格納ワークに設定する。内部当選フラグ格納ワークは、２バイトの格納領域にて構成されており、そのうちの上位バイトが、特別役の当選フラグが設定される特別役格納ワークとして割り当てられ、下位バイトが、一般役の当選フラグが設定される一般役格納ワークとして割り当てられている。詳しくは、特別役が当選した場合には、当該特別役が当選した旨を示す特別役の当選フラグを特別役格納ワークに設定し、一般役格納ワークに設定されている当選フラグをクリアする。また、一般役が当選した場合には、当該一般役が当選した旨を示す一般役の当選フラグを一般役格納ワークに設定する。なお、いずれの役及び役の組合せにも当選しなかった場合には、一般役格納ワークのみクリアする。
【０１３９】
Ｓｄ３のステップにおけるリール回転処理では、各リール２Ｌ、２Ｃ、２Ｒを回転させる処理、遊技者によるストップスイッチ８Ｌ、８Ｃ、８Ｒの操作が検出されたことに応じて対応するリール２Ｌ、２Ｃ、２Ｒの回転を停止させる処理を実行する。
【０１４０】
なお、リール２Ｌ、２Ｃ、２Ｒの停止制御では、メイン制御部４１は、いずれかの役に当選している場合には、当選した役の図柄を入賞ラインＬＮに４コマの範囲で最大限引き込み、当選していない役の図柄が入賞ラインＬＮに揃わないように引き込む滑りコマ数が定められた停止制御テーブルを作成し、リールの停止制御を行う一方、いずれの役にも当選していない場合には、いずれの役も揃わない滑りコマ数が定められた停止制御テーブルを作成し、リールの停止制御を行う。これにより、停止操作が行われた際に、入賞ラインＬＮに最大４コマの引込範囲で当選している役を揃えて停止させることができれば、これを揃えて停止させる制御が行われ、当選していない役は、最大４コマの引込範囲でハズシて停止させる制御が行われることとなる。
【０１４１】
特別役が前ゲーム以前から持ち越されている状態で小役が当選した場合など、特別役と小役が同時に当選している場合には、当選した小役を入賞ラインＬＮに４コマの範囲で最大限に引き込むように滑りコマ数が定められているとともに、当選した小役を入賞ラインＬＮに最大４コマの範囲で引き込めない停止操作位置については、当選した特別役を入賞ラインＬＮに４コマの範囲で最大限に引き込むように滑りコマ数が定められた停止制御テーブルを作成し、リールの停止制御を行う。これにより、停止操作が行われた際に、入賞ラインＬＮに最大４コマの引込範囲で当選している小役を揃えて停止させることができれば、これを揃えて停止させる制御が行われ、入賞ラインＬＮに最大４コマの引込範囲で当選している小役を引き込めない場合には、入賞ラインＬＮに最大４コマの引込範囲で当選している特別役を揃えて停止させることができれば、これを揃えて停止させる制御が行われ、当選していない役は、４コマの引込範囲でハズシて停止させる制御が行われることとなる。すなわちこのような場合には、特別役よりも小役を入賞ラインＬＮに揃える制御が優先され、小役を引き込めない場合にのみ、特別役を入賞させることが可能となる。なお、特別役と小役を同時に引き込める場合には、小役のみを引き込み、特別役と同時に小役が入賞ラインＬＮに揃わないようになっている。
【０１４２】
なお、本実施の形態では、特別役が前ゲーム以前から持ち越されている状態で小役が当選した場合や新たに特別役と小役が同時に当選した場合など、特別役と小役が同時に当選している場合には、当選した特別役よりも当選した小役が優先され、小役が引き込めない場合のみ、特別役を入賞ラインＬＮに揃える制御を行っているが、特別役と小役が同時に当選している場合に、小役よりも特別役を入賞ラインＬＮに揃える制御が優先され、特別役を引き込めない場合にのみ、小役を入賞ラインＬＮに揃える制御を行っても良い。
【０１４３】
特別役が前ゲーム以前から持ち越されている状態で再遊技役が当選した場合など、特別役と再遊技役が同時に当選している場合には、停止操作が行われた際に、入賞ラインＬＮに最大４コマの引込範囲で再遊技役の図柄を揃えて停止させる制御が行われる。なお、この場合、再遊技役を構成する図柄または同時当選する再遊技役を構成する図柄は、リール２Ｌ、２Ｃ、２Ｒのいずれについても５図柄以内、すなわち４コマ以内の間隔で配置されており、４コマの引込範囲で必ず任意の位置に停止させることができるので、特別役と再遊技役が同時に当選している場合には、遊技者によるストップスイッチ８Ｌ、８Ｃ、８Ｒの操作タイミングに関わらずに、必ず再遊技役が揃って入賞することとなる。すなわちこのような場合には、特別役よりも再遊技役を入賞ラインＬＮに揃える制御が優先され、必ず再遊技役が入賞することとなる。なお、特別役と再遊技役を同時に引き込める場合には、再遊技役のみを引き込み、再遊技役と同時に特別役が入賞ラインＬＮに揃わないようになっている。
【０１４４】
Ｓｄ４のステップにおける入賞判定処理では、Ｓｄ３のステップにおいて全てのリール２Ｌ、２Ｃ、２Ｒの回転が停止したと判定した時点で、各リール２Ｌ、２Ｃ、２Ｒに導出された表示結果に応じて入賞が発生したか否かを判定する処理を実行する。
【０１４５】
Ｓｄ５のステップにおける払出処理では、Ｓｄ４のステップにおいて入賞の発生が判定された場合に、その入賞に応じた払出枚数に基づきクレジットの加算並びにメダルの払出等の処理を行う。
【０１４６】
Ｓｄ６のステップにおけるゲーム終了時処理では、次のゲームに備えて遊技状態を設定する処理を実行する。
【０１４７】
また、ゲーム処理では、ゲームの進行制御に応じてコマンドを生成してコマンドバッファに設定し、サブ制御部９１に送信されるようになっている。
【０１４８】
なお、図示しないが、ゲーム処理において、ＢＢやＲＢなどのボーナスに制御する処理やＡＴ（アシストタイム）に制御する処理も実行される。
【０１４９】
［上乗せ特化ゾーン関連処理］
次に、図２５の内部抽選処理（Ｓｄ２）内で実行される上乗せ特化ゾーン関連処理について説明する。
【０１５０】
図２６及び図２７に示すように、上乗せ特化ゾーン関連処理では、メイン制御部４１は、ゲーム開始操作が行われたか否かを判定する（Ｓａ１）。ゲーム開始操作とは、賭数設定後のスタートスイッチ７の操作である。ゲーム開始操作が行われていないときは処理を終了する。
【０１５１】
ゲーム開始操作が行われたときはＡＴ中か否かを判定する（Ｓａ２）。ＡＴ中でないときは処理を終了する。ＡＴ中であるときは、１セット（５０ゲーム）のＡＴを上乗せするか否かを決定する上乗せ抽選の抽選条件が成立したか否か、または、上乗せされた上乗せ特化ゾーンの制御開始か否かを判定する（Ｓａ３）。本実施形態では、上乗せ抽選の抽選条件は内部抽選により上乗せ抽選の抽選対象役に当選することである。また、後述するＳａ１４のレベルアップフラグがセットされており、バトル演出における味方キャラクタがレベルアップした状態であるときは上乗せ抽選の抽選対象役が増加する。よって、味方キャラクタがレベルアップしている状態では再度上乗せ特化ゾーンに制御される確率が高くなる。
【０１５２】
上乗せ抽選の抽選条件が成立していないとき、および、上乗せ特化ゾーンが上乗せされていないときは処理を終了する。上乗せ抽選の抽選条件が成立したとき、または、上乗せされた上乗せ特化ゾーンの制御開始のときは、バトル演出において味方キャラクタの体力をアップさせるか否かを決定する体力アップ抽選を実行する（Ｓａ４）。次いで、体力アップ抽選に当選したか否かを判定する（Ｓａ５）。なお、前述したように体力アップ抽選に当選したときに付与される味方キャラクタの体力は所定権利である。
【０１５３】
体力アップ抽選に当選したときは、バトル演出における味方キャラクタがレベルアップしていることを示すレベルアップフラグがＲＡＭ４１ｃにセットされているか否かを判定する（Ｓａ６）。なお、前述したようにレベルアップにより付与される味方キャラクタの体力は特定権利である。
【０１５４】
レベルアップフラグがセットされているときは最も当選確率の高い超高確率テーブルを用いて上乗せ抽選が実行される（Ｓａ７）。
【０１５５】
レベルアップフラグがセットされていないときは超高確率テーブルよりも当選確率の低い高確率テーブルを用いて上乗せ抽選が実行される（Ｓａ１６）。
【０１５６】
一方、体力アップ抽選に当選しなかったときはレベルアップフラグがＲＡＭ４１ｃにセットされているか否かを判定する（Ｓａ１５）。レベルアップフラグがセットされているときは高確率テーブルを用いて上乗せ抽選が実行される（Ｓａ１６）。
【０１５７】
レベルアップフラグがセットされていないときは超高確率テーブルおよび高確率テーブルよりも当選確率の低い低確率テーブル、換言すると最も当選確率の低い低確率テーブルを用いて上乗せ抽選が実行される（Ｓａ１７）。
【０１５８】
このように抽選テーブルを選択して上乗せ抽選を実行することにより、味方キャラクタがレベルアップし、かつ体力アップ抽選に当選して味方キャラクタの体力がアップしたときは、最も上乗せ抽選の当選確率が高くなる。また、味方キャラクタがレベルアップしておらず、かつ体力アップ抽選にも当選していないときは、最も上乗せ抽選の当選確率が低くなる。また、味方キャラクタがレベルアップしているか、または体力アップ抽選にも当選しているときは、両方の条件を満たしているときよりも当選確率は低くなるが、いずれの条件も満たしていないときよりも上乗せ抽選の当選確率が高くなる。
【０１５９】
上乗せ抽選が終了すると上乗せ抽選に当選したか否かを判定する（Ｓａ８）。上乗せ抽選に当選していないときは処理を終了する。上乗せ抽選に当選したときは上乗せ特化ゾーンを１セット上乗せする処理が行われ（Ｓａ９）、ＡＴも１セット上乗せする処理が行われる（Ｓａ１０）。
【０１６０】
そして、レベルアップフラグがＲＡＭ４１ｃにセットされているか否かを判定する（Ｓａ１１）。レベルアップフラグがセットされているときは処理を終了する。レベルアップフラグがセットされていないときは、味方キャラクタをレベルアップさせるか否かを決定するレベルアップ抽選を実行する（Ｓａ１２）。換言すると、特定権利を付与するか否かを抽選により決定する。
【０１６１】
そして、レベルアップ抽選に当選していないときは処理を終了し、レベルアップ抽選に当選したときはレベルアップフラグをＲＡＭ４１ｃにセットして処理を終了する（Ｓａ１４）。
【０１６２】
［有利区間終了処理］
次に、図２５のゲーム終了時処理（Ｓｄ６）において実行される有利区間終了処理について説明する。
【０１６３】
図２８に示すように、有利区間終了処理では、メイン制御部４１は、第３停止操作が行われたか否かを判定する（Ｓｂ１）。第３停止操作が行われていないときは処理を終了する。
【０１６４】
第３停止操作が行われたときは有利区間が終了したか否かを判定する（Ｓｂ２）。有利区間が終了していないときは処理を終了する。
【０１６５】
有利区間が終了したときにはレベルアップフラグがＲＡＭ４１ｃにセットされているか否かを判定する（Ｓｂ３）。レベルアップフラグがセットされているときはレベルアップフラグをクリアする（Ｓｂ４）。当該処理により味方キャラクタがレベルアップした状態が有利区間の終了時まで維持される。レベルアップフラグがセットされていないとき、または、レベルアップフラグをクリアしたときは、ＡＴの制御中か否かを判定する（Ｓｂ５）。ＡＴの実行中であるときはＡＴの終了処理を実行する（Ｓｂ６）。ＡＴの制御中でないときはＣＺの制御中なのでＣＺの終了処理を実行する（Ｓｂ７）。
【０１６６】
［タイマ割込処理（サブ）］
次に、サブ制御部９１が内部クロックのカウント値に基づいて１．１２ｍｓの間隔で実行するタイマ割込処理（サブ）について説明する。
【０１６７】
図２９に示すように、タイマ割込処理（サブ）においては、サブ制御部は、まず、使用中のレジスタをスタック領域に退避する（Ｓｐ１）。次いで、停電判定処理を行う（Ｓｐ２）。停電判定処理では、電断検出回路から電圧低下信号が入力されているか否かを判定し、電圧低下信号が入力されていれば、前回の停電判定処理でも電圧低下信号が入力されていたか否かを判定し、前回の停電判定処理でも電圧低下信号が入力されていた場合には停電と判定し、その旨を示す電断フラグを設定する。
【０１６８】
Ｓｐ２のステップにおける停電判定処理の後、電断フラグが設定されているか否かを判定し（Ｓｐ３）、電断フラグが設定されていた場合には電断処理（サブ）に移行する。電断処理（サブ）では起動処理（サブ）で用いるバックアップフラグをバックアップデータの作成後にセットしたり、チェックサムをバックアップデータの排他的論理和を算出して計算するなどの処理を実行する。
【０１６９】
電断フラグが設定されていない場合にはコマンド解析処理を実行する（Ｓｐ４）。コマンド解析処理では、コマンドバッファにコマンドが格納されているか否かを判定し、コマンドバッファにコマンドが格納されていればコマンドバッファからコマンドを取得する。そして、取得したコマンドに応じた処理を実行する。
【０１７０】
Ｓｐ５において、サブ制御部９１は、ＡＴ中演出実行処理を実行する（Ｓｐ５）。ＡＴ中演出実行処理では、ＡＴモードＡとＡＴモードＢのいずれに制御するかを決定する。そして、図３（ａ）に示す開始画面を表示した後、ＡＴモードＡに制御されたときにＡＴモードＡの態様に応じた演出をＡＴ中に実行し、ＡＴモードＢに制御されたときにＡＴモードＢの態様に応じた演出をＡＴ中に実行する。また、ＡＴ中にナビ対象役に当選したことをメイン制御部４１からのコマンドに基づいて識別したときは操作示唆表示の一例としてのナビ演出を実行する。
【０１７１】
Ｓｐ６において、サブ制御部９１は、バトル演出実行処理を実行する（Ｓｐ６）。バトル演出実行処理では、上乗せ特化ゾーンに制御されたときにバトル演出を実行する。ＡＴモードＡに制御されたときはＡＴモードＡに対応するキャラクタを用いてバトル演出を実行し、ＡＴモードＢに制御されたときはＡＴモードＡに対応するキャラクタを用いてバトル演出を実行する。なお、上乗せ特化ゾーンであるか否か、上乗せ抽選の当選結果はメイン制御部４１からのコマンドに基づいて識別する。
【０１７２】
Ｓｐ７において、サブ制御部９１は、ＡＴエンディング画面表示処理を実行する（Ｓｐ７）。ＡＴエンディング画面表示処理では、ＡＴモードＡとＡＴモードＢのＡＴの終了時に終了画面の一例としてのエンディング画面を液晶表示器５１から表示する。このとき、エンディング画面は複数種類のうちから選択されるが、表示されたエンディング画面によって設定中の設定値を示唆されることがある。具体的には、設定１〜３または設定４〜６であることが示唆される。以下、設定１〜３を低設定、設定４〜６を高設定と称することがある。
【０１７３】
［エンディング画面の種類について］
ここで、エンディング画面の種類について説明する。
【０１７４】
［ＡＴモードＡで選択され得るエンディング画面］
ＡＴモードＡで選択され得るエンディング画面として、デフォルト画面Ａ、設定４〜６であることを示唆する第１高設定示唆画面、設定４〜６であることを示唆するデフォルト画面Ｂ、設定４〜６であることを示唆する第２高設定示唆画面、設定４〜６であることを示唆する第３高設定示唆画面がある。
【０１７５】
デフォルト画面Ａは、ＡＴモードＡで通常表示されるエンディング画面であり、ＡＴモードＡにおいて設定１〜３であるときよりも設定４〜６であるときのほうが表示される確率が低い。また、他のエンディング画面と比較すると表示される確率が高い。
【０１７６】
第１高設定示唆画面は、設定１〜３であるときよりも設定４〜６であるときのほうが表示される確率が高い。よって、第１高設定示唆画面は、設定４〜６であることを示唆する画面である。第１高設定示唆画面はデフォルト画面Ａと異なる態様の画面であり、デフォルト画面Ａに替えて表示される画面である。
【０１７７】
デフォルト画面Ｂは、ＡＴモードＢで通常表示されるエンディング画面であり、ＡＴモードＢにおいて設定１〜３であるときよりも設定４〜６であるときのほうが表示される確率が低い。しかし、ＡＴモードＡでは設定１〜３であるときよりも設定４〜６であるときのほうが表示される確率が高い。よって、ＡＴモードＡで表示されるデフォルト画面Ｂは、設定４〜６であることを示唆する画面である。なお、ＡＴモードＡでは、通常デフォルト画面Ａが表示されるはずであるが、デフォルト画面Ｂが表示されたときは、ＡＴモードＡでデフォルト画面Ａが表示される法則が崩れたことになる。よって、ＡＴモードＡでデフォルト画面Ｂが表示されることを法則崩れと称する。
【０１７８】
第２高設定示唆画面は、設定１〜３であるときよりも設定４〜６であるときのほうが表示される確率が高い。よって、第２高設定示唆画面は、設定４〜６であることを示唆する画面である。第２高設定示唆画面はデフォルト画面Ａに付加画像を重層した画面である。
【０１７９】
第３高設定示唆画面は、設定４〜６であるときのみ表示される。よって、第３高設定示唆画面は、設定４〜６の確定報知を行う画面である。第３高設定示唆画面は第１高設定示唆画面に付加画像を重層した画面である。なお、本実施形態では、第３高設定示唆画面はＡＴモードＡとＡＴモードＢとで共通の画面である。
【０１８０】
以下、デフォルト画面Ａとデフォルト画面Ｂをデフォルト画面と総称することがある。
【０１８１】
［ＡＴモードＢで選択され得るエンディング画面］
ＡＴモードＢで選択され得るエンディング画面として、デフォルト画面Ｂ、設定４〜６であることを示唆する第１高設定示唆画面、設定４〜６であることを示唆するデフォルト画面Ｂ、設定４〜６であることを示唆する第２高設定示唆画面、設定４〜６であることを示唆する第３高設定示唆画面がある。
【０１８２】
デフォルト画面Ｂは、ＡＴモードＢで通常表示されるエンディング画面であり、ＡＴモードＡにおいて設定１〜３であるときよりも設定４〜６であるときのほうが表示される確率が低い。また、他のエンディング画面と比較すると表示される確率が高い。
【０１８３】
第１高設定示唆画面は、設定１〜３であるときよりも設定４〜６であるときのほうが表示される確率が高い。よって、第１高設定示唆画面は、設定４〜６であることを示唆する画面である。第１高設定示唆画面はデフォルト画面Ｂと異なる態様の画面であり、デフォルト画面Ｂに替えて表示される画面である。なお、本実施形態では、第１高設定示唆画面はＡＴモードＡとＡＴモードＢとで共通の画面である。
【０１８４】
デフォルト画面Ａは、ＡＴモードＡで通常表示されるエンディング画面であり、ＡＴモードＡにおいて設定１〜３であるときよりも設定４〜６であるときのほうが表示される確率が低い。しかし、ＡＴモードＢでは設定１〜３であるときよりも設定４〜６であるときのほうが表示される確率が高い。よって、ＡＴモードＢで表示されるデフォルト画面Ａは、設定４〜６であることを示唆する画面である。なお、ＡＴモードＢでは、通常デフォルト画面Ｂが表示されるはずであるが、デフォルト画面Ａが表示されたときは、ＡＴモードＢでデフォルト画面Ｂが表示される法則が崩れたことになる。よって、ＡＴモードＢでデフォルト画面Ａが表示されることを法則崩れと称する。
【０１８５】
第２高設定示唆画面は、設定１〜３であるときよりも設定４〜６であるときのほうが表示される確率が高い。よって、第２高設定示唆画面は、設定４〜６であることを示唆する画面である。第２高設定示唆画面はデフォルト画面Ｂに付加画像を重層した画面である。
【０１８６】
第３高設定示唆画面は、設定４〜６であるときのみ表示される。よって、第３高設定示唆画面は、設定４〜６の確定報知を行う画面である。第３高設定示唆画面は第１高設定示唆画面に付加画像を重層した画面である。なお、本実施形態では、第３高設定示唆画面はＡＴモードＡとＡＴモードＢとで共通の画面である。
なお、本実施形態では、ＡＴモードＡで選択され得るエンディング画面であるか、ＡＴモードＢで選択され得るエンディング画面であるかに関わらず、デフォルト画面Ａ、デフォルト画面Ｂ、第１高設定示唆画面、第２高設定示唆画面、第３高設定示唆画面は、文字画像および背景画像を含む全ての画像を静止画像として表示する画面である。
【０１８７】
［ＡＴエンディング画面表示処理について］
タイマ割込処理（サブ）におけるＡＴエンディング画面表示処理（Ｓｐ７）について図９を用いて説明する。
【０１８８】
図３０に示すように、ＡＴエンディング画面表示処理では、サブ制御部９１は、メイン制御部４１からのコマンドに基づいて第３停止操作が行われたか否かを判定する（Ｓｃ１）。
【０１８９】
第３停止操作が行われていないときは処理を終了する。第３停止操作が行われたときは当該ゲームでＡＴが終了か否かを判定する（Ｓｃ２）。ＡＴが終了しないときは処理を終了する。
【０１９０】
ＡＴが終了するときは複数種類のエンディング画面のうちからいずれを表示するかを選択する画面選択抽選を実行する（Ｓｃ３）。そして、画面選択抽選で選択したエンディング画面を液晶表示器５１から表示する（Ｓｃ４）。表示したエンディング画面は賭数の設定が行われたときに表示を終了する。
【０１９１】
［エンディング画面の選択率について］
次に、図３０のＳｃ３の画面選択抽選におけるエンディング画面の選択率について図３１を用いて説明する。
【０１９２】
図３１（ａ）に示すように、ＡＴモードＡで設定１〜３のときは、デフォルト画面Ａが８５％、第１高設定示唆画面が５％、デフォルト画面Ｂ（すなわち、法則崩れの発生）が５％、第２高設定示唆画面が５％、第３高設定示唆画面が０％の割合で選択される。
【０１９３】
また、ＡＴモードＡで設定４〜６のときは、デフォルト画面Ａが７０％、第１高設定示唆画面が８％、デフォルト画面Ｂ（すなわち、法則崩れの発生）が８％、第２高設定示唆画面を重ねた画面が８％、第３高設定示唆画面が６％の割合で選択される。
【０１９４】
図３１（ｂ）に示すように、ＡＴモードＢで設定１〜３のときは、デフォルト画面Ｂが８５％、第１高設定示唆画面が５％、デフォルト画面Ａ（すなわち、法則崩れの発生）が５％、第２高設定示唆画面が５％、第３高設定示唆画面が０％の割合で選択される。
【０１９５】
また、ＡＴモードＢで設定４〜６のときは、デフォルト画面Ｂが７０％、第１高設定示唆画面が８％、デフォルト画面Ａ（すなわち、法則崩れの発生）が８％、第２高設定示唆画面が８％、第３高設定示唆画面が６％の割合で選択される。
【０１９６】
［ＡＴのエンディング画面について］
次に、ＡＴのエンディング画面の具体例について説明する。図３２がＡＴモードＡのエンディング画面を示し、図３３がＡＴモードＢのエンディング画面を示す。
【０１９７】
図３２（ａ）に示すように、ＡＴモードＡのデフォルト画面Ａ（２００）は、ＡＴモードＡにおいては設定１〜３のときよりも設定４〜６のほうが表示される確率が低い。ＡＴモードＡのデフォルト画面Ａ（２００）では、田舎の風景をモチーフとした背景１００ａが表示される。そして、何も着用していない裸の状態のキャラクタＡ（１０１）が画面の略中央に表示される。キャラクタＡ（１０１）には体や顔の色として青色がモチーフの色として使用されている。また、デフォルト画面Ａ（２００）にはモチーフの色として青色が使用されており、全体として青色が多く含まれている。また、終了したＡＴで獲得したメダルの枚数を特定可能な獲得枚数表示１０３が画面の左上方に表示され、上乗せ分のＡＴでの獲得枚数を含む総獲得枚数表示１０４（上乗せがないときは終了したＡＴでの獲得枚数）が画面の上方で略中央に表示される。また、デフォルト画面Ａ（２００）が表示されたきは液晶表示器５１の近傍に設けられたランプ６０が点灯したままになる。
【０１９８】
図３２（ｂ）に示すように、ＡＴモードＡの第１高設定示唆画面２０１は、設定１〜３のときよりも設定４〜６のほうが表示される確率が高い。このため、第１高設定示唆画面２０１はデフォルト画面Ａ（２００）よりも有利な設定であることを示唆するといえる。ＡＴモードＡの第１高設定示唆画面２０１では、デフォルト画面Ａ（２００）と異なる背景１００ｂが表示される。また、デフォルト画面Ａ（２００）で表示されるキャラクタＡ（１０１）に加え、キャラクタＣ（１０５）とキャラクタＤ（１０６）が表示される。そして、キャラクタＡ（１０１）、キャラクタＣ（１０５）、キャラクタＤ（１０６）は互いに模様が異なる洋服と帽子を着用している。また、キャラクタＡ（１０１）、キャラクタＣ（１０５）、キャラクタＤ（１０６）には体や顔の色として金色がモチーフの色として使用されている。また、キャラクタＡ（１０１）の表示位置はデフォルト画面Ａ（２００）と同一の位置である。また、獲得枚数表示１０３と総獲得枚数表示１０４は画面の右上方に上下２段に並べて表示されている。すなわち、デフォルト画面Ａ（２００）と異なる位置に表示されている。なお、獲得枚数表示と総獲得枚数表示はデフォルト画面Ａ（２００）での表示色と共通の色（同一色）である。また、キャラクタＡ（１０１）、キャラクタＣ（１０５）、キャラクタＤ（１０６）の周囲にはキャラクタＡ（１０１）、キャラクタＣ（１０５）、キャラクタＤ（１０６）を強調する効果を得るためのエフェクト表示１０７が表示される。そして、エフェクト表示１０７の色はデフォルト画面Ａ（２００）でモチーフとなった青色と異なる金色になっている。また、キャラクタＡ（１０１）はデフォルト画面Ａ（２００）よりも小さいサイズで表示され、キャラクタＣ（１０５）とキャラクタＤ（１０６）もキャラクタＡ（１０１）と同一のサイズである。また、第１高設定示唆画面２０１が表示されたきは液晶表示器５１の近傍に設けられたランプ６０が消灯する。なお、エフェクト表示１０７として背景の色やキャラクタ名を示す文字の色を変化させるなど本実施形態と異なる態様にしてもよい。なお、キャラクタＡ（１０１）の表示位置はデフォルト画面Ａ（２００）と同一の位置でなく、近似する位置としてもよい。
【０１９９】
図３２（ｃ）に示すように、ＡＴモードＡの第２高設定示唆画面２０２は、設定１〜３のときよりも設定４〜６のほうが表示される確率が高い。このため、第２高設定示唆画面２０２はデフォルト画面Ａ（２００）よりも有利な設定であることを示唆するといえる。ＡＴモードＡの第２高設定示唆画面２０２はデフォルト画面Ａ（２００）に付加画像１０８を重層した画面である。付加画像１０８は星の画像である。第２高設定示唆画面２０２は、まず、デフォルト画面Ａ（２００）が表示された後、所定期間が経過したときにデフォルト画面Ａ（２００）に付加画像１０８を重層することにより表示される。付加画像１０８は、キャラクタＡ（１０１）が表示されていない位置に表示される。また、第２高設定示唆画面２０２が表示されたきは液晶表示器５１の近傍に設けられたランプ６０が消灯する。
【０２００】
図３２（ｄ）に示すように、ＡＴモードＢのデフォルト画面Ｂ（２０３）は、ＡＴモードＡにおいては設定１〜３のときよりも設定４〜６のほうが表示される確率が高い。このため、ＡＴモードＡにおけるデフォルト画面Ｂ（２０３）はデフォルト画面Ａ（２００）よりも有利な設定であることを示唆するといえる。また、ＡＴモードＡにおいてデフォルト画面Ｂ（２０３）が表示されたきは液晶表示器５１の近傍に設けられたランプ６０が消灯する。デフォルト画面Ｂの具体的態様は図３３で後述する。
【０２０１】
図３２（ｅ）に示すように、ＡＴモードＡの第３高設定示唆画面２０４は設定４〜６のときのみ選択される画面である。このため、第３高設定示唆画面２０４はデフォルト画面Ａ（２００）よりも有利な設定であることを示唆するといえる。ＡＴモードＡの第３高設定示唆画面２０４は第１高設定示唆画面２０１に付加画像１０８を重層した画面である。付加画像１０８は星の画像である。第３高設定示唆画面２０４は、まず、第１高設定示唆画面２０１が表示された後、所定期間が経過したときに第１高設定示唆画面２０１に付加画像１０８を重層することにより表示される。付加画像１０８は、各キャラクタが表示されていない位置に表示される。また、第３高設定示唆画面２０４が表示されたきは液晶表示器５１の近傍に設けられたランプ６０が消灯する。
【０２０２】
図３３（ａ）に示すように、ＡＴモードＢのデフォルト画面Ｂ（２０３）は、ＡＴモードＢにおいては設定１〜３のときよりも設定４〜６のほうが表示される確率が低い。ＡＴモードＢのデフォルト画面Ｂ（２０３）では、田舎の風景をモチーフとした背景１００ａが表示される。そして、何も着用していない裸の状態のキャラクタＢ（１０２）が画面の略中央に表示される。キャラクタＢ（１０２）には体や顔の色として青色がモチーフの色として使用されている。また、デフォルト画面Ｂ（２０３）にはモチーフの色として青色が使用されており、全体として青色が多く含まれている。また、終了したＡＴで獲得したメダルの枚数を特定可能な獲得枚数表示１０３が画面の左上方に表示され、上乗せ分のＡＴでの獲得枚数を含む総獲得枚数表示１０４（上乗せがないときは終了したＡＴでの獲得枚数）が画面の上方で略中央に表示される。また、デフォルト画面Ｂ（２０３）が表示されたきは液晶表示器５１の近傍に設けられたランプ６０が点灯したままになる。
【０２０３】
図３３（ｂ）に示すように、ＡＴモードＢの第１高設定示唆画面２０５は、設定１〜３のときよりも設定４〜６のほうが表示される確率が高い。このため、第１高設定示唆画面２０５はデフォルト画面Ｂ（２０３）よりも有利な設定であることを示唆するといえる。ＡＴモードＢの第１高設定示唆画面２０５では、デフォルト画面Ｂ（２０３）と異なる背景１００ｂが表示される。またデフォルト画面Ｂ（２０３）で表示されるキャラクタＢ（１０２）に加え、キャラクタＣ（１０５）とキャラクタＤ（１０６）が表示される。そして、キャラクタＢ（１０２）、キャラクタＣ（１０５）、キャラクタＤ（１０６）は互いに模様が異なる洋服と帽子を着用している。また、キャラクタＢ（１０２）、キャラクタＣ（１０５）、キャラクタＤ（１０６）には体や顔の色として金色がモチーフの色として使用されている。また、キャラクタＢ（１０２）の表示位置はデフォルト画面Ｂ（２０３）と同一の位置である。また、獲得枚数表示１０３と総獲得枚数表示１０４は画面の右上方に上下２段に並べて表示されている。すなわち、デフォルト画面Ｂ（２０３）と異なる位置に表示されている。なお、獲得枚数表示と総獲得枚数表示はデフォルト画面Ｂ（２０３）での表示色と共通の色（同一色）である。また、キャラクタＢ（１０２）、キャラクタＣ（１０５）、キャラクタＤ（１０６）の周囲にはキャラクタＢ（１０２）、キャラクタＣ（１０５）、キャラクタＤ（１０６）を強調する効果を得るためのエフェクト表示１０７が表示される。そして、エフェクト表示１０７の色はデフォルト画面Ａ（２００）でモチーフとなった青色と異なる金色になっている。また、キャラクタＢ（１０２）はデフォルト画面Ｂ（２０３）よりも小さいサイズで表示され、キャラクタＣ（１０５）とキャラクタＤ（１０６）もキャラクタＢ（１０２）と同一のサイズである。また、第１高設定示唆画面２０１が表示されたきは液晶表示器５１の近傍に設けられたランプ６０が消灯する。なお、エフェクト表示１０７として背景の色やキャラクタ名を示す文字の色を変化させるなど本実施形態と異なる態様にしてもよい。なお、キャラクタＢ（１０２）の表示位置はデフォルト画面Ｂ（２０３）と同一の位置でなく、近似する位置としてもよい。
【０２０４】
図３３（ｃ）に示すように、ＡＴモードＢの第２高設定示唆画面２０６は、設定１〜３のときよりも設定４〜６のほうが表示される確率が高い。このため、第２高設定示唆画面２０６はデフォルト画面Ｂ（２０３）よりも有利な設定であることを示唆するといえる。ＡＴモードＢの第２高設定示唆画面２０６はデフォルト画面Ｂ（２０３）に付加画像１０８を重層した画面である。付加画像１０８は星の画像である。第２高設定示唆画面２０６は、まず、デフォルト画面Ｂ（２０３）が表示された後、所定期間が経過したときにデフォルト画面Ｂ（２０３）に付加画像１０８を重層することにより表示される。付加画像１０８は、キャラクタＢ（１０２）が表示されていない位置に表示される。また、第２高設定示唆画面２０２が表示されたきは液晶表示器５１の近傍に設けられたランプ６０が消灯する。
【０２０５】
図３３（ｄ）に示すように、ＡＴモードＡのデフォルト画面Ａ（２００）は、ＡＴモードＢにおいては設定１〜３のときよりも設定４〜６のほうが表示される確率が高い。このため、ＡＴモードＢにおけるデフォルト画面Ａ（２００）はデフォルト画面Ｂ（２０３）よりも有利な設定であることを示唆するといえる。また、ＡＴモードＢにおいてデフォルト画面Ｂ（２０３）が表示されたきは液晶表示器５１の近傍に設けられたランプ６０が消灯する。デフォルト画面Ｂの具体的態様は図１２で後述する。
【０２０６】
図３３（ｅ）に示すように、ＡＴモードＢの第３高設定示唆画面２０７は設定４〜６のときのみ選択される画面である。このため、第３高設定示唆画面２０７はデフォルト画面Ｂ（２０３）よりも有利な設定であることを示唆するといえる。ＡＴモードＢの第３高設定示唆画面２０７は第１高設定示唆画面２０５に付加画像１０８を重層した画面である。付加画像１０８は星の画像である。第３高設定示唆画面２０４は、まず、第１高設定示唆画面２０５が表示された後、所定期間が経過したときに第１高設定示唆画面２０５に付加画像１０８を重層することにより表示される。付加画像１０８は、各キャラクタが表示されていない位置に表示される。また、第３高設定示唆画面２０７が表示されたきは液晶表示器５１の近傍に設けられたランプ６０が消灯する。
【０２０７】
このように、本実施形態では、図３２（ａ）と図３２（ｂ）、図３３（ａ）と図３３（ｂ）とを比較すると、低設定を示唆する画像を表示する画面は、キャラクタＡ（１０１）を含むデフォルト画面Ａ（２００）と、キャラクタＢ（１０２）を含むデフォルト画面Ｂ（２０３）とを含む。そして、高設定を示唆する画像を表示する画面は、帽子と洋服を着用するキャラクタＡ（１０１）を含む第１高設定示唆画面２０１と、模様が異なるが帽子と洋服を着用するという点で共通する態様のキャラクタＢ（１０２）を含む第１高設定示唆画面２０５とを含む。
【０２０８】
なお、本実施形態では、ＡＴモードＡにおいてもＡＴモードＢにおいても、第１高設定示唆画面２０１および第１高設定示唆画面２０５においてキャラクタＡとキャラクタＢをデフォルト画面Ａおよびデフォルト画面Ｂよりも小さいサイズで表示しているが、第１高設定示唆画面２０１および第１高設定示唆画面２０５においてキャラクタＡとキャラクタＢをデフォルト画面Ａおよびデフォルト画面Ｂよりも大きいサイズで表示してもよい。いずれの場合でも、同一のキャラクタを表示しているが種類の異なる画面であることを遊技者が認識しやすくすることができる。
【０２０９】
また、本実施形態では、ＡＴモードＡやＡＴモードＢでは第１高設定示唆画面２０１および第１高設定示唆画面２０５をそれぞれ１種類設けているが、第１高設定示唆画面を複数種類設けて各々が異なる内容を示唆するように構成してもよい。例えば、第１高設定示唆画面を複数種類設け、複数種類の第１高設定示唆画面のうちの第１画像を表示する第１高設定示唆画面は偶数設定であることを示唆し、第２画像を表示する第１高設定示唆画面は奇数設定であることを示唆するように構成する例を挙げることができる。また、例えば、第１高設定示唆画面を複数種類設け、複数種類の第１高設定示唆画面のうちの第１画像を表示する第１高設定示唆画面は設定４〜６であることを示唆し、第２画像を表示する第１高設定示唆画面は設定６の確定であることを示唆するように構成する例を挙げることができる。なお、デフォルト画面Ａやデフォルト画面Ｂに関しては、これらを複数種類設けた場合でもいずれの画面も設定値の示唆割合や示唆する設定値が異ならないように構成することが好適である。また、第２高設定示唆画面や第３高設定画面も複数種類設けて同様に構成することも可能である。
【０２１０】
なお、特定状況において設定値の示唆が行われなかった場合には、設定値の示唆が行われない状況が生じる前よりも設定値の示唆が行われる割合が高くなるように構成することが可能である。具体的には、ＡＴモードＡのデフォルト画面Ａが設定値に関わらず同一割合で選択されるようにするとともに、ＡＴモードＢのデフォルト画面Ｂが設定値に関わらず同一割合で選択されるようにする。そして、ＡＴモードＡでデフォルト画面Ａが表示されたときは、表示前よりも第１高設定示唆画像や第２高設定示唆画像の表示割合を高くする。また、ＡＴモードＢでデフォルト画面Ｂが表示されたときは、表示前よりも第１高設定示唆画像や第２高設定示唆画像の表示割合を高くするように構成する例を挙げることができる。
【０２１１】
なお、法則崩れによるデフォルト画面の表示が行われた後は、法則崩れによるデフォルト画面に表示が行われる前よりも、法則崩れによるデフォルト画面の表示が行われる割合を高くすることも可能である。例えば、ＡＴモードＡにおいてデフォルト画面Ｂが表示されたときは、ＡＴモードＡにおいてデフォルト画面Ｂが表示される前よりもＡＴモードＡにおいてデフォルト画面Ｂが表示される割合を高くするように構成する例を挙げることができる。ＡＴモードＢにおいても同様である。
【０２１２】
なお、本実施形態では、ＡＴモードＡおよびＡＴモードＢのいずれの場合でも有利区間では同一の状態（ＣＺ）に制御される構成としているが、それぞれの終了後に有利度の異なる状態に制御してもよい。例えば、ＡＴモードＡの終了後にはＡＴの低確率状態（いわゆる通常状態）に制御し、ＡＴモードＢの終了後にはＡＴの高確率状態することが挙げられる。このように構成することにより、デフォルト画面Ｂが表示されたときはＡＴの終了後に高確率状態となることに期待できる一方で、法則崩れによりＡＴモードＡの終了時にデフォルト画面Ｂが表示されたときは高設定に期待できる。よって、デフォルト画面Ｂが表示されることへの遊技者に注目を集めることができる。
【０２１３】
［上乗せ特化ゾーンのバトル演出について］
次に、上乗せ特化ゾーンで実行されるバトル演出の具体例について図３４〜図３８を用いて説明する。バトル演出では、内部抽選によって所定の抽選役に当選すると敵キャラクタに攻撃を加えることができる。また、味方キャラクタの体力はデフォルトで５ポイント付与されている。そして、バトル演出が終了したとき（すなわち、バトル演出開始から３０ゲームが行われたとき）に味方キャラクタの体力が残っていれば味方キャラクタの勝利となる。
【０２１４】
図３４はバトル演出においてバトルに負けるパターンを示している。
【０２１５】
図３４（ａ）に示すように、ＡＴ中にゲームが開始されて上乗せ抽選に当選すると、バトル演出が開始されることを示す演出開始画面１２０が表示される。具体的には「バトル開始！」という文字が表示される。
【０２１６】
図３４（ｂ）に示すように、演出開始画面１２０の表示後にバトル画面１２１が表示され、バトル演出が開始される。バトル画面１２１では、味方キャラクタ１２２と敵キャラクタ１２３がバトルしている様子が表示される。また、バトル画面１２１の上方には味方キャラクタ１２２の体力１２４が表示される。体力１２４はデフォルトでは５ポイントが付与される。
【０２１７】
図３４（ｃ）に示すように、バトル開始から３０ゲームが経過するとバトルが終了する。図示の例では、味方キャラクタ１２１の体力が０ポイントになって敵キャラクタ１２３が勝利した様子を示している。
【０２１８】
図３４（ｄ）に示すように、バトル演出が終了すると演出の結果を示す演出結果画面１２５が表示される。図示の例ではバトルに負けたことを示す「ＬＯＳＥ・・・」という文字が表示されている。
【０２１９】
図３４の例ではバトル演出に負けたので上乗せ分のＡＴが付与されない。バトルに負けると上乗せ特化ゾーンは終了してＡＴに復帰する。
【０２２０】
図３５はバトル演出においてバトルに勝利するパターンを示している。
【０２２１】
図３５（ａ）に示すように、ＡＴ中にゲームが開始されて上乗せ抽選に当選すると、バトル演出が開始されることを示す演出開始画面１２０が表示される。具体的には「バトル開始！」という文字が表示される。
【０２２２】
図３５（ｂ）に示すように、演出開始画面１２０の表示後にバトル画面１２１が表示され、バトル演出が開始される。バトル画面１２１では、味方キャラクタ１２２と敵キャラクタ１２３がバトルしている様子が表示される。また、バトル画面１２１の上方には味方キャラクタ１２２の体力１２４が表示される。体力１２４はデフォルトでは５ポイントが付与される。
【０２２３】
図３５（ｃ）に示すように、バトル開始から３０ゲームが経過するとバトルが終了する。図示の例では、味方キャラクタ１２１の体力が１ポイント残り、味方キャラクタ１２１が勝利した様子を示している。
【０２２４】
図３５（ｄ）に示すように、バトル演出が終了すると演出の結果を示す演出結果画面１２５が表示される。図示の例ではバトルに勝利したことを示す「ＷＩＮ！」という文字が表示されている。また、バトルに勝利したので、演出結果画面１２５では、ＡＴが１セット上乗せされた旨とバトル演出がもう１度行われる旨（すなわち、上乗せ特化ゾーンが１セット追加された旨）も表示される。
【０２２５】
図３５（ｅ）に示すように、次ゲームが開始されると、バトル演出が開始されることを示す演出開始画面１２０が表示される。具体的には「バトル開始！」という文字が表示される。
【０２２６】
図３５（ｂ）に示すように、演出開始画面１２０の表示後にバトル画面１２１が表示され、バトル演出が開始される。バトル画面１２１では、味方キャラクタ１２２と敵キャラクタ１２３がバトルしている様子が表示される。また、バトル画面１２１の上方には味方キャラクタ１２２の体力１２４が表示される。体力１２４はデフォルトでは５ポイントが付与される。
【０２２７】
図３５（ｃ）に示すように、バトル開始から３０ゲームが経過するとバトルが終了する。図示の例では、味方キャラクタ１２１の体力が０ポイントになって敵キャラクタ１２３が勝利した様子を示している。
【０２２８】
図３５（ｄ）に示すように、バトル演出が終了すると演出の結果を示す演出結果画面１２５が表示される。図示の例ではバトルに負けたことを示す「ＬＯＳＥ・・・」という文字が表示されている。
【０２２９】
図３５の例ではバトル演出に勝利したのでＡＴが１セット付与されるとともに上乗せ特化ゾーンも１セット付与される。バトルに負けると上乗せ特化ゾーンは終了してＡＴに復帰する。バトルに勝利すると上乗せ特化ゾーンが終了することなくさらにＡＴと上乗せ特化ゾーンが１セット付与される。すなわち、バトルに勝利する限り上乗せ特化ゾーンに制御され続ける。なお、有利区間が終了するときは上乗せ特化ゾーンも終了する。
【０２３０】
図３６は体力アップ抽選に当選してバトル演出においてバトルに勝利するパターンを示している。
【０２３１】
図３６（ａ）に示すように、ＡＴ中にゲームが開始されて上乗せ抽選に当選すると、バトル演出が開始されることを示す演出開始画面１２０が表示される。具体的には「バトル開始！」という文字が表示される。
【０２３２】
図３６（ｂ）に示すように、演出開始画面１２０の表示後に体力アップ抽選に当選したことを示す当選報知画面１２６が表示される。具体的には「体力アップ！」という文字が表示される。
【０２３３】
図３６（ｃ）に示すように、当選報知画面１２６の表示後にバトル画面１２１が表示され、バトル演出が開始される。バトル画面１２１では、味方キャラクタ１２２と敵キャラクタ１２３がバトルしている様子が表示される。また、バトル画面１２１の上方には味方キャラクタ１２２の体力１２４が表示される。また、体力アップ抽選に当選したので体力１２４は６ポイントが付与される。
【０２３４】
図３６（ｄ）に示すように、バトル開始から３０ゲームが経過するとバトルが終了する。図示の例では、味方キャラクタ１２１の体力が２ポイント残り、味方キャラクタ１２１が勝利した様子を示している。
【０２３５】
図３６（ｅ）に示すように、バトル演出が終了すると演出の結果を示す演出結果画面１２５が表示される。図示の例ではバトルに勝利したことを示す「ＷＩＮ！」という文字が表示されている。また、バトルに勝利したので、演出結果画面１２５では、ＡＴが１セット上乗せされた旨とバトル演出がもう１度行われる旨（すなわち、上乗せ特化ゾーンが１セット追加された旨）も表示される。
【０２３６】
図３６（ｆ）に示すように、次ゲームが開始されると、バトル演出が開始されることを示す演出開始画面１２０が表示される。具体的には「バトル開始！」という文字が表示される。
【０２３７】
図３６（ｇ）に示すように、演出開始画面１２０の表示後にバトル画面１２１が表示され、バトル演出が開始される。バトル画面１２１では、味方キャラクタ１２２と敵キャラクタ１２３がバトルしている様子が表示される。また、バトル画面１２１の上方には味方キャラクタ１２２の体力１２４が表示される。また、２回目のバトル演出では体力アップ抽選に当選しなかった体力１２４はデフォルトの５ポイントに戻る。
【０２３８】
図３６（ｈ）に示すように、バトル開始から３０ゲームが経過するとバトルが終了する。図示の例では、味方キャラクタ１２１の体力が０ポイントになって敵キャラクタ１２３が勝利した様子を示している。
【０２３９】
図３６（ｉ）に示すように、バトル演出が終了すると演出の結果を示す演出結果画面１２５が表示される。図示の例ではバトルに負けたことを示す「ＬＯＳＥ・・・」という文字が表示されている。
【０２４０】
図３６の例では、１回目のバトル演出では体力アップ抽選に当選したので体力が１ポイントアップした状態でバトル演出が行われる。また、１回目のバトル演出に勝利したのでＡＴが１セット付与されるとともに上乗せ特化ゾーンも１セット付与される。２回目のバトル演出では体力アップ抽選に当選しなかったので体力がデフォルトの５ポイントに戻る。すなわち、体力アップ抽選でアップした体力はそのバトル演出に限り有効である。バトルに負けると上乗せ特化ゾーンは終了してＡＴに復帰する。バトルに勝利すると上乗せ特化ゾーンが終了することなくさらにＡＴと上乗せ特化ゾーンが１セット付与される。すなわち、バトルに勝利する限り上乗せ特化ゾーンに制御され続ける。なお、有利区間が終了するときは上乗せ特化ゾーンも終了する。
【０２４１】
図３７はバトルに勝利して味方キャラクタがレベルアップするパターンを示している。
【０２４２】
図３７（ａ）に示すように、ＡＴ中にゲームが開始されて上乗せ抽選に当選すると、バトル演出が開始されることを示す演出開始画面１２０が表示される。具体的には「バトル開始！」という文字が表示される。
【０２４３】
図３７（ｂ）に示すように、当選報知画面１２６の表示後にバトル画面１２１が表示され、バトル演出が開始される。バトル画面１２１では、味方キャラクタ１２２と敵キャラクタ１２３がバトルしている様子が表示される。また、バトル画面１２１の上方には味方キャラクタ１２２の体力１２４が表示される。また、体力アップ抽選に当選しなかったので体力１２４はデフォルトの５ポイントが付与される。
【０２４４】
図３７（ｃ）に示すように、バトル開始から３０ゲームが経過するとバトルが終了する。図示の例では、味方キャラクタ１２１の体力が３ポイント残り、味方キャラクタ１２１が勝利した様子を示している。本例では、味方キャラクタ１２１が勝利したときに残りの体力が３ポイント以上である場合は味方キャラクタ１２１がレベルアップする。
【０２４５】
図３７（ｄ）に示すように、バトル演出が終了すると演出の結果を示す演出結果画面１２５が表示される。図示の例ではバトルに勝利したことを示す「ＷＩＮ！」という文字が表示されている。また、バトルに勝利したので、演出結果画面１２５では、ＡＴが１セット上乗せされた旨とバトル演出がもう１度行われる旨（すなわち、上乗せ特化ゾーンが１セット追加された旨）も表示される。さらに、味方キャラクタ１２１がレベルアップした旨も表示される。
【０２４６】
図３７（ｆ）に示すように、次ゲームが開始されると、バトル演出が開始されることを示す演出開始画面１２０が表示される。具体的には「バトル開始！」という文字が表示される。
【０２４７】
図３７（ｇ）に示すように、演出開始画面１２０の表示後にバトル画面１２１が表示され、バトル演出が開始される。バトル画面１２１では、味方キャラクタ１２２と敵キャラクタ１２３がバトルしている様子が表示される。また、バトル画面１２１の上方には味方キャラクタ１２２の体力１２４が表示される。また、１回目のバトル演出で味方キャラクタ１２１がレベルアップしたので、２回目のバトル演出では体力１２４が６ポイントになる。味方キャラクタ１２１がレベルアップにより付与された体力は制御中の有利区間が終了するまで維持される。
【０２４８】
図３７（ｈ）に示すように、バトル開始から３０ゲームが経過するとバトルが終了する。図示の例では、味方キャラクタ１２１の体力が０ポイントになって敵キャラクタ１２３が勝利した様子を示している。
【０２４９】
図３７（ｉ）に示すように、バトル演出が終了すると演出の結果を示す演出結果画面１２５が表示される。図示の例ではバトルに負けたことを示す「ＬＯＳＥ・・・」という文字が表示されている。
【０２５０】
図３７（ｊ）に示すように、味方キャラクタ１２１がレベルアップしたのでＡＴに復帰しても上乗せ特化ゾーンに制御される確率が上昇する。このため、その旨を示す上乗せ特化ゾーン突入率アップ報知画面１２７が演出結果画面を所定期間表示した後に表示される。そして、上乗せ特化ゾーン突入率アップ報知画面１２７は賭数の設定が行われたときに表示を終了する。なお、復帰したＡＴが終了すると通常状態に制御され、通常状態で所定ゲーム数のゲームが行われると有利区間は終了する。しかし、所定ゲーム数までにＡＴを引き戻したときには引き戻したＡＴが終了して所定ゲーム数のゲームが行われるまで有利区間は継続する。そして、味方キャラクタがレベルアップした状態は引き戻したＡＴにおいても維持される。このため、味方キャラクタがレベルアップしたときはＡＴが終了した後の通常状態においてＡＴの引き戻しへの期待感が高まる。
【０２５１】
なお、上乗せ特化ゾーン突入率アップ報知画面１２７の表示は遊技者による操作手段の操作に応じて表示してもよい。この場合は、例えば、遊技者の操作を促す演出を実行する。そして、上乗せ特化ゾーンの制御確率が上昇するときには上昇しないときよりも当該演出が実行されやすくすることが好適である。
【０２５２】
図３８は味方キャラクタがレベルアップした状態で体力アップ抽選に当選してバトルに勝利するパターンを示している。
【０２５３】
図３８（ａ）に示すように、ＡＴ中にゲームが開始されて上乗せ抽選に当選すると、バトル演出が開始されることを示す演出開始画面１２０が表示される。具体的には「バトル開始！」という文字が表示される。
【０２５４】
図３８（ｂ）に示すように、演出開始画面１２０の表示後に体力アップ抽選に当選したことを示す当選報知画面１２６が表示される。具体的には「体力アップ！」という文字が表示される。
【０２５５】
図３８（ｃ）に示すように、当選報知画面１２６の表示後にバトル画面１２１が表示され、バトル演出が開始される。バトル画面１２１では、味方キャラクタ１２２と敵キャラクタ１２３がバトルしている様子が表示される。また、バトル画面１２１の上方には味方キャラクタ１２２の体力１２４が表示される。また、レベルアップして体力が６ポイントになったうえに体力アップ抽選に当選したので体力１２４は７ポイントが付与される。
【０２５６】
図３８（ｄ）に示すように、バトル開始から３０ゲームが経過するとバトルが終了する。図示の例では、味方キャラクタ１２１の体力が２ポイント残り、味方キャラクタ１２１が勝利した様子を示している。
【０２５７】
図３８（ｅ）に示すように、バトル演出が終了すると演出の結果を示す演出結果画面１２５が表示される。図示の例ではバトルに勝利したことを示す「ＷＩＮ！」という文字が表示されている。また、バトルに勝利したので、演出結果画面１２５では、ＡＴが１セット上乗せされた旨とバトル演出がもう１度行われる旨（すなわち、上乗せ特化ゾーンが１セット追加された旨）も表示される。
【０２５８】
図３８（ｆ）に示すように、次ゲームが開始されると、バトル演出が開始されることを示す演出開始画面１２０が表示される。具体的には「バトル開始！」という文字が表示される。
【０２５９】
図３８（ｇ）に示すように、演出開始画面１２０の表示後にバトル画面１２１が表示され、バトル演出が開始される。バトル画面１２１では、味方キャラクタ１２２と敵キャラクタ１２３がバトルしている様子が表示される。また、バトル画面１２１の上方には味方キャラクタ１２２の体力１２４が表示される。また、１回目のバトル演出で味方キャラクタ１２１がレベルアップしたので、２回目のバトル演出では体力１２４が６ポイントになる。味方キャラクタ１２１がレベルアップにより付与された体力は制御中の有利区間が終了するまで維持される。なお、１回目のバトル演出で体力アップ抽選により付与された体力は１回目のバトル演出で消滅する。
【０２６０】
図３８（ｈ）に示すように、バトル開始から３０ゲームが経過するとバトルが終了する。図示の例では、味方キャラクタ１２１の体力が０ポイントになって敵キャラクタ１２３が勝利した様子を示している。
【０２６１】
図３８（ｉ）に示すように、バトル演出が終了すると演出の結果を示す演出結果画面１２５が表示される。図示の例ではバトルに負けたことを示す「ＬＯＳＥ・・・」という文字が表示されている。
【０２６２】
［エンディング画面の選択率の変形例について］
次に、図３０のＳｃ３の画面選択抽選におけるエンディング画面の選択率の変形例について図３９を用いて説明する。本変形例では、デフォルト画面は設定値にかかわらず同一割合とし、さらに、図３１で例に挙げた画面に加えて、偶数設定であるときにはその旨を示唆し、奇数設定であるときはその旨を示唆する偶数または奇数設定示唆画面を表示可能である。そのうえで以下のような選択割合が設定されている。
【０２６３】
図３９（ａ）に示すように、ＡＴモードＡで設定１〜３のときは、デフォルト画面Ａが７０％、第１高設定示唆画面が３％、ＡＴモードＢのデフォルト画面Ｂ（いわゆる、法則崩れの発生）が３％、デフォルト画面Ａに第２高設定示唆画面を重ねた画面が３％、第３高設定示唆画面が０％、偶数または奇数設定示唆画面が２１％の割合で選択される。
【０２６４】
また、ＡＴモードＡで設定４〜６のときは、デフォルト画面Ａが７０％、第１高設定示唆画面が５％、ＡＴモードＢのデフォルト画面Ｂ（いわゆる、法則崩れの発生）が５％、デフォルト画面Ａに第２高設定示唆画面を重ねた画面が５％、第３高設定示唆画面が８％、偶数または奇数設定示唆画面が７％の割合で選択される。
【０２６５】
図３９（ｂ）に示すように、ＡＴモードＢで設定１〜３のときは、デフォルト画面Ｂが７０％、第１高設定示唆画面が３％、ＡＴモードＡのデフォルト画面Ａ（いわゆる、法則崩れの発生）が３％、デフォルト画面Ａに第２高設定示唆画面を重ねた画面が３％、第３高設定示唆画面が０％、偶数または奇数設定示唆画面が２１％の割合で選択される。
【０２６６】
また、ＡＴモードＢで設定４〜６のときは、デフォルト画面Ｂが７０％、第１高設定示唆画面が５％、ＡＴモードＡのデフォルト画面Ａ（いわゆる、法則崩れの発生）が５％、デフォルト画面Ａに第２高設定示唆画面を重ねた画面が５％、第３高設定示唆画面が８％、偶数または奇数設定示唆画面が７％の割合で選択される。
【０２６７】
［その他、変形例について］
以下、その他の変形例について説明する。
【０２６８】
［有利状態について］
上記実施形態では、有利状態として、ＡＴを例に挙げたが、例えば、スロットマシンでは、ボーナス、ＡＲＴ、ＲＴ、ＣＴ、パチンコ遊技機では、大当たり、確変状態、時短状態など、上記実施形態と異なる状況を有利状態としてもよい。
【０２６９】
［有利状態に係る決定について］
上記実施形態では、有利状態に係る決定としてＡＴを上乗せするか否かの決定を例に挙げたが、例えば、有利状態の終了のたびに有利状態を継続するか否かを決定する構成とし、当該決定を有利状態に係る決定としてもよい。この場合には、特定権利や所定権利が付与されたときは有利状態の継続率を上昇させる。具体的には、例えば、有利状態の終了時に有利状態を継続するか否かを決定する継続演出を実行する。そして、継続演出中に所定の突入条件が成立したときに、継続演出を中断して有利状態の継続率を上昇させるか否かを決定する継続率特化ゾーンに突入させる。継続率特化ゾーンでは、当該継続率特化ゾーンの延長抽選や、特定権利や所定権利の付与抽選を実行する。すなわち、継続率特化ゾーンが延長されると特定権利や所定権利が付与されやすくなり、有利状態が継続しやすくする。ここで、特定権利付与前は有利状態の継続率を５０％とし、継続率特化ゾーンへの突入率を３％に設定したとする。そして、継続率特化ゾーンにおいて特定権利が付与されたときには、以降、有利区間の終了まで有利状態の継続率を８０％とし、継続率特化ゾーンへの突入率を５％とする。また、所定権利が付与されたときには、当該所定権利が付与された継続率特化ゾーンの突入時に中断した継続演出においてのみ有利状態の継続率を８０％とする。
【０２７０】
［特定権利について］
上記実施形態では、特定権利として味方キャラクタのレベルアップによる体力を付与することによりＡＴの上乗せ期待度を上昇させたが、特定権利の付与により、例えば、有利状態の継続率を上昇させる、大当たり中にラウンドの継続抽選を行うパチンコ遊技機において全ラウンドのラウンド継続率を上昇させる、パチンコ遊技機の大当たりの連チャン確率を上昇させるなど、特定権利が付与されたときに上記実施形態と異なる決定を有利にしてもよい。
［特定権利が付与されている旨を示唆する示唆演出について］
上記実施形態では、特定権利が付与されている旨を示唆する示唆演出として味方キャラクタがレベルアップした旨の文字を表示したが、例えば、ＡＴ開始時や復帰時のタイトル画面、ＡＴ中の背景、バトル演出の相手や内容による示唆など、上記実施形態と異なる態様の演出にしてもよい。
【０２７１】
［所定権利について］
上記実施形態では、所定権利として味方キャラクタの体力をアップさせることによりＡＴの上乗せ期待度を上昇させたが、所定権利の付与により、例えば、有利状態の継続率を上昇させる、大当たり中にラウンドの継続抽選を行うパチンコ遊技機において特定ラウンドのラウンド継続率を上昇させるなど、所定権利が付与されたときに上記実施形態と異なる決定を有利にしてもよい。
【０２７２】
［特定状態について］
上記実施形態では、特定状態として上乗せ特化ゾーンを例に挙げたが、例えば、有利状態に制御される確率が高くなる高確率状態など、上記実施形態と異なる内容の状態を特定状態としてもよい。
【０２７３】
［有利度について］
上記実施形態では、有利度として、設定値を例に挙げたが、有利度として、例えば、有利状態の継続率、有利状態の制御期間の上乗せ、演出種類の増加、プレミアム演出が出現しやすい状態への移行など、上記実施形態と異なる有利度にしてもよい。有利状態の継続率とは、例えば、スロットマシンではＡＴやＡＲＴ、ボーナスの継続率、パチンコ遊技機では大当たりのラウンド継続率を挙げることができる。
【０２７４】
［第１状況と第２状況について］
上記実施形態では、第１状況と第２状況として、演出態様の異なるＡＴモードＡとＡＴモードＢとを例に挙げたが、例えば、スロットマシンでは、払出枚数や演出態様の異なるボーナス、ＡＴとＡＲＴ、ＢＢとＲＢ、ＢＢとＲＴ、ＲＢとＲＴ、ＡＴなどの連チャン回数の異なる状況（１回目のＡＴと連チャンによる２回目のＡＴなど）、パチンコ遊技機では、大当たり時における態様の異なるラウンド開始画面、大当たりと確変状態、大当たりと時短状態、確変状態と時短状態など、上記実施形態と異なる状況を第１状況および第２状況としてもよい。
【０２７５】
［特定状況について］
上記実施形態では、特定状況として、ＡＴを例に挙げたが、例えば、スロットマシンでは、ボーナス、ＡＲＴ、ＲＴ、ＣＴ、パチンコ遊技機では、大当たり、確変状態、時短状態など、上記実施形態と異なる状況を特定状況としてもよい。
【０２７６】
［示唆制御について］
上記実施形態では、示唆制御として、液晶表示器５１による画面の表示を例に挙げたが、例えば、音の出力、ＬＥＤやランプの点灯や点滅、リールの背面側（内側）に配置されたバックランプの点滅や消灯、リールの前面側に配置された透過液晶表示器（リールを目視できるように構成された液晶表示器）による画像の表示、操作手段の振動や温度の変化など、上記実施形態と異なる態様の示唆制御を行ってもよい。
例えば、第１図柄がテンパイしたときを第１状況とし、第１図柄がテンパイしたときに第１テンパイ音を出力する。また、第２図柄がテンパイしたときを第２状況とし、第２図柄がテンパイしたときは第２テンパイ音が出力されるようにする。そして、第１示唆制御を行うときは、第１状況および第２状況のいずれのときでも有利な設定であることを示唆するテンパイ音を出力する。また、第２示唆制御を行うときは、第１図柄がテンパイしたときに第２テンパイ音を出力することにより有利な設定であることを示唆する。さらに、第２示唆制御を行うときは、第２図柄がテンパイしたときに第１テンパイ音を出力することにより有利な設定であることを示唆する。
【０２７７】
［示唆制御による示唆について］
上記実施形態では、示唆制御により設定１〜３と設定４〜６のいずれであるかを示唆する例に挙げたが、例えば、複数の設定の各々を示唆する、特定設定であることを示唆する（設定６確定示唆など）、有利状態の継続率を示唆するなど、上記実施形態と異なる内容の示唆を行うようにしてもよい。
【０２７８】
［第２種類の画像の第１特定態様と第２特定態様について］
上記実施形態では、第１特定態様と第２特定態様が共通する態様である例として、裸のキャラクタに対して帽子や服装を着用するという態様が共通する例を挙げたが、例えば、変身前のキャラクタに対して変身後という態様が共通する、あるいは、大人のキャラクタに対して子供時代のキャラクタという態様が共通する、あるいは、合体前や変身前のロボットのキャラクタに対して合体後や変身後のキャラクタという態様が共通するなど、第１特定態様と第２特定態様とを共通の態様にする方法は上記実施形態と異なる方法にしてもよい。すなわち、第１特定態様と第２特定態様の態様が共通するとは第１キャラクタや第２キャラクタが属する属性が共通すると換言することができる。
【０２７９】
［本実施形態の効果］
次に、本実施形態の効果を説明する。
【０２８０】
（１−１）  本実施形態では、上乗せ特化ゾーンのバトル演出において味方キャラクタのレベルアップにより付与された体力は有利区間が終了するまで消滅しない（本例では、図２４、図２８のＳｂ４の処理を行う部分）。
よって、味方キャラクタのレベルアップにより体力が付与されることに遊技者がより期待するので、遊技の興趣を高めることができる。
【０２８１】
（１−２）  本実施形態では、味方キャラクタのレベルアップにより体力が付与されているときにその旨を示唆する示唆演出を実行する（本例では、図３７（ｄ）に示す部分）。
よって、味方キャラクタのレベルアップにより体力が付与されていることが分かるので遊技者に期待感を抱かせることができる。
【０２８２】
（１−３）  本実施形態では、体力アップ抽選により体力を付与可能であり、体力アップ抽選により付与された体力は上乗せ抽選が行われたことに基づいて消滅する（本例では、図２４、図３８に示す部分）。
よって、体力アップ抽選により体力が付与されることに遊技者が期待し、遊技の興趣を高めることができる。
【０２８３】
（１−４）  本実施形態では、味方キャラクタのレベルアップにより体力が付与されているか、体力アップ抽選により体力が付与されているかを特定可能に示唆する（本例では、図３７、図３８に示す部分）。
よって、いずれが付与されているかが分かり、遊技者に期待感を抱かせることができる。
【０２８４】
（１−５）  本実施形態では、味方キャラクタのレベルアップにより体力が付与されているときは上乗せ特化ゾーンに制御される確率が高くなる（本例では、図２７のＳａ７、Ｓａ１６の処理を行う部分）。
よって、遊技者の興趣を高めることができる。
【０２８５】
（１−６）  本実施形態では、味方キャラクタのレベルアップによる体力は上乗せ特化ゾーンで付与される（本例では、図２４、図３７に示す部分）。
よって、上乗せ特化ゾーンの制御に遊技者の注目を集めることができる。
【０２８６】
（１−７）  本実施形態では、ＡＴ終了後に所定期間が経過すると有利区間が終了し、先のＡＴで味方キャラクタがレベルアップした場合には、同一有利区間において再度制御されたＡＴでも味方キャラクタのレベルアップによる体力が付与される（本例では、図２４に示す部分）。
よって、所定期間内に再度ＡＴに制御されることへの遊技者の注目を集めることができる。
【０２８７】
（１−８）  本実施形態では、上乗せ特化ゾーンにおいて、ＡＴが長くなるようにＡＴの終了条件を変更する第１変更制御（本例では、図２７のＳａ１０の処理を行う部分）と、上乗せ特化ゾーンが長くなるように上乗せ特化ゾーンの終了条件を変更する第２変更制御（本例では、図２７のＳａ９の処理を行う部分）と、上乗せ特化ゾーン終了後のＡＴにおいて上乗せ特化ゾーンに制御されやすくする第３変更制御（本例では、図２７のＳａ１４の処理を行う部分）とを実行可能である。
よって、上乗せ特化ゾーンの継続に注目させることができる。
【０２８８】
（１−９）  本実施形態では、第２変更制御が行われたときに第１変更制御が可能である（本例では、図２７のＳａ９、Ｓａ１０の処理を行う部分）。
よって、上乗せ特化ゾーンの継続に注目させることができる。
【０２８９】
（１−１０）  本実施形態では、第２変更制御が行われたときに必ず第１変更制御が行われる（本例では、図２７のＳａ９、Ｓａ１０の処理を行う部分）。
【０２９０】
（１−１１）  本実施形態では、第２変更制御が行われたときに第３変更制御が可能である（本例では、図２７のＳａ１４の処理を行う部分）。
よって、上乗せ特化ゾーンの継続に注目させることができる。
【０２９１】
（１−１２）  本実施形態では、上乗せ特化ゾーンを終了するときに、第１〜第３変更制御の実行状況を報知する（本例では、図３５の（ｄ）、図３６の（ｅ）、図３７の（ｄ）、図３８の（ｅ）の処理を行う部分）。
上乗せ特化ゾーンにおいて、どれだけ有利になったかを分かりやすくすることができる。
【０２９２】
（１−１３）  本実施形態では、ＡＴが上乗せされることを報知してから上乗せ特化ゾーンに制御されやすくする旨を報知する（本例では、図３７の（ｄ）、（ｉ）が示す部分）。
上乗せ特化ゾーンにおいて、どれだけ有利になったかを分かりやすくすることができる。
【０２９３】
（１−１４）  本実施形態では、第３変更制御を行う旨を報知するときに遊技者の操作に応じて報知することが可能である。
よって、遊技の興趣を高めることができる。
【０２９４】
（２−１）  本実施形態では、ＡＴモードＡとＡＴモードＢとのいずれにおいても有利な設定である設定４〜６であるときに実行確率の高い第１演出（本例では、第１高設定示唆画面の表示）を行う第１示唆制御と、ＡＴモードＢでは設定値に関わらず実行割合が同一であるか、または設定値が有利になると実行割合が低くなるがＡＴモードＡでは有利な設定である設定４〜６であるときに実行確率の高い第２演出（本例では、デフォルト画面Ｂの表示）を行う第２示唆制御を実行可能である（本例では、図３１、図３２、図３３に示す部分）。
よって、遊技者が分かりやすい示唆制御と分かりにくい示唆制御とがあることで演出への遊技者の注目を集めることができる。
【０２９５】
（２−２）  本実施形態では、第１示唆制御および第２示唆制御により液晶表示器５１に画像を表示しているときに、液晶表示器５１近傍に設けられたランプ６０を消灯する（本例では、図３２（ｂ）〜（ｄ）、図３３（ｂ）〜（ｄ）に示す部分）。
よって、液晶表示器５１に表示されている画像を際立たせることができる。
【０２９６】
（２−３）  本実施形態では、ＡＴモードＡでは設定値に関わらず実行割合が同一であるか、または設定値が有利になると実行割合が低くなるがＡＴモードＢでは有利な設定である設定４〜６であるときに実行確率の高い第３演出（本例では、デフォルト画面Ａの表示）を行う第３示唆制御を実行可能である（本例では、図３１（ｂ）、図３３（ｄ）に示す部分）。
よって、ＡＴモードＡとＡＴモードＢのいずれにおいても演出への遊技者の注目を集めることができる。
【０２９７】
（２−４）  本実施形態では、第１示唆制御では第１高設定示唆画面の表示と当該画面におけるエフェクト表示とを併せて行う（本例では、図３２（ｂ）、図３３（ｂ）に示す部分）。
よって、第１示唆制御による演出の実行を分かりやすくすることができる。
【０２９８】
（２−５）  本実施形態では、第１演出における第１高設定示唆画面では、デフォルト画面Ａおよびデフォルト画面Ｂで用いられないキャラクタＣおよびキャラクタＤが用いられる（本例では、図３２（ｂ）、図３３（ｂ）に示す部分）。
よって、第１示唆制御による第１演出の実行を分かりやすくすることができる。
【０２９９】
（２−６）  本実施形態では、第２演出を実行した後は第２演出を実行する前よりも第２示唆制御を行う確率が高い。
よって、第１示唆制御による第１演出の実行を分かりやすくすることができる。また、第２演出実行後に期待感を抱かせることが可能になり、遊技の興趣を高めることができる。
【０３００】
（２−７）  本実施形態では、第１状況（本例では、ＡＴモードＡ）は第１状況の後にＡＴの低確率状態への制御が行われる一方、第２状況（本例では、ＡＴモードＢ）は第２状況の後に通常状態よりも有利な特定状態（本例では、通常状態よりもＡＴが高確率になる状態）への制御が行われる。
よって、第２演出により特定状態への制御が示唆されることになるので第２演出への遊技者の注目を集めることができる。
【０３０１】
（２−８）  本実施形態では、デフォルト画面Ａおよびデフォルト画面Ｂに加えて高設定示唆画像を表示する（本例では、図３２（ｃ）、図３３（ｃ）に示す部分）。
よって、遊技者が分かりやすい示唆制御と分かりにくい示唆制御とがあることで演出への遊技者の注目を集めることができる。
【０３０２】
（２−９）  本実施形態では、デフォルト画面Ａおよびデフォルト画面Ｂを表示した後に所定期間が経過してから高設定示唆画像を表示する（本例では、図３２（ｃ）、図３３（ｃ）に示す部分）。
よって、高設定示唆画像が途中から表示されることで、高設定示唆画像が表示されることへの注目を集めることができる。
【０３０３】
（２−１０）  本実施形態では、デフォルト画面Ａおよびデフォルト画面Ｂに替えて第１高設定示唆画面を表示するとともに、第１高設定示唆画面に加えて高設定示唆画像を表示する（本例では、図３２（ｄ）、図３３（ｄ）に示す部分）。
よって、複数の示唆制御が行われる状況に遊技者が期待し、遊技の興趣を高めることができる。
【０３０４】
（２−１１）  本実施形態では、デフォルト画面Ａおよびデフォルト画面Ｂにおいてキャラクタが表示されていない位置に高設定示唆画像が表示される（本例では、図３２（ｃ）、図３３（ｃ）に示す部分）。
よって、キャラクタの視認性を妨げないため、演出の効果を損ねることを防止できる。
【０３０５】
（２−１２）  本実施形態では、ＡＴの終了時において示唆制御が実行されない状況が生じた後はＡＴの終了時において示唆制御が実行されない状況が生じる前よりも示唆制御が行われる割合が高い。
よって、示唆制御が行われていることに遊技者が気付きやすくすることができる。
【０３０６】
（３−１）  本実施形態では、第１種類の画像（本例では、デフォルト画面Ａおよびデフォルト画面Ｂで表示される画像）と、第１種類の画像よりも有利な設定を示唆する第２種類の画像（本例では、第１高設定示唆画面で表示される画像）を表示可能であり、第１種類の画像はキャラクタＡを含む第１通常画像とキャラクタＢを含む第２通常画像とを含み、第２種類の画像は帽子と服を着用したキャラクタＡを含む第１特別画像と帽子と服を着用したキャラクタＢを含む第２特別画像とを含む（本例では、図３２（ａ）および図３２（ｂ）、図３３（ａ）および図３３（ｂ）に示す部分）。
よって、帽子と服を着用しているか否かに注目することで、画像による示唆内容が有利なものか否か判別しやすくすることができる。
【０３０７】
（３−２）  本実施形態では、液晶表示器５１に第１種類の画像や第２種類の画像を表示しているときに、液晶表示器５１近傍に設けられたランプ６０を消灯する（本例では、図３２（ｂ）〜（ｄ）、図３３（ｂ）〜（ｄ）に示す部分）。
よって、液晶表示器５１に表示されている画像を際立たせることができる。
【０３０８】
（３−３）  本実施形態では、第２種類の画像には第１種類の画像よりも画像に含まれるキャラクタの数が多い（本例では、図３２（ａ）および図３２（ｂ）、図３３（ａ）および図３３（ｂ）に示す部分）。
よって、第１種類の画像と第２種類の画像とを区別しやすくすることができる。
【０３０９】
（３−４）  本実施形態では、キャラクタＡとキャラクタＢの表示位置は第１種類の画像と第２種類の画像とで同一である（本例では、図３２（ａ）および図３２（ｂ）、図３３（ａ）および図３３（ｂ）に示す部分）。
よって、キャラクタの態様の違いを分かりやすくすることができる。
【０３１０】
（３−５）  本実施形態では、獲得枚数表示や総獲得枚数表示の表示位置を各画像に応じて異ならせた（本例では、図３２（ａ）および図３２（ｂ）、図３３（ａ）および図３３（ｂ）に示す部分）。
よって、獲得枚数表示や総獲得枚数表示と設定値の示唆との各々を判別しやすくすることができる。
【０３１１】
（３−６）  本実施形態では、第２種類の画像を表示するときにエフェクト表示を行い、エフェクト表示の色は第１種類の画像でモチーフとなった色と異なる。
よって、第１種類の画像を第２種類の画像と誤認してしまうことを防止できる。
【０３１２】
（３−７）  本実施形態では、第１種類の画像におけるキャラクタは青色をモチーフとして表示され、第２種類の画像におけるキャラクタは金色をモチーフとして表示される。
よって、画像の種類に応じた態様でキャラクタを表示することができる。
【０３１３】
（３−８）  本実施形態では、第１種類の画像と第２種類の画像のそれぞれに同一のキャラクタＡとキャラクタＢとが表示され、第１種類の画像よりも第２種類の画像のほうが小さく表示される（本例では、図３２（ａ）および図３２（ｂ）、図３３（ａ）および図３３（ｂ）に示す部分）。
または、第１種類の画像と第２種類の画像のそれぞれに同一のキャラクタＡとキャラクタＢとが表示され、第１種類の画像よりも第２種類の画像のほうが大きく表示される。
よって、同一のキャラクタを表示するときに違いを分かりやすくすることができる。
【０３１４】
（３−９）  本実施形態では、第２種類の画像を複数設け、複数の画像のうち第１画像は設定値が第１状態であることを示唆し第２画像は設定値が第２状態であることを示唆する。また、第１種類の画像が含む複数の画像が示唆する設定値に優劣がない。
よって、第２種類の画像に注目したうえでいずれの画像であるかに注目させることができる。
【０３１５】
（３−１０）  本実施形態では、獲得枚数表示や総獲得枚数表示は第１種類の画像と第２種類の画像とのいずれが表示されるかに関わらず共通の色で表示される。
よって、獲得枚数表示や総獲得枚数表示であることを分かりやすくすることができる。
【０３１６】
（Ｂ−１）  本実施形態では、メイン制御部４１は、特定状態の一例としてのＡＴに制御可能であり、サブ制御部９１は、ＡＴの制御を開始するときに開始画面を表示する一方、ＡＴの制御を終了するときにエンディング画面を表示しており、開始画面およびエンディング画面において背景画像に重畳して有利状態に関する文字画像を表示する。ここで、開始画面においては背景画像が爆発の動画像である一方、終了画面においては背景画像を含む全ての画像が静止画像である。
よって、開始画面の背景画像が動画像ではない遊技機や、エンディング画面の背景画像が静止画像ではない遊技機よりも開始画面がエンディング画面よりも目立ち易くなり、有利状態の開始に関する遊技者の印象を高めることができ、遊技の興趣が向上する。
また、本実施形態では、エンディング画面によって設定中の設定値を示唆する示唆制御を実行するときに表示される画像が静止画像としての背景画像である。
よって、示唆制御を実行するときに表示される画像が静止画像ではない遊技機よりも設定中の設定値の示唆を遊技者が認識し易くなる。
さらに、本実施形態では、第１種類の画像（本例では、デフォルト画面Ａおよびデフォルト画面Ｂで表示される画像）と、第１種類の画像よりも有利な設定を示唆する第２種類の画像（本例では、第１高設定示唆画面で表示される画像）を表示可能であり、第１種類の画像はキャラクタＡを含む第１通常画像とキャラクタＢを含む第２通常画像とを含み、第２種類の画像は帽子と服を着用したキャラクタＡを含む第１特別画像と帽子と服を着用したキャラクタＢを含む第２特別画像とを含む（本例では、図３２（ａ）および図３２（ｂ）、図３３（ａ）および図３３（ｂ）に示す部分）。
よって、帽子と服を着用しているか否かに注目することで、画像による示唆内容が有利なものか否か判別しやすくすることができる。
【０３１７】
（Ｂ−２）  本実施形態では、複数種類の静止画像（図３２および図３３に示す各エンディング画面で表示される文字画像以外の画像）のうちから表示される静止画像に応じてエンディング画面の文字画像の表示位置が異なる。
よって、複数種類の静止画像のうちから表示される静止画像に関わらず終了画面の文字画像の表示位置が同一であることで静止画像に文字画像が重畳して表示されたり静止画像が文字画像に重畳して表示されたりする虞がある遊技機よりも特定状態に関する情報と有利度の示唆との各々を判別し易くすることができる。
なお、本実施形態のように、複数種類の静止画像のうちから表示される静止画像に応じてエンディング画面の文字画像の表示位置が異なることが好ましいが、表示される静止画像に関わらずエンディング画面の文字画像の表示位置が同一であってもよい。この場合であっても、静止画像に文字画像が重畳して表示されたり静止画像が文字画像に重畳して表示されたりしないように文字画像の表示位置を設定することが好ましい。
【０３１８】
（Ｂ−３）  本実施形態では、複数種類の静止画像（図３２および図３３に示す各エンディング画面で表示される文字画像以外の画像）のうちから表示される静止画像に関わらず表示される終了画面の文字画像（獲得枚数表示や総獲得枚数表示）の表示色が共通の色である。
よって、複数種類の静止画像のうちから表示される静止画像に応じて表示される終了画面の文字画像の色彩が変化する遊技機よりも遊技者が終了画面の文字画像を認識し易くなる。
なお、本実施形態のように、静止画像に関わらず終了画面の文字画像の表示色が共通の色であることが好ましいが、静止画像に応じて終了画面の文字画像の表示色が異なってもよい。
【０３１９】
（Ｂ−４）  本実施形態では、第２種類の画像は、第１種類の画像よりも画像に含まれるキャラクタの数が多く（本例では、図３２（ａ）および図３２（ｂ）、図３３（ａ）および図３３（ｂ）に示す部分）、画像に含まれるキャラクタの各々が帽子と服を着用している。
よって、第２種類の画像に含まれるキャラクタの各々が帽子と服を着用していない遊技機よりも第１種類の画像と第２種類の画像とを区別し易くすることができる。
なお、本実施形態のように、第２種類の画像のほうが第１種類の画像よりも画像に含まれるキャラクタの数が多いことが好ましいが、第２種類の画像に含まれるキャラクタの数と第１種類の画像に含まれるキャラクタの数とが同一であってもよく、第２種類の画像のほうが第１種類の画像よりも画像に含まれるキャラクタの数が少なくてもよい。
なお、本実施形態のように、第２種類の画像に含まれるキャラクタの各々が帽子と服を着用していることが好ましいが、第２種類の画像に含まれるキャラクタによっては帽子と服を着用していなくてもよい。
【０３２０】
（Ｂ−５）  本実施形態では、キャラクタＡとキャラクタＢの表示位置は第１種類の画像と第２種類の画像とで同一である（本例では、図３２（ａ）および図３２（ｂ）、図３３（ａ）および図３３（ｂ）に示す部分）。
よって、キャラクタＡとキャラクタＢの表示位置は第１種類の画像と第２種類の画像とで異なる遊技機よりも第１キャラクタの態様の違いを分かり易くすることができる。
なお、本実施形態のように、キャラクタＡとキャラクタＢの表示位置が第１種類の画像と第２種類の画像とで同一または近似していることが好ましいが、キャラクタＡとキャラクタＢの表示位置は第１種類の画像と第２種類の画像とで近似していなくてもよい。
【０３２１】
（Ｂ−６）  本実施形態では、第１種類の画像と第２種類の画像とのそれぞれに同一のキャラクタＡとキャラクタＢとが表示され、第１種類の画像よりも前記第２種類の画像のほうが小さいサイズで表示される（本例では、図３２（ａ）および図３２（ｂ）、図３３（ａ）および図３３（ｂ）に示す部分）。また、変更例では、第１種類の画像と第２種類の画像のそれぞれに同一のキャラクタＡとキャラクタＢとが表示され、第１種類の画像よりも第２種類の画像のほうが大きく表示される。
よって、キャラクタＡとキャラクタＢとが第１種類の画像よりも第２種類の画像のほうが小さいサイズで表示されない遊技機や第１種類の画像よりも第２種類の画像のほうが大きいサイズで表示されない遊技機よりも同一のキャラクタを表示するときに違いを分かりやすくすることができる。
【０３２２】
なお、本実施形態では、第１種類の画像と第２種類の画像とで表示されるキャラクタＡとキャラクタＢの体や顔の色が青色か金色かで異なっているが、これに限定されず、第１種類の画像と第２種類の画像とで表示されるキャラクタＡとキャラクタＢの体や顔の色が同一であってもよく、例えば、第１種類の画像であるか第２種類の画像であるかに関わらず表示されるキャラクタＡとキャラクタＢの体や顔の色が青色であってもよい。
なお、本実施形態や変更例のように、第１種類の画像と第２種類の画像とに表示されるキャラクタＡとキャラクタＢとについては第１種類の画像よりも前記第２種類の画像のほうが小さいサイズで表示されたり、第１種類の画像よりも第２種類の画像のほうが大きく表示されたりすることが好ましいが、第１種類の画像であるか第２種類の画像であるかに関わらずキャラクタＡとキャラクタＢとが同一のサイズで表示されてもよい。
【０３２３】
（Ｂ−７）  本実施形態では、第２種類の画像を複数設け、複数の画像のうち第１画像は設定値が第１状態であることを示唆し第２画像は設定値が第２状態であることを示唆する。また、第１種類の画像が含む複数の画像が示唆する設定値に優劣がない。
よって、第２種類の画像に注目した上で何れの画像であるかに注目させることができる。
なお、本実施形態のように、複数の第２種類の画像のうち第１画像については設定値が第１状態であることを示唆し第２画像については設定値が第２状態であることを示唆することが好ましいが、第２種類の画像が含む複数の画像が示唆する設定値に優劣がなくてもよい。また、第１種類の画像が含む複数の画像が示唆する設定値に優劣がないことが好ましいが、複数の第１種類の画像のうち第１画像については設定値が第１状態であることを示唆し第２画像については設定値が第２状態であることを示唆してもよい。
【０３２４】
［上記実施形態が含む発明について］
なお、上記実施形態は、以下に示す（１−１）〜（３−１０）の発明を含むとともに、各発明は下記の効果を奏する。
【０３２５】
（１−１）
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
通常区間と、遊技者にとって有利な有利状態に制御可能となる有利区間とのうちのいずれかに制御可能な区間制御手段（例えば、メイン制御部４１）と、
前記有利区間において前記有利状態に係る決定を行う決定手段（例えば、図２７のＳａ７、Ｓａ１６、Ｓａ１７の処理を行う部分）と、
前記有利区間において特定権利（例えば、味方キャラクタのレベルアップ）を付与可能な特定権利付与手段（例えば、図２７のＳａ１２の処理を行う部分）とを備え、
前記決定手段は、前記特定権利が付与されているときは前記特定権利が付与されていないときよりも遊技者に有利になるように前記有利状態に係る決定を行い（例えば、図２７のＳａ７、Ｓａ１６の処理を行う部分）、
前記有利区間において前記特定権利が付与されたときは、該有利区間が終了するまで該特定権利が消滅しない（例えば、図２４に示す部分、図２８のＳｂ４の処理を行う部分）。
この構成によれば、特定権利が付与されると有利区間が終了するまで有利状態に係る決定が有利な条件で行われ続けるので、遊技者は特定権利の付与により期待する。よって、遊技の興趣を高めることができる。
【０３２６】
（１−２）
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
通常区間と、遊技者にとって有利な有利状態に制御可能となる有利区間とのうちのいずれかに制御可能な区間制御手段（例えば、メイン制御部４１）と、
前記有利区間において前記有利状態に係る決定を行う決定手段（例えば、図２７のＳａ７、Ｓａ１６、Ｓａ１７の処理を行う部分）と、
前記有利区間において特定権利（例えば、味方キャラクタのレベルアップ）を付与可能な特定権利付与手段（例えば、図２７のＳａ１２の処理を行う部分）とを備え、
前記決定手段は、前記特定権利が付与されているときは前記特定権利が付与されていないときよりも遊技者に有利になるように前記有利状態に係る決定を行い（例えば、図２７のＳａ７、Ｓａ１６の処理を行う部分）、
前記有利区間において前記特定権利が付与されたときは、該有利区間が終了するまで該特定権利が消滅せず（例えば、図２４に示す部分、図２８のＳｂ４の処理を行う部分）、
前記特定権利が付与されているときに、前記特定権利が付与されている旨を示唆する示唆演出を実行する演出実行手段（例えば、図３７（ｄ）に示す部分）をさらに備えた。
この構成によれば、特定権利が付与されていることが分かるので遊技者に期待感を抱かせることができる。
【０３２７】
（１−３）
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
通常区間と、遊技者にとって有利な有利状態に制御可能となる有利区間とのうちのいずれかに制御可能な区間制御手段（例えば、メイン制御部４１）と、
前記有利区間において前記有利状態に係る決定を行う決定手段（例えば、図２７のＳａ７、Ｓａ１６、Ｓａ１７の処理を行う部分）と、
前記有利区間において特定権利（例えば、味方キャラクタのレベルアップ）を付与可能な特定権利付与手段（例えば、図２７のＳａ１２の処理を行う部分）と、
前記有利区間において所定権利を付与可能な所定権利付与手段（例えば、図２７のＳａ５の処理を行う部分）とを備え、
前記決定手段は、前記特定権利が付与されているときは前記特定権利が付与されていないときよりも遊技者に有利になるように前記有利状態に係る決定を行い（例えば、図２７のＳａ７、Ｓａ１６の処理を行う部分）、
前記有利区間において前記特定権利が付与されたときは、該有利区間が終了するまで該特定権利が消滅せず（例えば、図２４に示す部分、図２８のＳｂ４の処理を行う部分）、
前記決定手段は、前記所定権利が付与されているときは前記所定権利が付与されていないときよりも遊技者に有利になるように前記有利状態に係る決定を行い（例えば、図２７のＳａ７、Ｓａ１６の処理を行う部分）、
前記有利区間において前記所定権利が付与されたときは、前記有利状態に係る決定が行われたことに基づいて該所定権利が消滅する（例えば、図２４、図３８に示す部分）。
この構成によれば、所定権利が付与されることに遊技者が期待し、遊技の興趣を高めることができる。
【０３２８】
（１−４）
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
通常区間と、遊技者にとって有利な有利状態に制御可能となる有利区間とのうちのいずれかに制御可能な区間制御手段（例えば、メイン制御部４１）と、
前記有利区間において前記有利状態に係る決定を行う決定手段（例えば、図２７のＳａ７、Ｓａ１６、Ｓａ１７の処理を行う部分）と、
前記有利区間において特定権利（例えば、味方キャラクタのレベルアップ）を付与可能な特定権利付与手段（例えば、図２７のＳａ１２の処理を行う部分）とを備え、
前記決定手段は、前記特定権利が付与されているときは前記特定権利が付与されていないときよりも遊技者に有利になるように前記有利状態に係る決定を行い（例えば、図２７のＳａ７、Ｓａ１６の処理を行う部分）、
前記有利区間において前記特定権利が付与されたときは、該有利区間が終了するまで該特定権利が消滅せず（例えば、図２４に示す部分、図２８のＳｂ４の処理を行う部分）、
前記特定権利と前記所定権利とのいずれが付与されているかを特定可能に示唆する（例えば、図３７、図３８に示す部分）。
この構成によれば、いずれが付与されているかが分かり、遊技者に期待感を抱かせることができる。
【０３２９】
（１−５）
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
通常区間と、遊技者にとって有利な有利状態に制御可能となる有利区間とのうちのいずれかに制御可能な区間制御手段（例えば、メイン制御部４１）と、
前記有利区間において前記有利状態に係る決定を行う決定手段（例えば、図２７のＳａ７、Ｓａ１６、Ｓａ１７の処理を行う部分）と、
前記有利区間において特定権利（例えば、味方キャラクタのレベルアップ）を付与可能な特定権利付与手段（例えば、図２７のＳａ１２の処理を行う部分）と、
前記有利状態において特定条件が成立したときに特定状態（例えば、上乗せ特化ゾーン）に制御する特定状態制御手段（例えば、図３に示す部分）とを備え、
前記決定手段は、前記特定権利が付与されているときは前記特定権利が付与されていないときよりも遊技者に有利になるように前記有利状態に係る決定を行い（例えば、図２７のＳａ７、Ｓａ１６の処理を行う部分）、
前記有利区間において前記特定権利が付与されたときは、該有利区間が終了するまで該特定権利が消滅せず（例えば、図２４に示す部分、図２８のＳｂ４の処理を行う部分）、
前記特定権利が付与されているときは前記特定条件が成立する確率が高くなる（例えば、図２７のＳａ７、Ｓａ１６の処理を行う部分）。
この構成によれば、特定権利が付与されると特定状態に制御されやすいので、遊技者の興趣を高めることができる。
【０３３０】
（１−６）
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
通常区間と、遊技者にとって有利な有利状態に制御可能となる有利区間とのうちのいずれかに制御可能な区間制御手段（例えば、メイン制御部４１）と、
前記有利区間において前記有利状態に係る決定を行う決定手段（例えば、図２７のＳａ７、Ｓａ１６、Ｓａ１７の処理を行う部分）と、
前記有利区間において特定権利（例えば、味方キャラクタのレベルアップ）を付与可能な特定権利付与手段（例えば、図２７のＳａ１２の処理を行う部分）と、
前記有利状態において特定条件が成立したときに特定状態（例えば、上乗せ特化ゾーン）に制御する特定状態制御手段（例えば、図２４に示す部分）とを備え、
前記決定手段は、前記特定権利が付与されているときは前記特定権利が付与されていないときよりも遊技者に有利になるように前記有利状態に係る決定を行い（例えば、図２７のＳａ７、Ｓａ１６の処理を行う部分）、
前記有利区間において前記特定権利が付与されたときは、該有利区間が終了するまで該特定権利が消滅せず（例えば、図２４に示す部分、図２８のＳｂ４の処理を行う部分）、
前記特定権利は前記特定状態で付与可能である（例えば、図２４、図３７に示す部分）。
この構成によれば、特定状態の制御に遊技者の注目を集めることができる。
【０３３１】
（１−７）
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
通常区間と、遊技者にとって有利な有利状態に制御可能となる有利区間とのうちのいずれかに制御可能な区間制御手段（例えば、メイン制御部４１）と、
前記有利区間において前記有利状態に係る決定を行う決定手段（例えば、図２７のＳａ７、Ｓａ１６、Ｓａ１７の処理を行う部分）と、
前記有利区間において特定権利（例えば、味方キャラクタのレベルアップ）を付与可能な特定権利付与手段（例えば、図２７のＳａ１２の処理を行う部分）とを備え、
前記決定手段は、前記特定権利が付与されているときは前記特定権利が付与されていないときよりも遊技者に有利になるように前記有利状態に係る決定を行い（例えば、図２７のＳａ７、Ｓａ１６の処理を行う部分）、
前記有利区間において前記特定権利が付与されたときは、該有利区間が終了するまで該特定権利が消滅せず（例えば、図２４に示す部分、図２８のＳｂ４の処理を行う部分）、
前記有利区間は、前記有利状態が終了した後に所定期間が経過したときに終了し（例えば、図２４に示す部分）、
前記有利状態が終了してから前記有利区間が終了するまでに前記有利状態への移行条件が成立したときは再度前記有利状態に制御可能であり（例えば、図２４に示す部分）、
前記有利区間において再度前記有利状態に制御される場合において、先に終了した前記有利状態において前記特定権利が付与されていたときは、再度制御される前記有利状態おいても前記特定権利が付与される（例えば、図２４に示す部分）。
この構成によれば、所定期間内に再度有利状態に制御されることへの遊技者の注目を集めることができる。
【０３３２】
（１−８）
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
通常区間と、遊技者にとって有利な有利状態に制御可能となる有利区間とのうちのいずれかに制御可能な区間制御手段（例えば、メイン制御部４１）と、
前記有利区間において前記有利状態に係る決定を行う決定手段（例えば、図２７のＳａ７、Ｓａ１６、Ｓａ１７の処理を行う部分）と、
前記有利区間において特定権利（例えば、味方キャラクタのレベルアップ）を付与可能な特定権利付与手段（例えば、図２７のＳａ１２の処理を行う部分）とを備え、
前記決定手段は、前記特定権利が付与されているときは前記特定権利が付与されていないときよりも遊技者に有利になるように前記有利状態に係る決定を行い（例えば、図６のＳａ７、Ｓａ１６の処理を行う部分）、
前記有利区間において前記特定権利が付与されたときは、該有利区間が終了するまで該特定権利が消滅せず（例えば、図２４に示す部分、図２８のＳｂ４の処理を行う部分）、
第１移行条件が成立したときに第１終了条件が成立するまで第１特定状態（例えば、ＡＴ）に制御するとともに、前記第１特定状態中に第２移行条件が成立したときに該第１特定状態を中断して第２特定状態（例えば、上乗せ特化ゾーン）に制御し、第２終了条件が成立したときに前記第２特定状態を終了させて該第１特定状態の制御を再開する特定状態制御手段（例えば、図２４に示す部分）と、
前記第２特定状態において、前記第１特定状態の制御期間が長くなるように前記第１終了条件を変更する第１変更制御を実行可能な第１変更制御実行手段（例えば、図２７のＳａ１０の処理を行う部分）と、
前記第２特定状態において、前記第２特定状態の制御期間が長くなるように前記第２終了条件を変更する第２変更制御を実行可能な第２変更制御実行手段（例えば、図２７のＳａ９の処理を行う部分）と、
前記第２特定状態の終了後に再開される前記第１特定状態において、前記第２移行条件が成立しやすくなるようにする第３変更制御を実行可能な第３変更制御実行手段（例えば、図２７のＳａ１４の処理を行う部分）とをさらに備えた。
この構成によれば、第２特定状態の継続への遊技者の注目を集めることができる。
【０３３３】
（１−９）
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
通常区間と、遊技者にとって有利な有利状態に制御可能となる有利区間とのうちのいずれかに制御可能な区間制御手段（例えば、メイン制御部４１）と、
前記有利区間において前記有利状態に係る決定を行う決定手段（例えば、図２７のＳａ７、Ｓａ１６、Ｓａ１７の処理を行う部分）と、
前記有利区間において特定権利（例えば、味方キャラクタのレベルアップ）を付与可能な特定権利付与手段（例えば、図２７のＳａ１２の処理を行う部分）とを備え、
前記決定手段は、前記特定権利が付与されているときは前記特定権利が付与されていないときよりも遊技者に有利になるように前記有利状態に係る決定を行い（例えば、図２７のＳａ７、Ｓａ１６の処理を行う部分）、
前記有利区間において前記特定権利が付与されたときは、該有利区間が終了するまで該特定権利が消滅せず（例えば、図２４に示す部分、図２８のＳｂ４の処理を行う部分）、
第１移行条件が成立したときに第１終了条件が成立するまで第１特定状態（例えば、ＡＴ）に制御するとともに、前記第１特定状態中に第２移行条件が成立したときに該第１特定状態を中断して第２特定状態（例えば、上乗せ特化ゾーン）に制御し、第２終了条件が成立したときに前記第２特定状態を終了させて該第１特定状態の制御を再開する特定状態制御手段（例えば、図２４に示す部分）と、
前記第２特定状態において、前記第１特定状態の制御期間が長くなるように前記第１終了条件を変更する第１変更制御を実行可能な第１変更制御実行手段（例えば、図２７のＳａ１０の処理を行う部分）と、
前記第２特定状態において、前記第２特定状態の制御期間が長くなるように前記第２終了条件を変更する第２変更制御を実行可能な第２変更制御実行手段（例えば、図２７のＳａ９の処理を行う部分）と、
前記第２特定状態の終了後に再開される前記第１特定状態において、前記第２移行条件が成立しやすくなるようにする第３変更制御を実行可能な第３変更制御実行手段（例えば、図２７のＳａ１４の処理を行う部分）とをさらに備え、
前記特定状態制御手段は特定期間にわたって前記第２特定状態に制御し（例えば、図２４に示す部分）、
前記第２変更制御が実行されると再度特定期間にわたって前記第２特定状態に制御され（例えば、図３６〜図３８に示す部分）、
前記第２変更制御が実行されたときに前記第１変更制御が実行可能になる（例えば、図２７のＳａ９、Ｓａ１０の処理を行う部分）。
この構成によれば、第２特定状態の継続への遊技者の注目を集めることができる。
【０３３４】
（１−１０）
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
通常区間と、遊技者にとって有利な有利状態に制御可能となる有利区間とのうちのいずれかに制御可能な区間制御手段（例えば、メイン制御部４１）と、
前記有利区間において前記有利状態に係る決定を行う決定手段（例えば、図２７のＳａ７、Ｓａ１６、Ｓａ１７の処理を行う部分）と、
前記有利区間において特定権利（例えば、味方キャラクタのレベルアップ）を付与可能な特定権利付与手段（例えば、図２７のＳａ１２の処理を行う部分）とを備え、
前記決定手段は、前記特定権利が付与されているときは前記特定権利が付与されていないときよりも遊技者に有利になるように前記有利状態に係る決定を行い（例えば、図２７のＳａ７、Ｓａ１６の処理を行う部分）、
前記有利区間において前記特定権利が付与されたときは、該有利区間が終了するまで該特定権利が消滅せず（例えば、図２４に示す部分、図２８のＳｂ４の処理を行う部分）、
第１移行条件が成立したときに第１終了条件が成立するまで第１特定状態（例えば、ＡＴ）に制御するとともに、前記第１特定状態中に第２移行条件が成立したときに該第１特定状態を中断して第２特定状態（例えば、上乗せ特化ゾーン）に制御し、第２終了条件が成立したときに前記第２特定状態を終了させて該第１特定状態の制御を再開する特定状態制御手段（例えば、図２４に示す部分）と、
前記第２特定状態において、前記第１特定状態の制御期間が長くなるように前記第１終了条件を変更する第１変更制御を実行可能な第１変更制御実行手段（例えば、図２７のＳａ１０の処理を行う部分）と、
前記第２特定状態において、前記第２特定状態の制御期間が長くなるように前記第２終了条件を変更する第２変更制御を実行可能な第２変更制御実行手段（例えば、図２７のＳａ９の処理を行う部分）と、
前記第２特定状態の終了後に再開される前記第１特定状態において、前記第２移行条件が成立しやすくなるようにする第３変更制御を実行可能な第３変更制御実行手段（例えば、図２７のＳａ１４の処理を行う部分）とをさらに備え、
第２変更制御が実行されるときに第１変更制御が必ず実行される（例えば、図２７のＳａ９、Ｓａ１０の処理を行う部分）。
この構成によれば、第２特定状態の継続への遊技者の注目を集めることができる。
【０３３５】
（１−１１）
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
通常区間と、遊技者にとって有利な有利状態に制御可能となる有利区間とのうちのいずれかに制御可能な区間制御手段（例えば、メイン制御部４１）と、
前記有利区間において前記有利状態に係る決定を行う決定手段（例えば、図２７のＳａ７、Ｓａ１６、Ｓａ１７の処理を行う部分）と、
前記有利区間において特定権利（例えば、味方キャラクタのレベルアップ）を付与可能な特定権利付与手段（例えば、図２７のＳａ１２の処理を行う部分）とを備え、
前記決定手段は、前記特定権利が付与されているときは前記特定権利が付与されていないときよりも遊技者に有利になるように前記有利状態に係る決定を行い（例えば、図２７のＳａ７、Ｓａ１６の処理を行う部分）、
前記有利区間において前記特定権利が付与されたときは、該有利区間が終了するまで該特定権利が消滅せず（例えば、図２４に示す部分、図２８のＳｂ４の処理を行う部分）、
第１移行条件が成立したときに第１終了条件が成立するまで第１特定状態（例えば、ＡＴ）に制御するとともに、前記第１特定状態中に第２移行条件が成立したときに該第１特定状態を中断して第２特定状態（例えば、上乗せ特化ゾーン）に制御し、第２終了条件が成立したときに前記第２特定状態を終了させて該第１特定状態の制御を再開する特定状態制御手段（例えば、図２４に示す部分）と、
前記第２特定状態において、前記第１特定状態の制御期間が長くなるように前記第１終了条件を変更する第１変更制御を実行可能な第１変更制御実行手段（例えば、図２７のＳａ１０の処理を行う部分）と、
前記第２特定状態において、前記第２特定状態の制御期間が長くなるように前記第２終了条件を変更する第２変更制御を実行可能な第２変更制御実行手段（例えば、図２７のＳａ９の処理を行う部分）と、
前記第２特定状態の終了後に再開される前記第１特定状態において、前記第２移行条件が成立しやすくなるようにする第３変更制御を実行可能な第３変更制御実行手段（例えば、図２７のＳａ１４の処理を行う部分）とをさらに備え、
前記特定状態制御手段は特定期間にわたって前記第２特定状態に制御し（例えば、図２４に示す部分）、
前記第２変更制御が実行されると再度特定期間にわたって前記第２特定状態に制御され（例えば、図３６〜図３８に示す部分）、
前記第２変更制御が実行されたときに前記第３変更制御が実行可能になる（例えば、図２７のＳａ１４の処理を行う部分）。
この構成によれば、第２特定状態の継続への遊技者の注目を集めることができる。
【０３３６】
（１−１２）
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
通常区間と、遊技者にとって有利な有利状態に制御可能となる有利区間とのうちのいずれかに制御可能な区間制御手段（例えば、メイン制御部４１）と、
前記有利区間において前記有利状態に係る決定を行う決定手段（例えば、図２７のＳａ７、Ｓａ１６、Ｓａ１７の処理を行う部分）と、
前記有利区間において特定権利（例えば、味方キャラクタのレベルアップ）を付与可能な特定権利付与手段（例えば、図２７のＳａ１２の処理を行う部分）とを備え、
前記決定手段は、前記特定権利が付与されているときは前記特定権利が付与されていないときよりも遊技者に有利になるように前記有利状態に係る決定を行い（例えば、図２７のＳａ７、Ｓａ１６の処理を行う部分）、
前記有利区間において前記特定権利が付与されたときは、該有利区間が終了するまで該特定権利が消滅せず（例えば、図２４に示す部分、図２８のＳｂ４の処理を行う部分）、
第１移行条件が成立したときに第１終了条件が成立するまで第１特定状態（例えば、ＡＴ）に制御するとともに、前記第１特定状態中に第２移行条件が成立したときに該第１特定状態を中断して第２特定状態（例えば、上乗せ特化ゾーン）に制御し、第２終了条件が成立したときに前記第２特定状態を終了させて該第１特定状態の制御を再開する特定状態制御手段（例えば、図２４に示す部分）と、
前記第２特定状態において、前記第１特定状態の制御期間が長くなるように前記第１終了条件を変更する第１変更制御を実行可能な第１変更制御実行手段（例えば、図２７のＳａ１０の処理を行う部分）と、
前記第２特定状態において、前記第２特定状態の制御期間が長くなるように前記第２終了条件を変更する第２変更制御を実行可能な第２変更制御実行手段（例えば、図２７のＳａ９の処理を行う部分）と、
前記第２特定状態の終了後に再開される前記第１特定状態において、前記第２移行条件が成立しやすくなるようにする第３変更制御を実行可能な第３変更制御実行手段（例えば、図２７のＳａ１４の処理を行う部分）と、
前記第２特定状態が終了するときに、前記第１変更制御、前記第２変更制御および前記第３変更制御の実行状況を報知する報知手段（例えば、図３５の（ｄ）、図３６の（ｅ）、図３７の（ｄ）、図３８の（ｅ）の処理を行う部分）とをさらに備えた。
この構成によれば、第２特定状態でどれだけ有利になったかわかりやすくすることができる。
【０３３７】
（１−１３）
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
通常区間と、遊技者にとって有利な有利状態に制御可能となる有利区間とのうちのいずれかに制御可能な区間制御手段（例えば、メイン制御部４１）と、
前記有利区間において前記有利状態に係る決定を行う決定手段（例えば、図２７のＳａ７、Ｓａ１６、Ｓａ１７の処理を行う部分）と、
前記有利区間において特定権利（例えば、味方キャラクタのレベルアップ）を付与可能な特定権利付与手段（例えば、図２７のＳａ１２の処理を行う部分）とを備え、
前記決定手段は、前記特定権利が付与されているときは前記特定権利が付与されていないときよりも遊技者に有利になるように前記有利状態に係る決定を行い（例えば、図２７のＳａ７、Ｓａ１６の処理を行う部分）、
前記有利区間において前記特定権利が付与されたときは、該有利区間が終了するまで該特定権利が消滅せず（例えば、図２４に示す部分、図２８のＳｂ４の処理を行う部分）、
第１移行条件が成立したときに第１終了条件が成立するまで第１特定状態（例えば、ＡＴ）に制御するとともに、前記第１特定状態中に第２移行条件が成立したときに該第１特定状態を中断して第２特定状態（例えば、上乗せ特化ゾーン）に制御し、第２終了条件が成立したときに前記第２特定状態を終了させて該第１特定状態の制御を再開する特定状態制御手段（例えば、図２４に示す部分）と、
前記第２特定状態において、前記第１特定状態の制御期間が長くなるように前記第１終了条件を変更する第１変更制御を実行可能な第１変更制御実行手段（例えば、図２７のＳａ１０の処理を行う部分）と、
前記第２特定状態において、前記第２特定状態の制御期間が長くなるように前記第２終了条件を変更する第２変更制御を実行可能な第２変更制御実行手段（例えば、図２７のＳａ９の処理を行う部分）と、
前記第２特定状態の終了後に再開される前記第１特定状態において、前記第２移行条件が成立しやすくなるようにする第３変更制御を実行可能な第３変更制御実行手段（例えば、図２７のＳａ１４の処理を行う部分）と、
前記第２特定状態が終了するときに、前記第１変更制御、前記第２変更制御および前記第３変更制御の実行状況を報知する報知手段（例えば、図３５の（ｄ）、図３６の（ｅ）、図３７の（ｄ）、図３８の（ｅ）の処理を行う部分）とをさらに備え、
前記報知手段は、前記第１変更制御を実行する旨を報知してから前記第３変更制御を実行する旨を報知する（例えば、図３７の（ｄ）、（ｉ）が示す部分）。
この構成によれば、第１変更制御を実行する旨の報知が行われた後に遊技者の注目を集めることができる。
【０３３８】
（１−１４）
各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンにおいて、
通常区間と、遊技者にとって有利な有利状態に制御可能となる有利区間とのうちのいずれかに制御可能な区間制御手段（例えば、メイン制御部４１）と、
前記有利区間において前記有利状態に係る決定を行う決定手段（例えば、図２７のＳａ７、Ｓａ１６、Ｓａ１７の処理を行う部分）と、
前記有利区間において特定権利（例えば、味方キャラクタのレベルアップ）を付与可能な特定権利付与手段（例えば、図２７のＳａ１２の処理を行う部分）とを備え、
前記決定手段は、前記特定権利が付与されているときは前記特定権利が付与されていないときよりも遊技者に有利になるように前記有利状態に係る決定を行い（例えば、図２７のＳａ７、Ｓａ１６の処理を行う部分）、
前記有利区間において前記特定権利が付与されたときは、該有利区間が終了するまで該特定権利が消滅せず（例えば、図２４に示す部分、図２８のＳｂ４の処理を行う部分）、
第１移行条件が成立したときに第１終了条件が成立するまで第１特定状態（例えば、ＡＴ）に制御するとともに、前記第１特定状態中に第２移行条件が成立したときに該第１特定状態を中断して第２特定状態（例えば、上乗せ特化ゾーン）に制御し、第２終了条件が成立したときに前記第２特定状態を終了させて該第１特定状態の制御を再開する特定状態制御手段（例えば、図２４に示す部分）と、
前記第２特定状態において、前記第１特定状態の制御期間が長くなるように前記第１終了条件を変更する第１変更制御を実行可能な第１変更制御実行手段（例えば、図２７のＳａ１０の処理を行う部分）と、
前記第２特定状態において、前記第２特定状態の制御期間が長くなるように前記第２終了条件を変更する第２変更制御を実行可能な第２変更制御実行手段（例えば、図２７のＳａ９の処理を行う部分）と、
前記第２特定状態の終了後に再開される前記第１特定状態において、前記第２移行条件が成立しやすくなるようにする第３変更制御を実行可能な第３変更制御実行手段（例えば、図２７のＳａ１４の処理を行う部分）と、
遊技者が操作を行う操作手段とをさらに備え、
前記報知手段は、前記第３変更制御を行う旨を報知するときに前記操作手段の操作に応じて報知可能である。
この構成によれば、遊技者の操作を契機に第３変更制御を行う旨が報知されるので、遊技の興趣を高めることができる。
【０３３９】
（２−１）
遊技を行う遊技機において、
複数種類の有利度のうちのいずれかに設定する有利度設定手段（例えば、メイン制御部４１）と、
第１状況（例えば、ＡＴモードＡ）と第２状況（例えば、ＡＴモードＢ）とにおいて、前記有利度設定手段による有利度の設定状態を示唆する示唆制御を実行可能な示唆制御手段（例えば、図３０のＳｃ４の処理を行う部分）とを備え、
前記示唆制御手段は、
前記第１状況と前記第２状況とのいずれの状況においても、前記有利度設定手段により有利な有利度に設定されているときの実行割合が高い第１演出（例えば、第１高設定示唆画面、第２高設定示唆画面、第３高設定示唆画面の表示）を行う第１示唆制御（例えば、図３１〜図３３に示す部分）と、
前記第２状況では前記有利度設定手段により設定された有利度に関わらず実行割合が同一であるかまたは前記有利度設定手段により設定された有利度が高くなるほど実行割合が低くなるとともに前記第１状況では前記有利度設定手段により有利な有利度に設定されているときの実行割合が高い第２演出（例えば、デフォルト画面Ｂの表示）を行う第２示唆制御とを実行可能である（例えば、図３１〜図３３に示す部分）
この構成によれば、遊技者にとって分かりやすい示唆制御と、遊技者にとって分かりにくい示唆制御とが実行されるので、示唆制御における演出への遊技者に注目をより集めることができる。
【０３４０】
（２−２）
遊技を行う遊技機において、
複数種類の有利度のうちのいずれかに設定する有利度設定手段（例えば、メイン制御部４１）と、
第１状況（例えば、ＡＴモードＡ）と第２状況（例えば、ＡＴモードＢ）とにおいて、前記有利度設定手段による有利度の設定状態を示唆する示唆制御を実行可能な示唆制御手段（例えば、図３０のＳｃ４の処理を行う部分）と、
画像を表示する画像表示手段（例えば、液晶表示器５１）と、
前記画像表示手段の近傍に設けられた発光手段（例えば、ランプ６０）とを備え、
前記示唆制御手段は、
前記第１状況と前記第２状況とのいずれの状況においても、前記有利度設定手段により有利な有利度に設定されているときの実行割合が高い第１演出（例えば、第１高設定示唆画面、第２高設定示唆画面、第３高設定示唆画面の表示）を行う第１示唆制御（例えば、図３１〜図３３に示す部分）と、
前記第２状況では前記有利度設定手段により設定された有利度に関わらず実行割合が同一であるかまたは前記有利度設定手段により設定された有利度が高くなるほど実行割合が低くなるとともに前記第１状況では前記有利度設定手段により有利な有利度に設定されているときの実行割合が高い第２演出（例えば、デフォルト画面Ｂの表示）を行う第２示唆制御とを実行可能であり（例えば、図３１〜図３３に示す部分）、
前記第１示唆制御および前記第２示唆制御は、前記画像表示手段における画像の表示による制御であり、
前記第１示唆制御および前記第２示唆制御により前記画像表示手段に画像を表示しているときに前記発光手段を消灯する（例えば、図３２（ｂ）〜（ｄ）、図３３（ｂ）〜（ｄ）に示す部分）。
この構成によれば、画像表示手段に表示されている画像を際立たせることができる。
【０３４１】
（２−３）
遊技を行う遊技機において、
複数種類の有利度のうちのいずれかに設定する有利度設定手段（例えば、メイン制御部４１）と、
第１状況（例えば、ＡＴモードＡ）と第２状況（例えば、ＡＴモードＢ）とにおいて、前記有利度設定手段による有利度の設定状態を示唆する示唆制御を実行可能な示唆制御手段（例えば、図３０のＳｃ４の処理を行う部分）とを備え、
前記示唆制御手段は、
前記第１状況と前記第２状況とのいずれの状況においても、前記有利度設定手段により有利な有利度に設定されているときの実行割合が高い第１演出（例えば、第１高設定示唆画面、第２高設定示唆画面、第３高設定示唆画面の表示）を行う第１示唆制御（例えば、図３１〜図３３に示す部分）と、
前記第２状況では前記有利度設定手段により設定された有利度に関わらず実行割合が同一であるかまたは前記有利度設定手段により設定された有利度が高くなるほど実行割合が低くなるとともに前記第１状況では前記有利度設定手段により有利な有利度に設定されているときの実行割合が高い第２演出（例えば、デフォルト画面Ｂの表示）を行う第２示唆制御とを実行可能であり（例えば、図３１〜図３３に示す部分）、
前記第１状況では前記有利度設定手段により設定された有利度に関わらず実行割合が同一であるとともに前記第２状況では前記有利度設定手段により有利な有利度に設定されているときの実行割合が高い第３演出（例えば、デフォルト画面Ａの表示）を行う第３示唆制御とを実行可能である（例えば、図３１（ｂ）、図３３（ｄ）に示す部分）。
この構成によれば、第１状況と第２状況のいずれにおいても演出への遊技者の注目を集めることができる。
【０３４２】
（２−４）
遊技を行う遊技機において、
複数種類の有利度のうちのいずれかに設定する有利度設定手段（例えば、メイン制御部４１）と、
第１状況（例えば、ＡＴモードＡ）と第２状況（例えば、ＡＴモードＢ）とにおいて、前記有利度設定手段による有利度の設定状態を示唆する示唆制御を実行可能な示唆制御手段（例えば、図３０のＳｃ４の処理を行う部分）とを備え、
前記示唆制御手段は、
前記第１状況と前記第２状況とのいずれの状況においても、前記有利度設定手段により有利な有利度に設定されているときの実行割合が高い第１演出（例えば、第１高設定示唆画面、第２高設定示唆画面、第３高設定示唆画面の表示）を行う第１示唆制御（例えば、図３１〜図３３に示す部分）と、
前記第２状況では前記有利度設定手段により設定された有利度に関わらず実行割合が同一であるかまたは前記有利度設定手段により設定された有利度が高くなるほど実行割合が低くなるとともに前記第１状況では前記有利度設定手段により有利な有利度に設定されているときの実行割合が高い第２演出（例えば、デフォルト画面Ｂの表示）を行う第２示唆制御とを実行可能であり例えば、図３１〜図３３に示す部分）、
前記第１示唆制御において前記第１演出に併せて装飾演出を実行する（例えば、図３２（ｂ）、図３３（ｂ）に示す部分）。
この構成によれば、第１示唆制御による演出の実行を分かりやすくすることができる。
【０３４３】
（２−５）
遊技を行う遊技機において、
複数種類の有利度のうちのいずれかに設定する有利度設定手段（例えば、メイン制御部４１）と、
第１状況（例えば、ＡＴモードＡ）と第２状況（例えば、ＡＴモードＢ）とにおいて、前記有利度設定手段による有利度の設定状態を示唆する示唆制御を実行可能な示唆制御手段（例えば、図３０のＳｃ４の処理を行う部分）とを備え、
前記示唆制御手段は、
前記第１状況と前記第２状況とのいずれの状況においても、前記有利度設定手段により有利な有利度に設定されているときの実行割合が高い第１演出（例えば、第１高設定示唆画面、第２高設定示唆画面、第３高設定示唆画面の表示）を行う第１示唆制御（例えば、図３１〜図３３に示す部分）と、
前記第２状況では前記有利度設定手段により設定された有利度に関わらず実行割合が同一であるかまたは前記有利度設定手段により設定された有利度が高くなるほど実行割合が低くなるとともに前記第１状況では前記有利度設定手段により有利な有利度に設定されているときの実行割合が高い第２演出（例えば、デフォルト画面Ｂの表示）を行う第２示唆制御とを実行可能であり（例えば、図３１〜図３３に示す部分）、
前記第１演出は、前記第２演出では用いられない特定のキャラクタを用いた演出である（例えば、図３２（ｂ）、図３３（ｂ）に示す部分）。
この構成によれば、第１示唆制御による第１演出の実行を分かりやすくすることができる。
【０３４４】
（２−６）
遊技を行う遊技機において、
複数種類の有利度のうちのいずれかに設定する有利度設定手段（例えば、メイン制御部４１）と、
第１状況（例えば、ＡＴモードＡ）と第２状況（例えば、ＡＴモードＢ）とにおいて、前記有利度設定手段による有利度の設定状態を示唆する示唆制御を実行可能な示唆制御手段（例えば、図３０のＳｃ４の処理を行う部分）とを備え、
前記示唆制御手段は、
前記第１状況と前記第２状況とのいずれの状況においても、前記有利度設定手段により有利な有利度に設定されているときの実行割合が高い第１演出（例えば、第１高設定示唆画面、第２高設定示唆画面、第３高設定示唆画面の表示）を行う第１示唆制御（例えば、図３１〜図３３に示す部分）と、
前記第２状況では前記有利度設定手段により設定された有利度に関わらず実行割合が同一であるかまたは前記有利度設定手段により設定された有利度が高くなるほど実行割合が低くなるとともに前記第１状況では前記有利度設定手段により有利な有利度に設定されているときの実行割合が高い第２演出（例えば、デフォルト画面Ｂの表示）を行う第２示唆制御とを実行可能であり（例えば、図３１〜図３３に示す部分）、
前記第２状況において前記第２演出を実行した後は、前記第２状況において前記第２演出を実行する前よりも前記第２示唆演出制御を実行する確率が高い。
この構成によれば、第１示唆制御による第１演出の実行を分かりやすくすることができる。また、第２演出実行後に期待感を抱かせることが可能になり、遊技の興趣を高めることができる。
【０３４５】
（２−７）
遊技を行う遊技機において、
複数種類の有利度のうちのいずれかに設定する有利度設定手段（例えば、メイン制御部４１）と、
第１状況（例えば、ＡＴモードＡ）と第２状況（例えば、ＡＴモードＢ）とにおいて、前記有利度設定手段による有利度の設定状態を示唆する示唆制御を実行可能な示唆制御手段（例えば、図３０のＳｃ４の処理を行う部分）とを備え、
前記示唆制御手段は、
前記第１状況と前記第２状況とのいずれの状況においても、前記有利度設定手段により有利な有利度に設定されているときの実行割合が高い第１演出（例えば、第１高設定示唆画面、第２高設定示唆画面、第３高設定示唆画面の表示）を行う第１示唆制御（例えば、図３１〜図３３に示す部分）と、
前記第２状況では前記有利度設定手段により設定された有利度に関わらず実行割合が同一であるかまたは前記有利度設定手段により設定された有利度が高くなるほど実行割合が低くなるとともに前記第１状況では前記有利度設定手段により有利な有利度に設定されているときの実行割合が高い第２演出（例えば、デフォルト画面Ｂの表示）を行う第２示唆制御とを実行可能であり（例えば、図３１〜図３３に示す部分）、
前記第１状況は、該第１状況の後に所定制御が行われる状況であり、
前記第２状況は、該第２状況の後に所定制御よりも有利な特定制御が行われる状況である。
この構成によれば、第２演出により特定状態への制御が示唆されることになるので第２演出への遊技者の注目を集めることができる。
【０３４６】
（２−８）
遊技を行う遊技機において、
複数種類の有利度のうちのいずれかに設定する有利度設定手段（例えば、メイン制御部４１）と、
第１状況（例えば、ＡＴモードＡ）と第２状況（例えば、ＡＴモードＢ）とにおいて、前記有利度設定手段による有利度の設定状態を示唆する示唆制御を実行可能な示唆制御手段（例えば、図３０のＳｃ４の処理を行う部分）とを備え、
前記示唆制御手段は、
前記第１状況と前記第２状況とのいずれの状況においても、前記有利度設定手段により有利な有利度に設定されているときの実行割合が高い第１演出（例えば、第１高設定示唆画面、第２高設定示唆画面、第３高設定示唆画面の表示）を行う第１示唆制御（例えば、図３１〜図３３に示す部分）と、
前記第２状況では前記有利度設定手段により設定された有利度に関わらず実行割合が同一であるかまたは前記有利度設定手段により設定された有利度が高くなるほど実行割合が低くなるとともに前記第１状況では前記有利度設定手段により有利な有利度に設定されているときの実行割合が高い第２演出（例えば、デフォルト画面Ｂの表示）を行う第２示唆制御とを実行可能であり（例えば、図３１〜図３３に示す部分）、
前記示唆制御手段は、特定状況において前記示唆制御を実行することが可能であり、
前記示唆制御手段は、
前記特定状況における基本演出に替えて第１演出を行う第１示唆制御と、
前記特定状況における基本演出に加えて第２演出を行う第２示唆制御とを実行可能である（例えば、図３２（ｃ）、図３３（ｃ）に示す部分）。
この構成によれば、遊技者が分かりやすい示唆制御と分かりにくい示唆制御とがあることで演出への遊技者の注目を集めることができる。
【０３４７】
（２−９）
遊技を行う遊技機において、
複数種類の有利度のうちのいずれかに設定する有利度設定手段（例えば、メイン制御部４１）と、
第１状況（例えば、ＡＴモードＡ）と第２状況（例えば、ＡＴモードＢ）とにおいて、前記有利度設定手段による有利度の設定状態を示唆する示唆制御を実行可能な示唆制御手段（例えば、図３０のＳｃ４の処理を行う部分）とを備え、
前記示唆制御手段は、
前記第１状況と前記第２状況とのいずれの状況においても、前記有利度設定手段により有利な有利度に設定されているときの実行割合が高い第１演出（例えば、第１高設定示唆画面、第２高設定示唆画面、第３高設定示唆画面の表示）を行う第１示唆制御（例えば、図３１〜図３３に示す部分）と、
前記第２状況では前記有利度設定手段により設定された有利度に関わらず実行割合が同一であるかまたは前記有利度設定手段により設定された有利度が高くなるほど実行割合が低くなるとともに前記第１状況では前記有利度設定手段により有利な有利度に設定されているときの実行割合が高い第２演出（例えば、デフォルト画面Ｂの表示）を行う第２示唆制御とを実行可能であり（例えば、図３１〜図３３に示す部分）、
前記示唆制御手段は、特定状況において前記示唆制御を実行することが可能であり、
前記示唆制御手段は、
前記特定状況における基本演出に替えて第１演出を行う第１示唆制御と、
前記特定状況における基本演出に加えて第２演出を行う第２示唆制御とを実行可能で    前記示唆制御手段は、前記第２示唆制御において、基本演出を実行開始した後に所定期間が経過してから前記第２演出を行う（例えば、図３２（ｃ）、図３３（ｃ）に示す部分）。
この構成によれば、第２演出が途中から表示されることで、高設定示唆画像が表示されることへの注目を集めることができる。
【０３４８】
（２−１０）
遊技を行う遊技機において、
複数種類の有利度のうちのいずれかに設定する有利度設定手段（例えば、メイン制御部４１）と、
第１状況（例えば、ＡＴモードＡ）と第２状況（例えば、ＡＴモードＢ）とにおいて、前記有利度設定手段による有利度の設定状態を示唆する示唆制御を実行可能な示唆制御手段（例えば、図３０のＳｃ４の処理を行う部分）とを備え、
前記示唆制御手段は、
前記第１状況と前記第２状況とのいずれの状況においても、前記有利度設定手段により有利な有利度に設定されているときの実行割合が高い第１演出（例えば、第１高設定示唆画面、第２高設定示唆画面、第３高設定示唆画面の表示）を行う第１示唆制御（例えば、図３１〜図３３に示す部分）と、
前記第２状況では前記有利度設定手段により設定された有利度に関わらず実行割合が同一であるかまたは前記有利度設定手段により設定された有利度が高くなるほど実行割合が低くなるとともに前記第１状況では前記有利度設定手段により有利な有利度に設定されているときの実行割合が高い第２演出（例えば、デフォルト画面Ｂの表示）を行う第２示唆制御とを実行可能であり（例えば、図３１〜図３３に示す部分）、
前記特定状況における基本演出に替えて前記第１演出を行う第１示唆制御を実行するとともに、前記第１演出に加えて前記第２演出を行う第３示唆制御を実行可能である（例えば、図３２（ｄ）、図３３（ｄ）に示す部分）。
この構成によれば、複数の示唆制御が行われる状況に遊技者が期待し、遊技の興趣を高めることができる。
【０３４９】
（２−１１）
遊技を行う遊技機において、
複数種類の有利度のうちのいずれかに設定する有利度設定手段（例えば、メイン制御部４１）と、
第１状況（例えば、ＡＴモードＡ）と第２状況（例えば、ＡＴモードＢ）とにおいて、前記有利度設定手段による有利度の設定状態を示唆する示唆制御を実行可能な示唆制御手段（例えば、図３０のＳｃ４の処理を行う部分）と、
画像を表示する画像表示手段（例えば、液晶表示器５１）とを備え、
前記示唆制御手段は、
前記第１状況と前記第２状況とのいずれの状況においても、前記有利度設定手段により有利な有利度に設定されているときの実行割合が高い第１演出（例えば、第１高設定示唆画面、第２高設定示唆画面、第３高設定示唆画面の表示）を行う第１示唆制御（例えば、図３１〜図３３に示す部分）と、
前記第２状況では前記有利度設定手段により設定された有利度に関わらず実行割合が同一であるかまたは前記有利度設定手段により設定された有利度が高くなるほど実行割合が低くなるとともに前記第１状況では前記有利度設定手段により有利な有利度に設定されているときの実行割合が高い第２演出（例えば、デフォルト画面Ｂの表示）を行う第２示唆制御とを実行可能であり（例えば、図３１〜図３３に示す部分）、
前記基本演出ではキャラクタが含まれる基本画像が前記表示手段から表示され（例えば、図３２、図３３に示す部分）、
前記示唆制御手段は、前記第２示唆演出制御おいて、前記基本画像における前記キャラクタが表示されていない位置に特定画像を表示することにより前記第２演出を行う（例えば、図３２（ｃ）、図３３（ｃ）に示す部分）。
この構成によれば、キャラクタの視認性を妨げないため、演出の効果を損ねることを防止できる。
【０３５０】
（２−１２）
遊技を行う遊技機において、
複数種類の有利度のうちのいずれかに設定する有利度設定手段（例えば、メイン制御部４１）と、
第１状況（例えば、ＡＴモードＡ）と第２状況（例えば、ＡＴモードＢ）とにおいて、前記有利度設定手段による有利度の設定状態を示唆する示唆制御を実行可能な示唆制御手段（例えば、図３０のＳｃ４の処理を行う部分）とを備え、
前記示唆制御手段は、
前記第１状況と前記第２状況とのいずれの状況においても、前記有利度設定手段により有利な有利度に設定されているときの実行割合が高い第１演出（例えば、第１高設定示唆画面、第２高設定示唆画面、第３高設定示唆画面の表示）を行う第１示唆制御（例えば、図３１〜図３３に示す部分）と、
前記第２状況では前記有利度設定手段により設定された有利度に関わらず実行割合が同一であるかまたは前記有利度設定手段により設定された有利度が高くなるほど実行割合が低くなるとともに前記第１状況では前記有利度設定手段により有利な有利度に設定されているときの実行割合が高い第２演出（例えば、デフォルト画面Ｂの表示）を行う第２示唆制御とを実行可能であり（例えば、図３１〜図３３に示す部分）、
前記特定状況において前記示唆制御が実行されない状況が生じた後は、前記特定状況において前記示唆制御が実行されない状況が生じる前よりも前記示唆制御が実行される割合が高い。
この構成によれば、示唆制御が行われていることに遊技者が気付きやすくすることができる。
【０３５１】
（３−１）
遊技を行う遊技機において、
複数種類の有利度のうちのいずれかに設定する有利度設定手段（例えば、メイン制御部４１）と、
画像を表示する表示手段（例えば、液晶表示器５１）と、
複数種類の画像のうちのいずれかを前記表示手段に表示することにより、前記有利度設定手段による有利度の設定状態を示唆する示唆制御を実行可能な示唆制御手段（例えば、図３０のＳｃ４の処理を行う部分）とを備え、
複数種類の画像は、第１種類の画像（例えば、デフォルト画面Ａおよびデフォルト画面Ｂで表示される画像）と、該第１種類の画像よりも前記有利度設定手段により設定された有利度の設定状態が有利であることを示唆する第２種類の画像（例えば、第１高設定示唆画面で表示される画像）とを含み、
前記第１種類の画像は、第１キャラクタを含む第１通常画像と、第２キャラクタを含む第２通常画像とを含み（例えば、図３２（ａ）、図３３（ａ）に示す部分）、
前記第２種類の画像は、第１特定態様の前記第１キャラクタを含む第１特別画像と、前記第１特定態様と共通する態様である第２特定態様の前記第２キャラクタを含む第２特別画像とを含む（例えば、図３２（ｂ）、図３３（ｂ）に示す部分）。
この構成によれば、第１キャラクタや第２キャラクタが特定態様で表示されたか否かに注目することにより、示唆の内容が有利なものであるか否かが判別しやすくなる。
【０３５２】
（３−２）
遊技を行う遊技機において、
複数種類の有利度のうちのいずれかに設定する有利度設定手段（例えば、メイン制御部４１）と、
画像を表示する表示手段（例えば、液晶表示器５１）と、
複数種類の画像のうちのいずれかを前記表示手段に表示することにより、前記有利度設定手段による有利度の設定状態を示唆する示唆制御を実行可能な示唆制御手段（例えば、図３０のＳｃ４の処理を行う部分）と、
画像を表示する画像表示手段と、
前記画像表示手段の近傍に設けられた発光手段（例えば、ランプ６０）とを備え、
複数種類の画像は、第１種類の画像（例えば、デフォルト画面Ａおよびデフォルト画面Ｂで表示される画像）と、該第１種類の画像よりも前記有利度設定手段により設定された有利度の設定状態が有利であることを示唆する第２種類の画像（例えば、第１高設定示唆画面で表示される画像）とを含み、
前記第１種類の画像は、第１キャラクタを含む第１通常画像と、第２キャラクタを含む第２通常画像とを含み（例えば、図３２（ａ）、図３３（ａ）に示す部分）、
前記第２種類の画像は、第１特定態様の前記第１キャラクタを含む第１特別画像と、前記第１特定態様と共通する態様である第２特定態様の前記第２キャラクタを含む第２特別画像とを含み（例えば、図３２（ｂ）、図３３（ｂ）に示す部分）、
前記示唆制御は、前記画像表示手段における画像の表示による制御であり、
前記示唆制御により前記画像表示手段に画像を表示しているときに前記発光手段を消灯する（例えば、図３２（ｂ）〜（ｄ）、図３３（ｂ）〜（ｄ）に示す部分）。
この構成によれば、画像表示手段に表示されている画像を際立たせることができる。
【０３５３】
（３−３）
遊技を行う遊技機において、
複数種類の有利度のうちのいずれかに設定する有利度設定手段（例えば、メイン制御部４１）と、
画像を表示する表示手段（例えば、液晶表示器５１）と、
複数種類の画像のうちのいずれかを前記表示手段に表示することにより、前記有利度設定手段による有利度の設定状態を示唆する示唆制御を実行可能な示唆制御手段（例えば、図３０のＳｃ４の処理を行う部分）とを備え、
複数種類の画像は、第１種類の画像（例えば、デフォルト画面Ａおよびデフォルト画面Ｂで表示される画像）と、該第１種類の画像よりも前記有利度設定手段により設定された有利度の設定状態が有利であることを示唆する第２種類の画像（例えば、第１高設定示唆画面で表示される画像）とを含み、
前記第１種類の画像は、第１キャラクタを含む第１通常画像と、第２キャラクタを含む第２通常画像とを含み（例えば、図３２（ａ）、図３３（ａ）に示す部分）、
前記第２種類の画像は、第１特定態様の前記第１キャラクタを含む第１特別画像と、前記第１特定態様と共通する態様である第２特定態様の前記第２キャラクタを含む第２特別画像とを含み（例えば、図３２（ｂ）、図３３（ｂ）に示す部分）、
前記第２種類の画像は、前記第１種類の画像よりも画像に含まれるキャラクタの数が多く、
画像に含まれるキャラクタの各々が前記第２特定態様で表示される（例えば、図３２（ａ）および図３２（ｂ）、図３３（ａ）および図３３（ｂ）に示す部分）。
この構成によれば、第１種類の画像と第２種類の画像とを区別しやすくすることができる。
【０３５４】
（３−４）
遊技を行う遊技機において、
複数種類の有利度のうちのいずれかに設定する有利度設定手段（例えば、メイン制御部４１）と、
画像を表示する表示手段（例えば、液晶表示器５１）と、
複数種類の画像のうちのいずれかを前記表示手段に表示することにより、前記有利度設定手段による有利度の設定状態を示唆する示唆制御を実行可能な示唆制御手段（例えば、図３０のＳｃ４の処理を行う部分）とを備え、
複数種類の画像は、第１種類の画像（例えば、デフォルト画面Ａおよびデフォルト画面Ｂで表示される画像）と、該第１種類の画像よりも前記有利度設定手段により設定された有利度の設定状態が有利であることを示唆する第２種類の画像（例えば、第１高設定示唆画面で表示される画像）とを含み、
前記第１種類の画像は、第１キャラクタを含む第１通常画像と、第２キャラクタを含む第２通常画像とを含み（例えば、図３２（ａ）、図３３（ａ）に示す部分）、
前記第２種類の画像は、第１特定態様の前記第１キャラクタを含む第１特別画像と、前記第１特定態様と共通する態様である第２特定態様の前記第２キャラクタを含む第２特別画像とを含み（例えば、図３２（ｂ）、図３３（ｂ）に示す部分）、
前記第１通常画像における前記第１キャラクタの表示位置と、前記第１特別画像における前記第１キャラクタの表示位置とが同一または近似している（例えば、図３２（ａ）および図３２（ｂ）、図３３（ａ）および図３３（ｂ）に示す部分）。
この構成によれば、第１キャラクタの態様の違いを分かりやすくすることができる。
【０３５５】
（３−５）
遊技を行う遊技機において、
複数種類の有利度のうちのいずれかに設定する有利度設定手段（例えば、メイン制御部４１）と、
画像を表示する表示手段（例えば、液晶表示器５１）と、
複数種類の画像のうちのいずれかを前記表示手段に表示することにより、前記有利度設定手段による有利度の設定状態を示唆する示唆制御を実行可能な示唆制御手段（例えば、図３０のＳｃ４の処理を行う部分）とを備え、
複数種類の画像は、第１種類の画像（例えば、デフォルト画面Ａおよびデフォルト画面Ｂで表示される画像）と、該第１種類の画像よりも前記有利度設定手段により設定された有利度の設定状態が有利であることを示唆する第２種類の画像（例えば、第１高設定示唆画面で表示される画像）とを含み、
前記第１種類の画像は、第１キャラクタを含む第１通常画像と、第２キャラクタを含む第２通常画像とを含み（例えば、図３２（ａ）、図３３（ａ）に示す部分）、
前記第２種類の画像は、第１特定態様の前記第１キャラクタを含む第１特別画像と、前記第１特定態様と共通する態様である第２特定態様の前記第２キャラクタを含む第２特別画像とを含み（例えば、図３２（ｂ）、図３３（ｂ）に示す部分）、
前記示唆制御手段は、前記示唆制御において、複数の画像のいずれかの表示に併せて特定情報を表示可能であり（例えば、図３２（ａ）および図３２（ｂ）、図３３（ａ）および図３３（ｂ）に示す部分）、
表示される画像に応じて特定情報の表示位置が異なる（例えば、図３２（ａ）および図３２（ｂ）、図３３（ａ）および図３３（ｂ）に示す部分）。
この構成によれば、特定情報と有利度の示唆との各々を判別しやすくすることができる。
【０３５６】
（３−６）
遊技を行う遊技機において、
複数種類の有利度のうちのいずれかに設定する有利度設定手段（例えば、メイン制御部４１）と、
画像を表示する表示手段（例えば、液晶表示器５１）と、
複数種類の画像のうちのいずれかを前記表示手段に表示することにより、前記有利度設定手段による有利度の設定状態を示唆する示唆制御を実行可能な示唆制御手段（例えば、図３０のＳｃ４の処理を行う部分）とを備え、
複数種類の画像は、第１種類の画像（例えば、デフォルト画面Ａおよびデフォルト画面Ｂで表示される画像）と、該第１種類の画像よりも前記有利度設定手段により設定された有利度の設定状態が有利であることを示唆する第２種類の画像（例えば、第１高設定示唆画面で表示される画像）とを含み、
前記第１種類の画像は、第１キャラクタを含む第１通常画像と、第２キャラクタを含む第２通常画像とを含み（例えば、図３２（ａ）、図３３（ａ）に示す部分）、
前記第２種類の画像は、第１特定態様の前記第１キャラクタを含む第１特別画像と、前記第１特定態様と共通する態様である第２特定態様の前記第２キャラクタを含む第２特別画像とを含み（例えば、図３２（ｂ）、図３３（ｂ）に示す部分）、
複数種類の画像は、第１種類の画像と、該第１種類の画像よりも前記有利度設定手段により設定された有利度の設定状態が有利であることを示唆する第２種類の画像とを含み、
前記示唆制御手段は、前記第２種類の画像を表示するときは特定態様の効果表示を含めて画像を表示し、
前記特定態様の効果表示の色彩は、第１種類の画像のおいてモチーフとなった色彩と異なる。
この構成によれば、第１種類の画像を第２種類の画像と誤認してしまうことを防止できる。
【０３５７】
（３−７）
遊技を行う遊技機において、
複数種類の有利度のうちのいずれかに設定する有利度設定手段（例えば、メイン制御部４１）と、
画像を表示する表示手段（例えば、液晶表示器５１）と、
複数種類の画像のうちのいずれかを前記表示手段に表示することにより、前記有利度設定手段による有利度の設定状態を示唆する示唆制御を実行可能な示唆制御手段（例えば、図３０のＳｃ４の処理を行う部分）とを備え、
複数種類の画像は、第１種類の画像（例えば、デフォルト画面Ａおよびデフォルト画面Ｂで表示される画像）と、該第１種類の画像よりも前記有利度設定手段により設定された有利度の設定状態が有利であることを示唆する第２種類の画像（例えば、第１高設定示唆画面で表示される画像）とを含み、
前記第１種類の画像は、第１キャラクタを含む第１通常画像と、第２キャラクタを含む第２通常画像とを含み（例えば、図３２（ａ）、図３３（ａ）に示す部分）、
前記第２種類の画像は、第１特定態様の前記第１キャラクタを含む第１特別画像と、前記第１特定態様と共通する態様である第２特定態様の前記第２キャラクタを含む第２特別画像とを含み（例えば、図３２（ｂ）、図３３（ｂ）に示す部分）、
前記第１種類の画像に含まれるキャラクタは第１態様で表示され、
前記第２種類の画像に含まれる特定キャラクタは第２態様で表示される。
この構成によれば、画像の種類に応じた態様でキャラクタを表示することができる。
【０３５８】
（３−８）
遊技を行う遊技機において、
複数種類の有利度のうちのいずれかに設定する有利度設定手段（例えば、メイン制御部４１）と、
画像を表示する表示手段（例えば、液晶表示器５１）と、
複数種類の画像のうちのいずれかを前記表示手段に表示することにより、前記有利度設定手段による有利度の設定状態を示唆する示唆制御を実行可能な示唆制御手段（例えば、図３０のＳｃ４の処理を行う部分）とを備え、
複数種類の画像は、第１種類の画像（例えば、デフォルト画面Ａおよびデフォルト画面Ｂで表示される画像）と、該第１種類の画像よりも前記有利度設定手段により設定された有利度の設定状態が有利であることを示唆する第２種類の画像（例えば、第１高設定示唆画面で表示される画像）とを含み、
前記第１種類の画像は、第１キャラクタを含む第１通常画像と、第２キャラクタを含む第２通常画像とを含み（例えば、図３２（ａ）、図３３（ａ）に示す部分）、
前記第２種類の画像は、第１特定態様の前記第１キャラクタを含む第１特別画像と、前記第１特定態様と共通する態様である第２特定態様の前記第２キャラクタを含む第２特別画像とを含み（例えば、図３２（ｂ）、図３３（ｂ）に示す部分）、
前記第１種類の画像と前記第２種類の画像とのそれぞれに同一の特定キャラクタが含まれ、
前記特定キャラクタは前記第１種類の画像においてモチーフとなった色彩のキャラクタであり、前記第１種類の画像よりも前記第２種類の画像のほうが小さいサイズで表示される（例えば、図３２（ａ）および図３２（ｂ）、図３３（ａ）および図３３（ｂ）に示す部分）か、または、前記特定キャラクタは前記第１種類の画像においてモチーフとなった色彩と異なる色彩のキャラクタであり、前記第１種類の画像よりも前記第２種類の画像のほうが大きいサイズで表示される。
この構成によれば、同一のキャラクタを表示するときに違いを分かりやすくすることができる。
【０３５９】
（３−９）
遊技を行う遊技機において、
複数種類の有利度のうちのいずれかに設定する有利度設定手段（例えば、メイン制御部４１）と、
画像を表示する表示手段（例えば、液晶表示器５１）と、
複数種類の画像のうちのいずれかを前記表示手段に表示することにより、前記有利度設定手段による有利度の設定状態を示唆する示唆制御を実行可能な示唆制御手段（例えば、図３０のＳｃ４の処理を行う部分）とを備え、
複数種類の画像は、第１種類の画像（例えば、デフォルト画面Ａおよびデフォルト画面Ｂで表示される画像）と、該第１種類の画像よりも前記有利度設定手段により設定された有利度の設定状態が有利であることを示唆する第２種類の画像（例えば、第１高設定示唆画面で表示される画像）とを含み、
前記第１種類の画像は、第１キャラクタを含む第１通常画像と、第２キャラクタを含む第２通常画像とを含み（例えば、図３２（ａ）、図３３（ａ）に示す部分）、
前記第２種類の画像は、第１特定態様の前記第１キャラクタを含む第１特別画像と、前記第１特定態様と共通する態様である第２特定態様の前記第２キャラクタを含む第２特別画像とを含み（例えば、図３２（ｂ）、図３３（ｂ）に示す部分）、
前記第２種類の画像は複数の画像を含み、
該複数の画像のうち第１画像は前記有利度設定手段により設定された有利度の設定状態が第１状態であることを示唆し、該複数の画像のうち第２画像は前記有利度設定手段により設定された有利度の設定状態が第２状態であることを示唆する。
この構成によれば、第２種類の画像に注目したうえでいずれの画像であるかに注目させることができる。
【０３６０】
（３−１０）
遊技を行う遊技機において、
複数種類の有利度のうちのいずれかに設定する有利度設定手段（例えば、メイン制御部４１）と、
画像を表示する表示手段（例えば、液晶表示器５１）と、
複数種類の画像のうちのいずれかを前記表示手段に表示することにより、前記有利度設定手段による有利度の設定状態を示唆する示唆制御を実行可能な示唆制御手段（例えば、図３０のＳｃ４の処理を行う部分）とを備え、
複数種類の画像は、第１種類の画像（例えば、デフォルト画面Ａおよびデフォルト画面Ｂで表示される画像）と、該第１種類の画像よりも前記有利度設定手段により設定された有利度の設定状態が有利であることを示唆する第２種類の画像（例えば、第１高設定示唆画面で表示される画像）とを含み、
前記第１種類の画像は、第１キャラクタを含む第１通常画像と、第２キャラクタを含む第２通常画像とを含み（例えば、図３２（ａ）、図３３（ａ）に示す部分）、
前記第２種類の画像は、第１特定態様の前記第１キャラクタを含む第１特別画像と、前記第１特定態様と共通する態様である第２特定態様の前記第２キャラクタを含む第２特別画像とを含み（例えば、図３２（ｂ）、図３３（ｂ）に示す部分）、
前記示唆制御手段は、前記示唆制御において、複数の画像のいずれかの表示に併せて特定情報を表示可能であり、
表示される画像に関わらず、特定情報を表示する色彩は共通である。
この構成によれば、特定情報であることを分かりやすくすることができる。
【０３６１】
以上、本発明の実施形態及び変形例を図面により説明してきたが、本発明はこの実施形態に限定されるものではなく、本発明の主旨を逸脱しない範囲における変更や追加があっても本発明に含まれることは言うまでもない。
【０３６２】
［遊技機について］
本実施形態では遊技機の例としてスロットマシン１０１を挙げたが、遊技機として、各々が識別可能な複数種類の識別情報の変動表示の結果に応じて、遊技者にとって有利な大当り遊技状態に制御可能なパチンコ遊技機であってもよい。
【０３６３】
本実施形態では、本発明を遊技用価値としてメダル並びにクレジットを用いて賭数が設定されるスロットマシンに適用した例について説明したが、遊技用価値として遊技球を用いて賭数を設定するスロットマシンや、遊技用価値としてクレジットのみを使用して賭数を設定する完全クレジット式のスロットマシンに適用しても良い。遊技球を遊技用価値として用いる場合は、例えば、メダル１枚分を遊技球５個分に対応させることができ、前記実施形態で賭数として３を設定する場合は、１５個の遊技球を用いて賭数を設定するものに相当する。
【０３６４】
さらに、メダル及び遊技球等の複数種類の遊技用価値のうちいずれか１種類のみを用いるものに限定されるものではなく、例えば、メダル及び遊技球等の複数種類の遊技用価値を併用できるものであっても良い。すなわち、メダル及び遊技球等の複数種類の遊技用価値のいずれを用いても賭数を設定してゲームを行うことが可能であり、かつ入賞の発生によってメダル及び遊技球等の複数種類の遊技用価値のいずれをも払い出し得るスロットマシンを適用しても良い。
【０３６５】
［スロットマシンについて］
本実施形態及び変形例では、本発明を遊技用価値としてメダル並びにクレジットを用いて賭数が設定されるスロットマシンに適用した例について説明したが、遊技用価値として遊技球を用いて賭数を設定するスロットマシンや、遊技用価値としてクレジットのみを使用して賭数を設定する完全クレジット式のスロットマシンに適用しても良い。遊技球を遊技用価値として用いる場合は、例えば、メダル１枚分を遊技球５個分に対応させることができ、前記実施形態で賭数として３を設定する場合は、１５個の遊技球を用いて賭数を設定するものに相当する。
【０３６６】
さらに、メダル及び遊技球等の複数種類の遊技用価値のうちいずれか１種類のみを用いるものに限定されるものではなく、例えば、メダル及び遊技球等の複数種類の遊技用価値を併用できるものであっても良い。すなわち、メダル及び遊技球等の複数種類の遊技用価値のいずれを用いても賭数を設定してゲームを行うことが可能であり、かつ入賞の発生によってメダル及び遊技球等の複数種類の遊技用価値のいずれをも払い出し得るスロットマシンを適用しても良い。また、上記実施形態では、３つのリールを有するスロットマシンに本発明を適用する例を挙げたが、例えば、１つのリール（換言すると、単リール）を有するスロットマシンや、４つ以上のリールを有するスロットマシンに本発明を適用してもよい。
【０３６７】
（Ａ−１）また、上述したように、本願においては、
遊技を行う遊技機（例えば、遊技機１、スロットマシン１０１、パチンコ遊技機）であって、
特定状態（例えば、有利状態、第１有利状態および第２有利状態、ＡＴ）に制御可能な特定状態制御手段（例えば、メイン制御部４１が有利状態、第１有利状態および第２有利状態、ＡＴに制御する処理）と、
前記特定状態の制御を開始するときに開始画面（例えば、開始画面）を表示する一方、前記特定状態の制御を終了するときに終了画面（例えば、終了画面、エンディング画面）を表示する画面表示手段（例えば、サブ制御部９１が有利状態、第１有利状態および第２有利状態、ＡＴの制御開始時に開始画面を表示する処理、サブ制御部９１が有利状態、第１有利状態および第２有利状態、ＡＴの制御終了時に終了画面、エンディング画面を表示する処理）とを備え、
前記画面表示手段は、前記開始画面および前記終了画面において背景画像（例えば、背景画像）に重畳して前記特定状態に関する文字画像（例えば、文字画像）を表示し（例えば、サブ制御部９１が開始画面および終了画面、エンディング画面において背景画像に重畳して文字画像を表示し）、
前記開始画面の背景画像が動画像である一方、前記終了画面の背景画像が静止画像であり（例えば、開始画面の背景画像が爆発の動画像である一方で終了画面の背景画像、エンディング画面が静止画像であり）、
所定操作（例えば、所定操作）を有効に受け付けているときに、該所定操作を示唆する操作示唆表示（例えば、操作示唆表示）を行うことが可能な操作示唆表示手段（例えば、サブ制御部９１が操作示唆表示を行う処理）を更に備え、
前記開始画面は、前記所定操作を有効に受け付けていないときに表示される（例えば、サブ制御部９１が有利状態、第１有利状態および第２有利状態、ＡＴの制御を開始してから所定操作の受け付けを開始するまで開始画面を表示する）、遊技機について開示されている。
なお、本発明において「所定操作を有効に受け付けているとき」には、例えば、スロットマシンであれば、リールを停止するための停止操作を受け付けているときが含まれ、パチンコ遊技機であれば、大当り遊技状態制御中において入賞口が開放されて右打ち操作をすれば入賞口への入賞が可能であるときが含まれる。また、本発明において「所定操作を有効に受け付けていないとき」には、例えば、スロットマシンであれば、リールを停止するための停止操作を受け付けていないときが含まれ、パチンコ遊技機であれば、大当り遊技状態制御中において入賞口が開放されておらず右打ち操作をしても入賞口への入賞が不可能であるときも含まれる。
また、本発明において「所定操作を有効に受け付けているとき」には、「所定操作されることにより所定制御が実行され得るとき」だけでなく「所定操作されることにより所定制御が実行されないとき」が含まれる。例えば、パチンコ遊技機であれば、大当り遊技状態制御中において入賞口が開放されて右打ち操作をすれば入賞口への入賞が可能であるときだけでなく、右打ち操作をしても入賞口への入賞ができないときや入賞が困難であるときが含まれる。
よって、本願においては、
遊技を行う遊技機（例えば、遊技機１、スロットマシン１０１、パチンコ遊技機）であって、
特定状態（例えば、有利状態、第１有利状態および第２有利状態、ＡＴ）に制御可能な特定状態制御手段（例えば、メイン制御部４１が有利状態、第１有利状態および第２有利状態、ＡＴに制御する処理）と、
前記特定状態の制御を開始するときに開始画面（例えば、開始画面）を表示する一方、前記特定状態の制御を終了するときに終了画面（例えば、終了画面、エンディング画面）を表示する画面表示手段（例えば、サブ制御部９１が有利状態、第１有利状態および第２有利状態、ＡＴの制御開始時に開始画面を表示する処理、サブ制御部９１が有利状態、第１有利状態および第２有利状態、ＡＴの制御終了時に終了画面、エンディング画面を表示する処理）とを備え、
前記画面表示手段は、前記開始画面および前記終了画面において背景画像（例えば、背景画像）に重畳して前記特定状態に関する文字画像（例えば、文字画像）を表示し（例えば、サブ制御部９１が開始画面および終了画面、エンディング画面において背景画像に重畳して文字画像を表示し）、
前記開始画面の背景画像が動画像である一方、前記終了画面の背景画像が静止画像であり（例えば、開始画面の背景画像が爆発の動画像である一方で終了画面の背景画像、エンディング画面が静止画像であり）、
所定操作（例えば、所定操作、スロットマシンであればリールの停止操作、パチンコ遊技機であれば右打ち操作）されることにより所定制御（例えば、スロットマシンであればリール停止、パチンコ遊技機であれば開放した入賞口への入賞）が実行され得るときに、該所定操作を示唆する操作示唆表示（例えば、操作示唆表示）を行うことが可能な操作示唆表示手段（例えば、サブ制御部９１が操作示唆表示を行う処理）を更に備え、
前記開始画面は、前記所定操作を有効に受け付けていないときに表示される（例えば、サブ制御部９１が有利状態、第１有利状態および第２有利状態、ＡＴの制御を開始してから所定操作の受け付けを開始するまで開始画面を表示する）、遊技機についても開示されている。
また、本願においては、
遊技を行う遊技機（例えば、遊技機１、スロットマシン１０１、パチンコ遊技機）であって、
特定状態（例えば、有利状態、第１有利状態および第２有利状態、ＡＴ）に制御可能な特定状態制御手段（例えば、メイン制御部４１が有利状態、第１有利状態および第２有利状態、ＡＴに制御する処理）と、
前記特定状態の制御を開始するときに開始画面（例えば、開始画面）を表示する一方、前記特定状態の制御を終了するときに終了画面（例えば、終了画面、エンディング画面）を表示する画面表示手段（例えば、サブ制御部９１が有利状態、第１有利状態および第２有利状態、ＡＴの制御開始時に開始画面を表示する処理、サブ制御部９１が有利状態、第１有利状態および第２有利状態、ＡＴの制御終了時に終了画面、エンディング画面を表示する処理）とを備え、
前記画面表示手段は、前記開始画面および前記終了画面において背景画像（例えば、背景画像）に重畳して前記特定状態に関する文字画像（例えば、文字画像）を表示し（例えば、サブ制御部９１が開始画面および終了画面、エンディング画面において背景画像に重畳して文字画像を表示し）、
前記開始画面の背景画像が動画像である一方、前記終了画面の背景画像が静止画像であり（例えば、開始画面の背景画像が爆発の動画像である一方で終了画面の背景画像、エンディング画面が静止画像であり）、
所定操作（例えば、所定操作、パチンコ遊技機であれば右打ち操作）されることにより所定制御（例えば、パチンコ遊技機であれば開放した入賞口への入賞）が実行されないときに、該所定操作を示唆する操作示唆表示（例えば、操作示唆表示）を行うことが可能な操作示唆表示手段（例えば、サブ制御部９１が操作示唆表示を行う処理）を更に備え、
前記開始画面は、前記所定操作を有効に受け付けていないときに表示される（例えば、サブ制御部９１が有利状態、第１有利状態および第２有利状態、ＡＴの制御を開始してから所定操作の受け付けを開始するまで開始画面を表示する）、遊技機についても開示されている。
【０３６８】
このような構成によれば、開始画面の背景画像が動画像ではない遊技機や、終了画面の背景画像が静止画像ではない遊技機よりも開始画面が終了画面よりも目立ち易くなり、特定状態の開始に関する遊技者の印象を高めることができ、遊技の興趣が向上する。また、このような構成によれば、開始画面が所定操作を有効に受け付けていないときに表示されない遊技機よりも動画像である背景画像が表示される開始画面の表示中に操作示唆表示が行われて遊技者が混乱して所定操作とは異なる操作を行ってしまうことを防止できる。
【０３６９】
（Ａ−２）また、本願においては、
遊技を行う遊技機（例えば、遊技機１、スロットマシン１０１、パチンコ遊技機）であって、
特定状態（例えば、有利状態、第１有利状態および第２有利状態、ＡＴ）に制御可能な特定状態制御手段（例えば、メイン制御部４１が有利状態、第１有利状態および第２有利状態、ＡＴに制御する処理）と、
前記特定状態の制御を開始するときに開始画面（例えば、開始画面）を表示する一方、前記特定状態の制御を終了するときに終了画面（例えば、終了画面、エンディング画面）を表示する画面表示手段（例えば、サブ制御部９１が有利状態、第１有利状態および第２有利状態、ＡＴの制御開始時に開始画面を表示する処理、サブ制御部９１が有利状態、第１有利状態および第２有利状態、ＡＴの制御終了時に終了画面、エンディング画面を表示する処理）とを備え、
前記画面表示手段は、前記開始画面および前記終了画面において背景画像（例えば、背景画像）に重畳して前記特定状態に関する文字画像（例えば、文字画像）を表示し（例えば、サブ制御部９１が開始画面および終了画面、エンディング画面において背景画像に重畳して文字画像を表示し）、
前記開始画面の背景画像が動画像である一方、前記終了画面の背景画像が静止画像であり（例えば、開始画面の背景画像が爆発の動画像である一方で終了画面、エンディング画面の背景画像が静止画像であり）、
所定操作（例えば、所定操作）を有効に受け付けているときに、該所定操作を示唆する操作示唆表示（例えば、操作示唆表示）を行うことが可能な操作示唆表示手段（例えば、サブ制御部９１が操作示唆表示を行う処理）と、
前記開始画面を表示しているときに、前記操作示唆表示手段による操作示唆表示を制限する操作示唆表示制限手段（例えば、サブ制御部９１が開始画面の表示を終了してから操作示唆表示を行う処理、サブ制御部９１が開始画面の表示中に縮小表示で操作示唆表示を行う処理）とを更に備える、遊技機についても開示されている。
【０３７０】
このような構成によれば、開始画面の背景画像が動画像ではない遊技機や、終了画面の背景画像が静止画像ではない遊技機よりも開始画面が終了画面よりも目立ち易くなり、特定状態の開始に関する遊技者の印象を高めることができ、遊技の興趣が向上する。また、このような構成によれば、開始画面を表示しているときに操作示唆表示が制限されない遊技機よりも動画像である背景画像が表示される開始画面の表示中に操作示唆表示が行われて遊技者が混乱して所定操作とは異なる操作を行ってしまうことを防止できる。
【０３７１】
（Ａ−３）また、本願においては、
前記操作示唆表示手段は、前記開始画面の表示終了後に前記操作示唆表示を行う（例えば、サブ制御部９１が開始画面の表示を終了してから操作示唆表示を行う、サブ制御部９１が開始画面の表示中に縮小表示で操作示唆表示を行っているときには開始画面の表示終了後に通常の表示態様で操作示唆表示を行う）、遊技機についても開示されている。
【０３７２】
このような構成によれば、開始画面の表示終了後に操作示唆表示を行わない遊技機よりも操作示唆表示に遊技者の注目を集め易くすることができる。
【０３７３】
（Ａ−４）また、本願においては、
前記操作示唆表示手段は、前記操作示唆表示を行うことで前記所定操作を含む特定操作（例えば、所定操作、演出設定操作、音量調整操作）を示唆することが可能であり、
前記終了画面は、前記特定操作を受け付けているときに表示される（例えば、メイン制御部４１が所定操作、演出設定操作、音量調整操作を受け付けておりサブ制御部９１が所定操作、演出設定操作、音量調整操作を示唆する操作示唆表示中に終了画面も表示する）、遊技機についても開示されている。
【０３７４】
このような構成によれば、特定状態の制御の終了と同時に特定操作を示唆することができる。
【０３７５】
（Ａ−５）また、本願においては、
前記操作示唆表示手段は、前記終了画面の文字画像に重畳しないように前記操作示唆表示を行う（例えば、サブ制御部９１が終了画面の文字画像に重畳しないように操作示唆表示の画像を表示する）、遊技機についても開示されている。
【０３７６】
このような構成によれば、遊技者が終了画面の文字画像の表示と操作示唆表示とをそれぞれ同時に認識できる。
【０３７７】
（Ａ−６）また、本願においては、
前記終了画面の表示期間には前記操作示唆表示が行われない期間が含まれる（例えば、サブ制御部９１が終了画面の表示中に操作示唆表示を終了して終了画面の表示期間に操作示唆表示が行われない期間が含まれる）、遊技機についても開示されている。
【０３７８】
このような構成によれば、遊技者が終了画面の表示のみを認識する期間を担保できる。
【０３７９】
（Ａ−７）また、本願においては、
遊技者による特別操作（例えば、音量調整操作）を受け付けたときに特別表示（例えば、音量調整表示）を行うことが可能な特別表示手段（例えば、サブ制御部９１が音量調整操作を受け付けたときに調整したスピーカ５３、５４の音量に応じた音量調整表示を行う処理）を備え、
前記特別表示手段は、前記開始画面の表示中に前記特別操作を受け付けたときに前記特別表示を行う（例えば、サブ制御部９１が開始画面の表示中に音量調整操作を受け付けたときであっても音量調整表示を行う）、遊技機についても開示されている。
【０３８０】
このような構成によれば、開始画面の表示中であっても特別表示が行われることが妨げられないようにすることができる。
【０３８１】
（Ｂ−１）上述したように、本願においては、
遊技を行う遊技機（例えば、遊技機１、スロットマシン１０１、パチンコ遊技機）であって、
特定状態（例えば、有利状態、第１有利状態および第２有利状態、ＡＴ）に制御可能な特定状態制御手段（例えば、メイン制御部４１が有利状態、第１有利状態および第２有利状態、ＡＴに制御する処理）と、
前記特定状態の制御を開始するときに開始画面（例えば、開始画面）を表示する一方、前記特定状態の制御を終了するときに終了画面（例えば、終了画面、エンディング画面）を表示する画面表示手段（例えば、サブ制御部９１が有利状態、第１有利状態および第２有利状態、ＡＴの制御開始時に開始画面を表示する処理、サブ制御部９１が有利状態、第１有利状態および第２有利状態、ＡＴの制御終了時に終了画面、エンディング画面を表示する処理）とを備え、
前記画面表示手段は、前記開始画面および前記終了画面において背景画像（例えば、背景画像）に重畳して前記特定状態に関する文字画像（例えば、文字画像）を表示し（例えば、サブ制御部９１が開始画面および終了画面、エンディング画面において背景画像に重畳して文字画像を表示し）、
前記開始画面の背景画像が動画像である一方、前記終了画面の背景画像が静止画像であり（例えば、開始画面の背景画像が爆発の動画像である一方で終了画面の背景画像、エンディング画面が静止画像であり）、
複数種類の有利度のうちのいずれかに設定する有利度設定手段（例えば、メイン制御部４１）と、
前記終了画面の背景画像として、複数種類の画像のうちの何れかの画像を表示することにより、前記有利度設定手段による有利度の設定状態を示唆する示唆制御を実行可能な示唆制御手段（例えば、図３０のＳｃ４の処理を行う部分）とを更に備え、
前記複数種類の画像は、第１種類の画像（例えば、デフォルト画面Ａおよびデフォルト画面Ｂで表示される画像）と、該第１種類の画像よりも前記有利度設定手段により設定された有利度の設定状態が有利であることを示唆する第２種類の画像（例えば、第１高設定示唆画面で表示される画像）とを含み、
前記第１種類の画像は、第１キャラクタを含む第１通常画像と、第２キャラクタを含む第２通常画像とを含み（例えば、図３２（ａ）、図３３（ａ）に示す部分）、
前記第２種類の画像は、第１特定態様の前記第１キャラクタを含む第１特別画像と、前記第１特定態様と共通する態様である第２特定態様の前記第２キャラクタを含む第２特別画像とを含む（例えば、図３２（ｂ）、図３３（ｂ）に示す部分）、遊技機について開示されている。
【０３８２】
このような構成によれば、開始画面の背景画像が動画像ではない遊技機や、終了画面の背景画像が静止画像ではない遊技機よりも開始画面が終了画面よりも目立ち易くなり、特定状態の開始に関する遊技者の印象を高めることができ、遊技の興趣が向上する。また、このような構成によれば、示唆制御を実行するときに表示される画像が静止画像としての背景画像であるため、示唆制御を実行するときに表示される画像が静止画像ではない遊技機よりも有利度の設定状態の示唆を遊技者が認識し易くなる。また、このような構成によれば、第１キャラクタや第２キャラクタが特定態様で表示されたか否かに注目することにより、示唆の内容が有利なものであるか否かが判別しやすくなる。
【０３８３】
（Ｂ−２）また、本願においては、
前記複数種類の画像（例えば、図３２および図３３に示す各エンディング画面で表示される文字画像以外の画像）のうちから表示される画像に応じて前記終了画面の文字画像の表示位置が異なる（例えば、図３２および図３３に示す各エンディング画面において文字画像が文字画像以外の画像に重畳しない表示位置に表示されている）、遊技機についても開示されている。
【０３８４】
このような構成によれば、複数種類の画像のうちから表示される画像に関わらず終了画面の文字画像の表示位置が同一であることで静止画像に文字画像が重畳して表示されたり静止画像が文字画像に重畳して表示されたりする虞がある遊技機よりも特定状態に関する情報と有利度の示唆との各々を判別し易くすることができる。
【０３８５】
（Ｂ−３）また、本願においては、
前記複数種類の画像（例えば、図３２および図３３に示す各エンディング画面で表示される文字画像以外の画像）のうちから表示される画像に関わらず表示される前記終了画面の文字画像（例えば、獲得枚数表示や総獲得枚数表示）の色彩が同一である（例えば、図３２および図３３に示す各エンディング画面で表示される獲得枚数表示や総獲得枚数表示の表示色が同一である）、遊技機についても開示されている。
【０３８６】
このような構成によれば、複数種類の画像のうちから表示される画像に応じて表示される終了画面の文字画像の色彩が変化する遊技機よりも遊技者が終了画面の文字画像を認識し易くなる。
【０３８７】
（Ｂ−４）また、本願においては、
前記第２種類の画像は、前記第１種類の画像よりも画像に含まれるキャラクタの数が多く（例えば、図３２（ａ）および図３２（ｂ）、図３３（ａ）および図３３（ｂ）に示す部分）、
画像に含まれるキャラクタの各々が前記第２特定態様で表示される（例えば、図３２（ａ）および図３２（ｂ）、図３３（ａ）および図３３（ｂ）に示す部分）、遊技機についても開示されている。
【０３８８】
このような構成によれば、第２種類の画像に含まれるキャラクタの各々が第２特定態様で表示されない遊技機よりも第１種類の画像と第２種類の画像とを区別し易くすることができる。
【０３８９】
（Ｂ−５）また、本願においては、
前記第１通常画像における前記第１キャラクタの表示位置と、前記第１特別画像における前記第１キャラクタの表示位置とが同一または近似している（例えば、図３２（ａ）および図３２（ｂ）、図３３（ａ）および図３３（ｂ）に示す部分）、遊技機についても開示されている。
【０３９０】
このような構成によれば、第１通常画像における第１キャラクタの表示位置と第１特別画像における第１キャラクタの表示位置とが同一または近似していない遊技機よりも第１キャラクタの態様の違いを分かり易くすることができる。
【０３９１】
（Ｂ−６）また、本願においては、
前記第１種類の画像と前記第２種類の画像とのそれぞれに同一の特定キャラクタが含まれ（例えば、第１種類の画像と第２種類の画像とのそれぞれに同一のキャラクタＡとキャラクタＢとが表示され）、
前記特定キャラクタは前記第１種類の画像においてモチーフとなった色彩のキャラクタであり（例えば、第１種類の画像と第２種類の画像とで表示されるキャラクタＡとキャラクタＢの体や顔の色が青色で共通し）、前記第１種類の画像よりも前記第２種類の画像のほうが小さいサイズで表示されるか（例えば、図３２（ａ）および図３２（ｂ）、図３３（ａ）および図３３（ｂ）に示す部分）、または、前記特定キャラクタは前記第１種類の画像においてモチーフとなった色彩と異なる色彩のキャラクタであり（例えば、第１種類の画像と第２種類の画像とで表示されるキャラクタＡとキャラクタＢの体や顔の色が青色か金色かで異なり）、前記第１種類の画像よりも前記第２種類の画像のほうが大きいサイズで表示される（例えば、第１種類の画像よりも第２種類の画像のほうが大きく表示される）、遊技機についても開示されている。
【０３９２】
このような構成によれば、第１種類の画像においてモチーフとなった色彩の特定キャラクタが第１種類の画像よりも第２種類の画像のほうが小さいサイズで表示されない遊技機や第１種類の画像においてモチーフとなった色彩と異なる色彩の特定キャラクタが第１種類の画像よりも第２種類の画像のほうが大きいサイズで表示されない遊技機よりも同一のキャラクタを表示するときに違いを分かりやすくすることができる。
【０３９３】
（Ｂ−７）また、本願においては、
前記第２種類の画像は複数の画像を含み（例えば、第２種類の画像を複数設けており）、
該複数の画像のうち第１画像は前記有利度設定手段により設定された有利度の設定状態が第１状態であることを示唆し（例えば、複数の画像のうち第１画像は設定値が第１状態であることを示唆し）、該複数の画像のうち第２画像は前記有利度設定手段により設定された有利度の設定状態が第２状態であることを示唆する（例えば、複数の画像のうち第２画像は設定値が第２状態であることを示唆する）、遊技機についても開示されている。
【０３９４】
このような構成によれば、第２種類の画像に注目した上で何れの画像であるかに注目させることができる。
【０３９５】
（Ｃ−１）また、本願においては、
前記画面表示手段は、前記開始画面の文字画像において前記文字画像を強調するエフェクトを発生させるとともに（例えば、開始画面の文字画像においてエフェクトを発生させるとともに）、前記開始画面の背景画像においても前記文字画像を強調するエフェクトを発生させる（例えば、サブ制御部９１が開始画面の背景画像においても文字画像を強調するエフェクトとして爆発の動画像を表示する）、遊技機についても開示されている。
【０３９６】
このような構成によれば、開始画面の文字画像においてエフェクトを発生させない遊技機や開始画面の背景画像において文字画像を強調するエフェクトを発生させない遊技機よりも開始画面の文字画像に対する遊技者の注目を高めることができ、特定状態の開始に関する遊技者の印象を高めることができ、遊技の興趣が向上する。
【０３９７】
（Ｃ−２）また、本願においては、
前記画面表示手段は、前記開始画面の文字画像を所定方向に移動させる表示を行うとともに、前記開始画面の背景画像を前記所定方向の逆方向に移動させる表示を行う（例えば、サブ制御部９１が開始画面の文字画像を上方向にスライド移動させる表示を行うとともに開始画面の背景画像を逆方向である下方向にスライド移動させる表示を行う）、遊技機についても開示されている。
【０３９８】
このような構成によれば、開始画面の文字画像を所定方向に移動させる表示を行わない遊技機や開始画面の背景画像を所定方向の逆方向に移動させる表示を行わない遊技機よりも開始画面の文字画像に対する遊技者の注目を高めることができ、特定状態の開始に関する遊技者の印象を高めることができ、遊技の興趣が向上する。
【０３９９】
（Ｃ−３）また、本願においては、
前記開始画面を表示するために用いられる画像データには、前記開始画面の表示開始から第１期間（例えば、第１期間）が経過するまで用いられる第１画像データ（例えば、第１画像データ）と、前記第１期間が経過した後に用いられる第２画像データ（例えば、第２画像データ）とが含まれ、
前記画面表示手段は、前記第１期間が経過した後、前記第２画像データを繰り返し用いて前記開始画面を表示する（例えば、サブ制御部９１が第１期間経過後に第２画像データを繰り返し用いて開始画面を表示（ループ表示）する）、遊技機についても開示されている。
【０４００】
このような構成によれば、開始画面の表示期間の変動に対応することができる。
【０４０１】
（Ｃ−４）また、本願においては、
前記第２画像データを用いた開始画面の表示開始に関連して音声を出力可能な音声出力手段（例えば、サブ制御部９１が第２画像データを用いた開始画面の表示を開始するときにスピーカ５３、５４から音声を出力させる処理）を備える、遊技機についても開示されている。
【０４０２】
このような構成によれば、第２画像データを用いた開始画面の表示開始に関連して音声を出力しない遊技機よりも第２画像データを用いた開始画面の表示開始に同期して音声を出力し易くすることができる。
【０４０３】
（Ｃ−５）また、本願においては、
前記文字画像が表示されるときに前記画面表示手段の近傍に設けられた発光部を所定色で発光させることが可能な発光手段（例えば、サブ制御部９１が第２画像データを用いて開始画面が表示されて文字画像のエフェクトが発生するときに液晶表示器５１の上方・左方・右方に設けられた演出効果ＬＥＤ５２を白色で発光させる処理）を備える、遊技機についても開示されている。
【０４０４】
このような構成によれば、文字画像が表示されるときに画面表示手段の近傍に設けられた発光部を所定色で発光させない遊技機よりも文字画像に対する遊技者の注目を高めることができる。
【０４０５】
（Ｃ−６）また、本願においては、
前記文字画像は、特定数の文字の画像を含み（例えば、開始画面の文字画像が「○△ＢＯＮＵＳ！！」との９文字の文字画像であり）、
前記画面表示手段は、前記文字画像を表示するときに、前記特定数の文字の画像のうちの第１数の文字の画像については一文字ずつ表示する一方、前記特定数の文字の画像のうちから前記第１数の文字の画像を除いた第２数の文字の画像については全ての文字を同時に表示する（例えば、サブ制御部９１が開始画面の「○△ＢＯＮＵＳ！！」との９文字の文字画像を表示するときに９文字のうちの最初の２文字（「○△」）については一文字ずつ表示する一方で残りの７文字（「ＢＯＮＵＳ！！」）については全ての文字を同時に表示する）、遊技機についても開示されている。
【０４０６】
このような構成によれば、第１数の文字の画像で示される情報に対する遊技者の注目を高めることができる。
【０４０７】
（Ｃ−７）また、本願においては、
前記開始画面の文字画像は、前記特定状態の名称を示す文字の画像を含む（例えば、開始画面の文字画像には有利状態の名称を示す「○△ＢＯＮＵＳ」等の文字が含まれる）、遊技機についても開示されている。
【０４０８】
このような構成によれば、開始画面の文字画像が特定状態の名称を示す文字の画像を含まない遊技機よりも特定状態の開始時に遊技者が特定状態に制御される旨を認識し易くなる。
【０４０９】
（Ｃ−８）また、本願においては、
前記終了画面の文字画像は、前記特定状態の履歴を示す文字の画像を含む（例えば、終了画面の文字画像には有利状態の履歴を示す「○△ＢＯＮＵＳ終了」や「ＴＯＴＡＬ  ＸＹＺ」の文字が含まれる）、遊技機についても開示されている。
【０４１０】
このような構成によれば、終了画面の文字画像が特定状態の履歴を示す文字の画像を含まない遊技機よりも特定状態の終了時に遊技者が特定状態に制御された成果を認識し易くなる。
【０４１１】
（Ｃ−９）また、本願においては、
前記画面表示手段は、前記特定状態の履歴が遊技者にとって有利であるときに成立する特定条件を満たさなければ前記終了画面の文字画像を表示しない（例えば、サブ制御部９１が終了画面を表示するときに遊技用価値の獲得数が所定数未満であれば「ＴＯＴＡＬ  ＸＹＺ」の文字画像を表示せず「○△ＢＯＮＵＳ終了」の文字画像のみを表示する）、遊技機についても開示されている。
【０４１２】
このような構成によれば、特定状態の履歴が遊技者にとって有利であるときに成立する特定条件を満たさなくても終了画面の文字画像を表示する遊技機よりも特定状態の履歴が遊技者にとって有利でなかったことを遊技者が認識し難くなる。
【０４１３】
（Ｃ−１０）また、本願においては、
前記終了画面の表示を終了して通常状態に応じた表示（例えば、通常画面の表示）に移行するときに動画像の表示を含む移行表示（例えば、移行表示）を行うことが可能な移行表示手段（例えば、サブ制御部９１が終了画面の表示を終了して通常画面の表示に移行するときに移行表示を行う処理）を備える、遊技機についても開示されている。
【０４１４】
このような構成によれば、静止画像の背景画像や文字画像が表示される終了画面から動画像の表示を含む移行表示が行われるので、終了画面の表示を終了してから動画像の表示を含む移行表示を行わない遊技機よりも通常状態に応じた表示に移行する旨を遊技者が認識し易くなる。
【０４１５】
（Ｃ−１１）また、本願においては、
前記特定状態制御手段は、前記特定状態の制御を終了した後に、前記特定状態の制御を再開することが可能であり（例えば、メイン制御部４１が有利状態の制御終了後に有利状態の制御を再開することが可能であり）、
前記終了画面の表示中に前記特定状態の制御が再開することが決定しているときに、前記特定状態の制御が再開する旨を示す動画像の表示を含む復活表示（例えば、復活表示）を行うことが可能な復活表示手段（例えば、サブ制御部９１が終了画面の表示中に有利状態の制御が再開することが決定していれば終了画面の表示終了後に復活表示を行う処理）を備える、遊技機についても開示されている。
【０４１６】
このような構成によれば、静止画像の背景画像や文字画像が表示される終了画面から動画像の表示を含む復活表示が行われるので、終了画面の表示を終了してから動画像の表示を含む復活表示を行わない遊技機よりも特定状態の制御が再開する旨を遊技者が認識し易くなる。
【符号の説明】
【０４１７】
１  遊技機、２Ｌ、２Ｃ、２Ｒ  リール、６  操作部、７  スタートスイッチ、８Ｌ、８Ｃ、８Ｒ  ストップスイッチ、４１  メイン制御部、５１  液晶表示器、５２  演出効果ＬＥＤ、５３、５４  スピーカ、５６  演出用スイッチ、５７  十字キースイッチ、６０  ランプ、９１  サブ制御部、１０１  スロットマシン
【図１】
2020171611.tif 000003
【図２】
2020171611.tif 000004
【図３】
2020171611.tif 000005
【図４】
2020171611.tif 000006
【図５】
2020171611.tif 000007
【図６】
2020171611.tif 000008
【図７】
2020171611.tif 000009
【図８】
2020171611.tif 000010
【図９】
2020171611.tif 000011
【図１０】
2020171611.tif 000012
【図１１】
2020171611.tif 000013
【図１２】
2020171611.tif 000014
【図１３】
2020171611.tif 000015
【図１４】
2020171611.tif 000016
【図１５】
2020171611.tif 000017
【図１６】
2020171611.tif 000018
【図１７】
2020171611.tif 000019
【図１８】
2020171611.tif 000020
【図１９】
2020171611.tif 000021
【図２０】
2020171611.tif 000022
【図２１】
2020171611.tif 000023
【図２２】
2020171611.tif 000024
【図２３】
2020171611.tif 000025
【図２４】
2020171611.tif 000026
【図２５】
2020171611.tif 000027
【図２６】
2020171611.tif 000028
【図２７】
2020171611.tif 000029
【図２８】
2020171611.tif 000030
【図２９】
2020171611.tif 000031
【図３０】
2020171611.tif 000032
【図３１】
2020171611.tif 000033
【図３２】
2020171611.tif 000034
【図３３】
2020171611.tif 000035
【図３４】
2020171611.tif 000036
【図３５】
2020171611.tif 000037
【図３６】
2020171611.tif 000038
【図３７】
2020171611.tif 000039
【図３８】
2020171611.tif 000040
【図３９】
2020171611.tif 000041